(57)【要約】【課題】胡蝶蘭をあらゆる方向から観賞できるようにし、胡蝶蘭（花）の向きを考慮することなく胡蝶蘭の配置を可能にする。【解決手段】帯状の部材９１の一方の端部９２３側の挿入部９４に連続して、挿入部９４の終端である帯状の部材９１の一方の端部９２３から挿入部９４に対して鈍角方向に伸びて円弧として第一湾曲部９２４が形成され、第一湾曲部９２４は渦巻き状の平板９１１として帯状の部材９１の他方の端部９２７に向かって形成され、第一湾曲部９２４が形成されて伸びてきた方向とは異なる方向に切り替わる第二変曲部９２５が形成され、第二変曲部９２５から、第一湾曲部９２４に連続して第二変曲部９２５から離れる方向に円弧として渦巻き状の平板９１１である第二湾曲部９２６が形成され、帯状の部材９１の、他方の端部９２７が一方の端部９２３より上方側に形成された仕立用支柱９０を提供する。【選択図】図１９
0003196831.tif 000002
【実用新案登録請求の範囲】
【請求項１】
帯状の部材を湾曲させて、植物、或いは造花の茎を前記帯状の部材に沿わせることで前記植物、或いは前記造花を支持する仕立用支柱において、
前記帯状の部材に接続された、基台に組み込む挿入部の面部側同士を対向させ、
前記挿入部に連続して、前記挿入部の終端である前記帯状の部材の一方の端部から前記挿入部に対して鈍角方向に伸びて円弧として形成された第一湾曲部と、
前記第一湾曲部は、中心を前記挿入部の面部同士を離して前記挿入部の面部同士の間の中央を中心にして渦巻き状の平板として前記帯状の部材の他方の端部側に向かって形成され、
前記渦巻き状の平板が形成されて、前記第一湾曲部が伸びてきた方向と、前記第一湾曲部が伸びてきた方向とは異なる方向に切り替わる第二変曲部が形成され、
前記第二変曲部から、前記第一湾曲部に連続して、前記第一変曲部から離れる方向に向って円弧として形成された第二湾曲部と、
前記第二湾曲部は、中心を前記挿入部の面部同士を離して前記挿入部の面部同士の間の中央を中心にして渦巻き状の平板として前記帯状の部材の他方の端部側に向かって形成されたことを特徴とする仕立用支柱。
【請求項２】
帯状の部材を湾曲させて、植物、或いは造花の茎を前記帯状の部材に沿わせることで前記植物、或いは前記造花を支持する仕立用支柱において、
前記帯状の部材の一方の端部に接続された挿入部に連続して、前記挿入部の終端である前記帯状の部材の一方の端部から前記挿入部に対して鈍角方向に伸びて円弧として形成された第一湾曲部と、
前記第一湾曲部は、渦巻き状の平板として前記帯状の部材の他方の端部側に向かって形成され、
前記渦巻き状の平板が形成されて、前記第一湾曲部が伸びてきた方向と、前記第一湾曲部が伸びてきた方向とは異なる方向に切り替わる第二変曲部が形成され、
前記第二変曲部から、前記第一湾曲部に連続して、前記第一変曲部及び前記第二変曲部から離れる方向に向って円弧として形成された第二湾曲部と、
前記第二湾曲部は、渦巻き状の平板として前記帯状の部材の他方の端部側に向かって形成され、
前記渦巻き状の平板が形成されて、前記第二湾曲部が伸びてきた方向と、前記第二湾曲部が伸びてきた方向とは異なる方向に切り替わる第三変曲部が形成され、
前記第三変曲部から、前記第二湾曲部に連続して、前記第三変曲部から離れる方向に向って円弧として形成された第三湾曲部と、
前記第三湾曲部は、渦巻き状の平板として前記帯状の部材の他方の端部側に向かって伸びて、
前記帯状の部材は、前記挿入部の状態に対して少なくとも一回転しながら、渦巻き状の形状として前記帯状の部材の他方の端部側に向かって形成され、
前記帯状の部材の他方の端部が前記挿入部の終端である前記帯状の部材の一方の端部より上方側に形成されていることを特徴とする仕立用支柱。
【請求項３】
胡蝶蘭の花茎の先端側に向かってアンダーセパル、以下リップを含んだペダル、トップセパルの順の前記胡蝶蘭の花が付いた前記胡蝶蘭の花茎を、前記帯状の部材の渦巻き状の平板に沿わせることで、前記胡蝶蘭の花茎を前記帯状の部材に渦巻き状に形成したことを特徴とする請求項１又は２に記載の仕立用支柱。
【請求項４】
胡蝶蘭の花茎の先端側に向かってトップセパル、以下リップを含んだペダル、アンダーセパルの順の前記胡蝶蘭の花が付いた前記胡蝶蘭の花茎を、前記帯状の部材の渦巻き状の平板に沿わせることで、前記胡蝶蘭の花茎を前記帯状の部材に渦巻き状に形成したことを特徴とする請求項１又は２に記載の仕立用支柱。
【請求項５】
帯状の部材を湾曲させて、植物、或いは造花の茎を前記帯状の部材に沿わせることで前記植物、或いは前記造花を支持する仕立用支柱において、
前記帯状の部材の一方の端部に接続された挿入部に連続して、前記挿入部の終端である前記帯状の部材の一方の端部から前記挿入部に対して鈍角方向に伸びて円弧として形成された第一湾曲部と、
前記第一湾曲部は、渦巻き状の平板として前記帯状の部材の他方の端部側に向かって形成され、
前記渦巻き状の平板が形成されて、前記第一湾曲部が伸びてきた方向と、前記第一湾曲部が伸びてきた方向とは異なる方向に切り替わる第二変曲部が形成され、
前記第二変曲部から、前記第一湾曲部に連続して、前記第二変曲部から離れる方向に向って円弧として形成された第二湾曲部と、
前記第二湾曲部は、渦巻き状の平板として前記帯状の部材の他方の端部側に向かって形成され、
前記帯状の部材の他方の端部が前記挿入部の終端である前記帯状の部材の一方の端部より上方側に形成されていることを特徴とする仕立用支柱。
【請求項６】
基台に挿入する、長方形の形状に形成され、前記長方形の形状の両長辺側の縁部側が一方の平面部側に折り返され、前記縁部側が前記一方の平面部に当接することで前記長辺側に円弧部が形成され、前記円弧部が前記長辺に沿って、前記長方形の形状の両短辺側まで伸びる、板状の部材である挿入部と、
前記挿入部に連結された平面部の一方の端部から他方の端部の、長手方向に沿って、前記一方の端部から前記他方の端部まで伸びる側部を傾斜させることで前記平面部の、前記一方の端部側から前記他方の端部側に向かって広げて形成し、
前記側部側の縁部側が前記平面部側に折り返され、前記縁部側が前記平面部に当接することで前記側部側に円弧部が形成され、前記円弧部が前記側部に沿って、前記平面部の、一方の端部から他方の端部まで伸びる、板状の部材である帯状の部材と、を備え、
前記帯状の部材では、前記平面部の他方の端部側では、前記平面部の中央を前記平面部の長手方向に沿って、前記平面部の中央を挟み込んで対向した、前記平面部を貫通した孔部の列が形成され、前記平面部の長手方向に沿っての、前記平面部の他方の端部側の前記孔部の列の間隔は、前記平面部の一方の端部側に向かう前記孔部の列の間隔に比べ狭く形成され、
前記帯状の部材を渦巻き状の空間曲線に形成した際に、前記挿入部側となる前記平面部の側部には、前記側部に沿って、前記円弧部に隣接して前記平面部を貫通した孔部の列が形成され、
前記側部の長手方向に沿っての、前記平面部の他方の端部から最初の前記孔部の間隔は、前記平面部の一方の端部側に向かう前記孔部の列の間隔に比べ狭く形成され、
前記帯状の部材を渦巻き状の空間曲線に形成した際に、前記挿入部側となる前記平面部の側部に形成された前記孔部に、前記挿入部側に伸びる支柱が組み込まれることを特徴とする請求項２又は５に記載の仕立用支柱。
【請求項７】
前記帯状の部材の中央を前記帯状の部材の長手方向に沿って、前記帯状の部材の中央を挟み込んで対向した、前記帯状の部材を貫通した前記孔部の列では、前記帯状に部材の、他方の端部から一方の端部に向い前記孔部同士の間隔が広がり、
前記帯状の部材の他方の端部から前記孔部までの間隔は最も狭く、前記帯状の部材の他方の端部から前記孔部までの間隔より広い、前記帯状の部材の他方の端部側の少なくとも二組の前記孔部同士の間隔が等しく、前記帯状の部材の他方の端部側の前記孔部同士の間隔は、前記帯状の部材の他方の端部側の少なくとも二組の前記孔部同士の間隔の内、前記帯状の部材の一方の端部側の、前記孔部同士の間隔を形成する前記孔部に隣接する、前記帯状の部材の一方の端部側に向かう前記孔部同士の間隔の１／２であり、
前記帯状の部材の他方の端部側の少なくとも二組の前記孔部同士の間隔の内、前記帯状の部材の一方の端部側の、前記孔部同士の間隔を形成する前記孔部に隣接する、前記帯状の部材の一方の端部側に向かう前記孔部同士の間隔は等しく形成され、
前記帯状の部材を渦巻き状の空間曲線に形成した際に、前記挿入部側となる前記帯状の部材の側部の、前記側部に沿って、前記円弧部に隣接して前記帯状の部材を貫通した孔部の列では、前記帯状の部材の他方の端部から最初の前記孔部の間隔は、最初の前記孔部からの前記孔部の列における前記孔部同士の間隔の１／２であり、
最初の前記孔部から前記帯状の部材の一方の端部側に向かう前記孔部同士の間隔は等しく形成されることを特徴とする請求項６に記載の仕立用支柱。
【請求項８】
前記挿入部と前記帯状の部材との連結に際しては、前記挿入部及び前記帯状の部材の、前記円弧部を避けて、前記挿入部の他方の平面部と前記帯状の部材の他方の平面部とを重なり合わせ、前記挿入部の一方の端部側と前記帯状の部材の一方の端部側と固定し、前記挿入部に対して前記帯状の部材が鈍角方向に伸びることを特徴とする請求項７に記載の仕立用支柱。
【請求項９】
前記挿入部の長手方向の延長方向に対する横断方向に対して、前記第一湾曲部の円弧がなす第一角度、前記挿入部の長手方向の延長方向に対する横断方向に対して、前記第二湾曲部の円弧がなす第二角度、及び前記第二角度から伸びる前記第二湾曲部の円弧が前記挿入部の長手方向の延長方向に対する横断方向に対してなす第三角度が、前記第一角度、前記第二角度、及び前記第三角度の順に小さく形成され、
前記第一湾曲部の円弧は第一円周に沿い、前記第二湾曲部の円弧の一部は第二円周に沿い、前記第二角度から前記第三角度に変化した前記第二湾曲部では、前記第二湾曲部の円弧は第三円周に沿い、前記第一円周、前記第二円周及び前記第三円周の順に外径が大きく形成されていることを特徴とする請求項８に記載の仕立用支柱。
【考案の詳細な説明】
【技術分野】
【０００１】
本考案は、蔓（茎）に花を付ける植物、或いは蔓（茎）に花を付ける植物を模した造花等を観賞するための仕立用支柱に関する。
【背景技術】
【０００２】
胡蝶蘭１１０の鉢植えでは、胡蝶蘭１１０の花茎１４０を鑑賞用に最適な角度に仕立てるために支柱１００が用いられている。例えば、図３９に示すように、先ず真直に上方へ伸びた花茎１４０が一定の長さになったところで真直支柱１００ａを花茎１４０に沿わせて立設し、要所をクリップ或いは止着部材１５０等で結び止めする。そのまま伸びるに任せ、つぼみ１６０が数個開きかけたところで、真直支柱１００ａの上部を花茎１４０の湾曲し始める部位に合わせて切断し、その真直支柱１００ａの上端部に花茎１４０を結び止めすると共に、湾曲支柱１００ｂを継ぎ足して、その湾曲部へ花茎１４０の先端部を結び止めし、真直支柱１００ａが短い場合は図示の如くその真直支柱１００ａに湾曲支柱１００ｂを継ぎ足して、花茎１４０の湾曲し始める部位と花茎１４０の先端部を湾曲支柱１００ｂへ結び止めし、大半の花が開く出荷時まで待つ。その間、花茎１４０は湾曲支柱１００ｂに沿って伸び、花びら１７０、１７０・・・は揃って正面を向く（特許文献１）。
【先行技術文献】
【特許文献】
【０００３】
【特許文献１】特開平７−２３６６４（段落０００８ 図４）
【考案の概要】
【考案が解決しようとする課題】
【０００４】
そして、こうした支柱１００を用いた花茎１４０の仕立て方は、花茎１４０を湾曲させ、先端が下方に垂れ下がった状態とするのが一般的である。この仕立て方では、花茎１４０が湾曲し、先端が下方に垂れ下がって花びら１７０、１７０、・・・が向く方向が観賞に適することになる。従って、鉢植えの胡蝶蘭１１０を室内等に置く場合には、花びら１７０、１７０、・・・が向く方向を室内の中心を向くように配置することになる。つまり、鉢植えの胡蝶蘭１１０の、湾曲した花茎１４０の花びら１７０、１７０、・・・がない花茎１４０側を室内の壁側に向けることになる。そのため、胡蝶蘭１１０の鉢植えは、室内等においては壁側に配置されるのが一般的になっている。本来、胡蝶蘭１１０はその美しさからどんな場所にも配置されるべきものであるが、机上、例えば会議テーブル等の中央に配置されることはほとんどない。これは、鉢植え胡蝶蘭１１０の仕立てにおいて、花茎１４０を湾曲させて花びら１７０、１７０、・・・がある花茎１４０の部分と、花びら１７０、１７０、・・・がない花茎１４０側の部分とに明確に分かれてしまうことにある。つまり、机上等における座る位置によって花びら１７０、１７０、・・・と向き合ったり、花びら１７０、１７０、・・・がない花茎１４０と向き合ったりすることになるためである。以上のように、胡蝶蘭１１０は、花茎１４０が湾曲し、花びら１７０、１７０、・・・が下方に垂れ下がる一方向だけしか観賞に適していない。
【０００５】
また、胡蝶蘭１１０の仕立てでは、花茎１４０を湾曲させ、先端が下方に垂れ下がった状態として、花びら１７０、１７０・・・を観賞用に最適な角度にしている。そのため、垂れ下がって花びら１７０、１７０、・・・のある花茎１４０側が鉢の幅を越えて突出するのが一般的であり、いわゆる三本立ち、五本立ちということになると胡蝶蘭１１０の数が増えるによる横幅が広がることに加え、花びら１７０、１７０、・・・がある花茎１４０の部分と、鉢側の花びら１７０、１７０、・・・がない花茎１４０の部分との前後方向の幅の広がりが生じる。そのため、胡蝶蘭１１０の鉢植えを置くことになる室内では、配置される胡蝶蘭１１０の植木によりかなりの領域を占有されることになる。そのため、狭い室内には、多数の胡蝶蘭１１０の鉢植えを配置することが不可能となることもある。
【０００６】
本考案は、上記の事情に鑑みなされたものであり、胡蝶蘭をあらゆる方向から観賞することを可能にし、室内の大きさに拘わらず、胡蝶蘭（花）の向きを考慮することなく胡蝶蘭の配置を可能にする仕立用支柱の提供を目的とする。
【課題を解決するための手段】
【０００７】
さらに、請求項１に記載の考案は、帯状の部材を湾曲させて、植物、或いは造花の茎を前記帯状の部材に沿わせることで前記植物、或いは前記造花を支持する仕立用支柱において、前記帯状の部材に接続された、基台に組み込む挿入部の面部側同士を対向させ、前記挿入部に連続して、前記挿入部の終端である前記帯状の部材の一方の端部から前記挿入部に対して鈍角方向に伸びて円弧として形成された第一湾曲部と、前記第一湾曲部は、中心を前記挿入部の面部同士を離して前記挿入部の面部同士の間の中央を中心にして渦巻き状の平板として前記帯状の部材の他方の端部側に向かって形成され、前記渦巻き状の平板が形成されて、前記第一湾曲部が伸びてきた方向と、前記第一湾曲部が伸びてきた方向とは異なる方向に切り替わる第二変曲部が形成され、前記第二変曲部から、前記第一湾曲部に連続して、前記第一変曲部から離れる方向に向って円弧として形成された第二湾曲部と、前記第二湾曲部は、中心を前記挿入部の面部同士を離して前記挿入部の面部同士の間の中央を中心にして渦巻き状の平板として前記帯状の部材の他方の端部側に向かって形成されたことを特徴とする。
【０００８】
従って、請求項１に記載の考案によれば、仕立用支柱は、複数の、挿入部を接続した帯状の部材を用いて、基台に組み込む挿入部の面部側同士を対向させ、挿入部から連続して第一湾曲部が形成され、その第一湾曲部から連続して、第一湾曲部が伸びてきた方向とは異なる方向に切り替わり、第二湾曲部が形成されることで渦巻き状の平板が形成されている。つまり、各帯状の部材は、一方の端部側は挿入部が形成されており、挿入部同士を対向して配置することになる。各帯状の部材の、挿入部の終端である第一変曲部からは第一湾曲部が形成されており、第一湾曲部は挿入部に対して鈍角方向に円弧として伸びて形成されている。第一湾曲部が円弧として伸びる方向は、帯状の部材の他方の端部側に向かうとともに、例えば、対向する挿入部同士の外側から囲む円弧をなして伸びる方向となっている。例えば、第一湾曲部が伸びることで対向する挿入部同士の外側から囲み、複数の第一湾曲部が円弧をなして伸び、帯状の部材が切り替わる（反転する）位置が第二変曲部をなすことになる。そして、第二変曲部は各帯状の部材に形成されることになる。この第二変曲部からは第二湾曲部が第一湾曲部に連続して円弧として、第一変曲部から離れる方向である、帯状の部材の他方の端部側に伸びていく。そして、同様に、第二湾曲部が伸びることで対向する挿入部同士の外側から囲み、複数の第二湾曲部が円弧をなして伸びていく。というように変曲部、湾曲部の形成を繰り返して複数の帯状の部材による渦巻き状の空間曲線（渦巻き状の平面部）が形成されることになる。このように、各帯状の部材で以上の第一湾曲部及び第二湾曲部が形成されることで、各帯状の部材ごとの渦巻き状の空間曲線（渦巻き状の平板（平面部）））が形成されることになる。
【０００９】
その結果、その渦巻き状の平板に蔓（茎）に花を付ける植物、或いは蔓（茎）に花を付ける植物を模した造花等をはわす（巻き付ける）ことで蔓に付いた花が渦巻き状に咲いている状態を実現することでき、仕立用支柱のどの方向にも花を付けた状態になる（仕立用支柱の回り花が付いた状態になる）。また、仕立用支柱は全体が帯状の部材により渦巻き状の平板（平面部）をなしているので、蔓（茎）に花を付ける植物、或いは蔓（茎）に花を付ける植物を模した造花等をコンパクトにまとめることができ、仕立用支柱を用いることで蔓（茎）に花を付ける植物、或いは蔓（茎）に花を付ける植物を模した造花等を室内等に配置する際に広い領域を占有することがなくなる。
【００１０】
また、請求項２に記載の考案は、帯状の部材を湾曲させて、植物、或いは造花の茎を前記帯状の部材に沿わせることで前記植物、或いは前記造花を支持する仕立用支柱において、前記帯状の部材の一方の端部に接続された挿入部に連続して、前記挿入部の終端である前記帯状の部材の一方の端部から前記挿入部に対して鈍角方向に伸びて円弧として形成された第一湾曲部と、前記第一湾曲部は、渦巻き状の平板として前記帯状の部材の他方の端部側に向かって形成され、前記渦巻き状の平板が形成されて、前記第一湾曲部が伸びてきた方向と、前記第一湾曲部が伸びてきた方向とは異なる方向に切り替わる第二変曲部が形成され、前記第二変曲部から、前記第一湾曲部に連続して、前記第一変曲部及び前記第二変曲部から離れる方向に向って円弧として形成された第二湾曲部と、前記第二湾曲部は、渦巻き状の平板として前記帯状の部材の他方の端部側に向かって形成され、前記渦巻き状の平板が形成されて、前記第二湾曲部が伸びてきた方向と、前記第二湾曲部が伸びてきた方向とは異なる方向に切り替わる第三変曲部が形成され、前記第三変曲部から、前記第二湾曲部に連続して、前記第三変曲部から離れる方向に向って円弧として形成された第三湾曲部と、前記第三湾曲部は、渦巻き状の平板として前記帯状の部材の他方の端部側に向かって伸びて、前記帯状の部材は、前記挿入部の状態に対して少なくとも一回転しながら、渦巻き状の形状として前記帯状の部材の他方の端部側に向かって形成され、前記帯状の部材の他方の端部が前記挿入部の終端である前記帯状の部材の一方の端部より上方側に形成されていることを特徴とする。
【００１１】
従って、請求項２に記載の考案によれば、仕立用支柱は、挿入部を接続した帯状の部材を用いて、挿入部から連続して第一湾曲部が形成され、その第一湾曲部から連続して、第一湾曲部が伸びてきた方向とは異なる方向に切り替わり、第二湾曲部が形成されることで渦巻き状の平板が形成されており、さらに同様に、第二変曲部、第二湾曲部、第三変曲部、第三湾曲部と続き、帯状の部材は、挿入部の状態に対して少なくとも一回転しながら、渦巻き状の形状を形成している。つまり、帯状の部材は、一方の端部側は挿入部が形成されており、帯状の部材の、挿入部の終端である第一変曲部からは第一湾曲部が形成されており、第一湾曲部は挿入部に対して鈍角方向に円弧として伸びて形成されている。第一湾曲部が円弧として伸びる方向は、帯状の部材の他方の端部側に向かうとともに、例えば、挿入部の外側から囲む円弧をなして伸びる方向となっている。第一湾曲部が伸びることで挿入部の外側から囲み、第一湾曲部が円弧をなして伸び、第一湾曲部が切り替わる（反転する）位置が第二変曲部をなすことになる。そして、第二変曲部からは第二湾曲部が第一湾曲部に連続して円弧として、第一変曲部及び第二変曲部から離れる方向である、帯状の部材の他方の端部側に伸びていく。そして、同様に、第二湾曲部が伸びることで挿入部の外側から囲み、第二湾曲部が円弧をなして伸び、第二湾曲部が切り替わる（反転する）位置が第三変曲部をなすことになる。そして、同様に、この第三変曲部からは第三湾曲部が第二湾曲部に連続して円弧として、第二変曲部から離れる方向である、帯状の部材の他方の端部側に伸びていく。というように変曲部、湾曲部の形成を繰り返して帯状の部材による渦巻き状の空間曲線（渦巻き状の平板（平面部））が形成されることになる。
【００１２】
その結果、その渦巻き状の平板に蔓（茎）に花を付ける植物、或いは蔓（茎）に花を付ける植物を模した造花等をはわす（巻き付ける）ことで蔓に付いた花が渦巻き状に咲いている状態を実現することでき、仕立用支柱のどの方向にも花を付けた状態になる（仕立用支柱の回り花が付いた状態になる）。また、仕立用支柱は全体が渦巻き状の平板をなしているので、蔓（茎）に花を付ける植物、或いは蔓（茎）に花を付ける植物を模した造花等をコンパクトにまとめることができ、仕立用支柱を用いることで蔓（茎）に花を付ける植物、或いは蔓（茎）に花を付ける植物を模した造花等を室内等に配置する際に広い領域を占有することがなくなる。
【００１３】
さらに、請求項３に記載の考案は、請求項１又は２に記載の構成に加え、胡蝶蘭の花茎の先端側に向かってアンダーセパル、以下リップを含んだペダル、トップセパルの順の前記胡蝶蘭の花が付いた前記胡蝶蘭の花茎を、前記帯状の部材の渦巻き状の平板に沿わせることで、前記胡蝶蘭の花茎を前記帯状の部材に渦巻き状に形成したことを特徴とする。
【００１４】
従って、請求項３に記載の考案によれば、胡蝶蘭の花茎を仕立用支柱の渦巻き状の形状をなす帯状の部材（渦巻き状の平板）に沿ってはわせる（巻き付ける）ことにより、容易に渦巻き状に胡蝶蘭の花茎を曲げることが可能になり、胡蝶蘭の花を仕立用支柱（渦巻き状の形状の小孔部の列）の回りに咲かせた状態にすることが可能になる。また、蔓（茎）に花を付ける植物を模した造花等の胡蝶蘭の花の場合でも、同様に、胡蝶蘭の花茎を仕立用支柱に沿って渦巻き状に形成することになる。
【００１５】
また、請求項４に記載の考案は、請求項１又は２に記載の構成に加え、胡蝶蘭の花茎の先端側に向かってトップセパル、以下リップを含んだペダル、アンダーセパルの順の前記胡蝶蘭の花が付いた前記胡蝶蘭の花茎を、前記帯状の部材の渦巻き状の平板に沿わせることで、前記胡蝶蘭の花茎を前記帯状の部材に渦巻き状に形成したことを特徴とする。
【００１６】
従って、請求項４に記載の考案によれば、胡蝶蘭の花茎を仕立用支柱の渦巻き状の形状をなす帯状の部材（渦巻き状の平板）に沿ってはわせる（巻き付ける）ことにより、容易に渦巻き状に胡蝶蘭の花茎を曲げることが可能になり、胡蝶蘭の花を仕立用支柱（渦巻き状の形状の小孔部の列）の回りに咲かせた状態にすることが可能になるとともに、胡蝶蘭の花を、胡蝶蘭の花茎の先端側に向かってトップセパル（上がく片）が上になり、以下リップ（唇弁）を含んだペダル（花弁）、アンダーセパル（下がく片）の順になった状態にすることが可能になり、観賞し易い状態を可能にする。また、蔓（茎）に花を付ける植物を模した造花等の胡蝶蘭の花の場合でも、同様に、胡蝶蘭の花茎を仕立用支柱に沿って渦巻き状に形成することになる。
【００１７】
また、胡蝶蘭の花を、胡蝶蘭の花茎の先端側に向かってトップセパル（上がく片）が上になり、以下リップ（唇弁）を含んだペダル（花弁）、アンダーセパル（下がく片）の順にするために、以下の生長工程を経ることになる。胡蝶蘭の株を基台に植え込み、胡蝶蘭の株から伸びる花茎を支持するために、胡蝶蘭の花茎に隣接して支え棒を設け、胡蝶蘭の花茎の株側を支え棒に紐状の部材によって固定して胡蝶蘭を生長させ、胡蝶蘭の株から伸びる花茎に付く蕾の内、少なくとも一つが蕾の、花茎側の底部から蕾の頂部までの長さが２ｃｍなるまで胡蝶蘭を生長させ、胡蝶蘭の株から伸びる花茎に付く蕾の内、少なくとも一つが蕾の、花茎側の底部から蕾の頂部までの長さが２ｃｍを超えたところで、胡蝶蘭の花茎の先端側を立ち上がらせ、胡蝶蘭の花茎を基台に対して直立させた状態にして胡蝶蘭の花を咲かせることで、胡蝶蘭の花茎の先端側に向かってトップセパル（上がく片）が上になり、以下リップ（唇弁）を含んだペダル（花弁）、アンダーセパル（下がく片）の順になった状態にすることが可能になる。つまり、従来の胡蝶蘭の花茎を湾曲させた状態で胡蝶蘭Ａの花を咲かせた状態と同じになる。また、蔓（茎）に花を付ける植物を模した造花等の胡蝶蘭の花の場合には、予め造花等の製造時に胡蝶蘭の花茎の先端側に向かってトップセパル（上がく片）が上になり、以下リップ（唇弁）を含んだペダル（花弁）、アンダーセパル（下がく片）の順に製造し、胡蝶蘭の花茎を仕立用支柱（渦巻き状の平板）に沿って渦巻き状に形成することになる。
【００１８】
さらに、請求項５に記載の考案は、帯状の部材を湾曲させて、植物、或いは造花の茎を前記帯状の部材に沿わせることで前記植物、或いは前記造花を支持する仕立用支柱において、前記帯状の部材の一方の端部に接続された挿入部に連続して、前記挿入部の終端である前記帯状の部材の一方の端部から前記挿入部に対して鈍角方向に伸びて円弧として形成された第一湾曲部と、前記第一湾曲部は、渦巻き状の平板として前記帯状の部材の他方の端部側に向かって形成され、前記渦巻き状の平板が形成されて、前記第一湾曲部が伸びてきた方向と、前記第一湾曲 部が伸びてきた方向とは異なる方向に切り替わる第二変曲部が形成され、前記第二変曲部から、前記第一湾曲部に連続して、前記第二変曲部から離れる方向に向って円弧として形成された第二湾曲部と、前記第二湾曲部は、渦巻き状の平板として前記帯状の部材の他方の端部側に向かって形成され、前記帯状の部材の他方の端部が前記挿入部の終端である前記帯状の部材の一方の端部より上方側に形成されていることを特徴とする。
【００１９】
従って、請求項５に記載の考案によれば、仕立用支柱は、挿入部を接続した帯状の部材を用いて、挿入部から連続して第一湾曲部が形成され、その第一湾曲部から連続して、第一湾曲部が伸びてきた方向とは異なる方向に切り替わり、第二湾曲部が形成されることで渦巻き状の平板が形成されて、渦巻き状の形状を形成している。つまり、帯状の部材は、一方の端部側は挿入部が形成されており、帯状の部材の、挿入部の終端である第一変曲部からは第一湾曲部が形成されており、第一湾曲部は挿入部に対して鈍角方向に円弧として伸びて形成されている。第一湾曲部が円弧として伸びる方向は、帯状の部材の他方の端部側に向かうとともに、例えば、挿入部の外側から囲む円弧をなして伸びる方向となっている。第一湾曲部が伸びることで挿入部の外側から囲み、第一湾曲部が円弧をなして伸び、第一湾曲部が切り替わる（反転する）位置が第二変曲部をなすことになる。そして、第二変曲部からは第二湾曲部が第一湾曲部に連続して円弧として、第一変曲部から離れる方向である、帯状の部材の他方の端部側に伸びていく。というように変曲部、湾曲部の形成を繰り返して帯状の部材による渦巻き状の空間曲線（渦巻き状の平板（平面部））が形成されることになる。
【００２０】
その結果、その渦巻き状の平板に蔓（茎）に花を付ける植物、或いは蔓（茎）に花を付ける植物を模した造花等をはわす（巻き付ける）ことで蔓に付いた花が渦巻き状に咲いている状態を実現することでき、仕立用支柱のどの方向にも花を付けた状態になる（仕立用支柱の回り花が付いた状態になる）。また、仕立用支柱は全体が渦巻き状の平板をなしているので、蔓（茎）に花を付ける植物、或いは蔓（茎）に花を付ける植物を模した造花等をコンパクトにまとめることができ、仕立用支柱を用いることで蔓（茎）に花を付ける植物、或いは蔓（茎）に花を付ける植物を模した造花等を室内等に配置する際に広い領域を占有することがなくなる。
【００２１】
また、請求項６に記載の考案は、請求項２又は５に記載の構成に加え、基台に挿入する、長方形の形状に形成され、前記長方形の形状の両長辺側の縁部側が一方の平面部側に折り返され、前記縁部側が前記一方の平面部に当接することで前記長辺側に円弧部が形成され、前記円弧部が前記長辺に沿って、前記長方形の形状の両短辺側まで伸びる、板状の部材である挿入部と、前記挿入部に連結された平面部の一方の端部から他方の端部の、長手方向に沿って、前記一方の端部から前記他方の端部まで伸びる側部を傾斜させることで前記平面部の、前記一方の端部側から前記他方の端部側に向かって広げて形成し、前記側部側の縁部側が前記平面部側に折り返され、前記縁部側が前記平面部に当接することで前記側部側に円弧部が形成され、前記円弧部が前記側部に沿って、前記平面部の、一方の端部から他方の端部まで伸びる、板状の部材である帯状の部材と、を備え、前記帯状の部材では、前記平面部の他方の端部側では、前記平面部の中央を前記平面部の長手方向に沿って、前記平面部の中央を挟み込んで対向した、前記平面部を貫通した孔部の列が形成され、前記平面部の長手方向に沿っての、前記平面部の他方の端部側の前記孔部の列の間隔は、前記平面部の一方の端部側に向かう前記孔部の列の間隔に比べ狭く形成され、前記帯状の部材を渦巻き状の空間曲線に形成した際に、前記挿入部側となる前記平面部の側部には、前記側部に沿って、前記円弧部に隣接して前記平面部を貫通した孔部の列が形成され、前記側部の長手方向に沿っての、前記平面部の他方の端部から最初の前記孔部の間隔は、前記平面部の一方の端部側に向かう前記孔部の列の間隔に比べ狭く形成され、前記帯状の部材を渦巻き状の空間曲線に形成した際に、前記挿入部側となる前記平面部の側部に形成された前記孔部に、前記挿入部側に伸びる支柱が組み込まれることを特徴とする。
【００２２】
従って、請求項６に記載の考案によれば、仕立用支柱では、挿入部は基台に差し込めるように板状の部材であり、挿入部の縁部側に円弧部が形成されて、胡蝶蘭の花茎が挿入部に接触しても胡蝶蘭の花茎に傷つけることを防ぎ、挿入部に連結された帯状の部材は、帯状の部材の平面部の、一方の端部から他方の端部の、長手方向に沿って、帯状の部材の平面部の、一方の端部から他方の端部まで伸びる側部を傾斜させることで帯状の部材の平板である平面部の、一方の端部側から他方の端部側に向かって帯状の部材の平面部を広げて形成して、帯状の部材の平面部の面積を次第に大きくすることで帯状の部材の平面部自体を湾曲し易くすることで曲面を形成することになり、帯状の部材を渦巻き状に形成することと相俟って帯状の部材における湾曲形成を容易することを可能にする。また、帯状の部材の側部側の縁部側に円弧部が形成されて、胡蝶蘭の花茎が帯状の部材の側部側に接触しても胡蝶蘭の花茎に傷つけることを防ぎ、さらに、帯状の部材では、平面部の他方の端部側では、平面部の中央を平面部の長手方向に沿って、平面部の中央を挟み込んで対向した、平面部を貫通した孔部の列が形成されることで、胡蝶蘭の花茎を帯状の部材の渦巻き状に形成された渦巻き状の平面部に沿ってはわせる（巻き付ける）際に、孔部に紐状の部材を通し、胡蝶蘭の花茎を固定することを可能にする。また、帯状の部材の渦巻き状の平面部の長手方向に沿っての、渦巻き状の平面部の他方の端部側の孔部の列の間隔は、渦巻き状の平面部の一方の端部側に向かう孔部の列の間隔に比べ狭く形成されていることで、胡蝶蘭の花茎の先端側の花（蕾）の間隔に対応することになり（胡蝶蘭の花茎の先端では花同士の間隔が短くなるということに対応することになり）、渦巻き状の平面部の一方の端部側に比べ短い間隔で胡蝶蘭の花茎を紐状の部材により固定することが可能になる。さらに、帯状の部材を渦巻き状の空間曲線（平面部）に形成した際に、挿入部側となる平面部の側部には、側部に沿って、円弧部に隣接して平面部を貫通した孔部の列が形成され、側部の長手方向に沿っての、平面部の他方の端部から最初の孔部の間隔は、平面部の一方の端部側に向かう孔部の列の間隔に比べ狭く形成されることで、孔部に組み込む支柱を用いた際に、渦巻き状の平面部の他方の端部側の支持を容易することが可能になる。また、帯状の部材を渦巻き状の空間曲線に形成した後に、挿入部側となる平面部の側部に形成された孔部に支柱が組み込まれ、支柱が挿入部側に伸びて帯状の部材を支持することが可能になる。
【００２３】
さらに、請求項７に記載の考案は、請求項６に記載の構成に加え、前記帯状の部材の中央を前記帯状の部材の長手方向に沿って、前記帯状の部材の中央を挟み込んで対向した、前記帯状の部材を貫通した前記孔部の列では、前記帯状に部材の、他方の端部から一方の端部に向い前記孔部同士の間隔が広がり、前記帯状の部材の他方の端部から前記孔部までの間隔は最も狭く、前記帯状の部材の他方の端部から前記孔部までの間隔より広い、前記帯状の部材の他方の端部側の少なくとも二組の前記孔部同士の間隔が等しく、前記帯状の部材の他方の端部側の前記孔部同士の間隔は、前記帯状の部材の他方の端部側の少なくとも二組の前記孔部同士の間隔の内、前記帯状の部材の一方の端部側の、前記孔部同士の間隔を形成する前記孔部に隣接する、前記帯状の部材の一方の端部側に向かう前記孔部同士の間隔の１／２であり、前記帯状の部材の他方の端部側の少なくとも二組の前記孔部同士の間隔の内、前記帯状の部材の一方の端部側の、前記孔部同士の間隔を形成する前記孔部に隣接する、前記帯状の部材の一方の端部側に向かう前記孔部同士の間隔は等しく形成され、前記帯状の部材を渦巻き状の空間曲線に形成した際に、前記挿入部側となる前記帯状の部材の側部の、前記側部に沿って、前記円弧部に隣接して前記帯状の部材を貫通した孔部の列では、前記帯状の部材の他方の端部から最初の前記孔部の間隔は、最初の前記孔部からの前記孔部の列における前記孔部同士の間隔の１／２であり、最初の前記孔部から前記帯状の部材の一方の端部側に向かう前記孔部同士の間隔は等しく形成されることを特徴とする。
【００２４】
従って、請求項７に記載の考案によれば、帯状の部材の中央を帯状の部材の長手方向に沿って形成された、孔部の列では、帯状の部材の、他方の端部から一方の端部に向い孔部同士の間隔が広がることで、胡蝶蘭の花茎に付く花の間隔に孔部を合わせることが可能になり、帯状の部材の、他方の端部側の胡蝶蘭の花茎に付く花の間隔が狭い箇所でも胡蝶蘭の花茎の固定を可能にする。つまり、帯状の部材の他方の端部側では、他方の端部から孔部までの最も狭い間隔をなし、次いで、他方の端部から孔部までの間隔より広い、帯状の部材の他方の端部側の少なくとも二組の孔部同士の間隔をなし、その二組の孔部同士の間隔に続く、さらに広い孔部同士の間隔が形成され、そのさらに広い孔部同士の間隔で続き、二組の孔部同士の間隔はさらに広い孔部同士の間隔の１／２をなすことで、より胡蝶蘭の花茎の花の間隔に対応することになり、孔部に紐状の部材を通して胡蝶蘭の花茎を固定し易くすることを可能にする。また、帯状の部材を渦巻き状の空間曲線に形成した際に、挿入部側となる帯状の部材の側部に沿って孔部の列を形成し、帯状の部材の他方の端部から最初の孔部の間隔は、最初の孔部からの孔部の列における孔部同士の間隔の１／２にし、最初の孔部から帯状の部材の一方の端部側に向かう孔部同士の間隔を等しくすることで、孔部に支柱を組み込んだ際に、渦巻き状の空間曲線を形成した帯状の部材を支持し易くすることが可能になる。
【００２５】
また、請求項８に記載の考案は、請求項７に記載の構成に加え、前記挿入部と前記帯状の部材との連結に際しては、前記挿入部及び前記帯状の部材の、前記円弧部を避けて、前記挿入部の他方の平面部と前記帯状の部材の他方の平面部とを重なり合わせ、前記挿入部の一方の端部側と前記帯状の部材の一方の端部側と固定し、前記挿入部に対して前記帯状の部材が鈍角方向に伸びることを特徴とする。
【００２６】
従って、請求項８に記載の考案によれば、挿入部と帯状の部材との連結では、挿入部、帯状の部材それぞれに形成された円弧部を避けて安定した連結（固定）を行い、連結（固定）に際しては、挿入部に対して帯状の部材が鈍角方向に伸ばすことで帯状の部材で渦巻き状の平面部を形成により、帯状の部材の、一方の端部から他方の端部へ渦巻き状が伸びた状態の実現を可能にする。
【００２７】
さらに、請求項９に記載の考案は、請求項８に記載の構成に加え、前記挿入部の長手方向の延長方向に対する横断方向に対して、前記第一湾曲部の円弧がなす第一角度、前記挿入部の長手方向の延長方向に対する横断方向に対して、前記第二湾曲部の円弧がなす第二角度、及び前記第二角度から伸びる前記第二湾曲部の円弧が前記挿入部の長手方向の延長方向に対する横断方向に対してなす第三角度が、前記第一角度、前記第二角度、及び前記第三角度の順に小さく形成され、前記第一湾曲部の円弧は第一円周に沿い、前記第二湾曲部の円弧の一部は第二円周に沿い、前記第二角度から前記第三角度に変化した前記第二湾曲部では、前記第二湾曲部の円弧は第三円周に沿い、前記第一円周、前記第二円周及び前記第三円周の順に外径が大きく形成されていることを特徴とする。
【００２８】
従って、請求項９に記載の考案によれば、帯状の部材の、第一湾曲部がなす角度（第一角度）、第二湾曲部がなす角度（第二角度、第三角度）を変えて、帯状の部材の、一方の端部から他方の端部へ向かい角度を小さくし、それぞれの角度での帯状の部材の部分での円弧が載る円周（第一円周、第二円周、及び第三円周）が帯状の部材の、一方の端部から他方の端部へ向かい外径が大きくなることで、帯状の部材にはわす（巻き付ける）蔓（茎）に花を付ける植物、或いは蔓（茎）に花を付ける植物を模した造花等を看る者に与える印象に工夫を凝らすことが可能になる。
【００２９】
また、請求項１０に記載の考案は、請求項９に記載の構成に加え、前記帯状の部材を渦巻き状の空間曲線に形成した際に、前記挿入部側となる前記帯状の部材の側部に形成された前記孔部に組み込まれる前記支柱は、前記支柱の一方の端部側が渦巻き状の前記帯状の部材の孔部に取り付けられ、前記支柱の他方の端部側は、前記挿入部側に伸びて、前記基台内に入り込み、前記基台内で前記他方の端部側が支持され、前記基台上で前記帯状の部材を支持することを特徴する。
【００３０】
従って、請求項１０に記載の考案によれば、帯状の部材を渦巻き状の平面部（空間曲線）に形成した際に、挿入部側となる帯状の部材の側部に形成された孔部に支柱が組み込まれ、支柱の一方の端部側が孔部に取り付けられ、支柱の他方の端部側は、基台である植木鉢等内に入り込むことで、渦巻き状の帯状の部材を支持し、帯状の部材がなす渦巻き状の状態を維持することが可能になる。
【００３１】
さらに、請求項１１に記載の考案は、請求項１０に記載の構成に加え、胡蝶蘭の花茎の先端側に向かってアンダーセパル、以下リップを含んだペダル、トップセパルの順の前記胡蝶蘭の花が付いた前記胡蝶蘭の花茎を、前記前記帯状の部材を渦巻き状の平板に沿わせることで、前記胡蝶蘭の花茎を前記帯状の部材に渦巻き状に形成したことを特徴とする。
【００３２】
従って、請求項１１に記載の考案によれば、胡蝶蘭の花茎を仕立用支柱の渦巻き状の形状をなす帯状の部材（渦巻き状の平板）に沿ってはわせる（巻き付ける）ことにより、容易に渦巻き状に胡蝶蘭の花茎を曲げることが可能になり、胡蝶蘭の花を仕立用支柱（渦巻き状の形状をなす帯状の部材）の回りに咲かせた状態にすることが可能になる。また、蔓（茎）に花を付ける植物を模した造花等の胡蝶蘭の花の場合でも、同様に、胡蝶蘭の花茎を仕立用支柱に沿って渦巻き状に形成することになる。
【００３３】
また、請求項１２に記載の考案は、請求項１０に記載の構成に加え、胡蝶蘭の花茎の先端側に向かってトップセパル、以下リップを含んだペダル、アンダーセパルの順の前記胡蝶蘭の花が付いた前記胡蝶蘭の花茎を、前記前記帯状の部材を渦巻き状の平板に沿わせることで、前記胡蝶蘭の花茎を前記帯状の部材に渦巻き状に形成したことを特徴とする。
【００３４】
従って、請求項１２に記載の考案によれば、胡蝶蘭の花茎を仕立用支柱の渦巻き状の形状をなす帯状の部材（渦巻き状の平板）に沿ってはわせる（巻き付ける）ことにより、容易に渦巻き状に胡蝶蘭の花茎を曲げることが可能になり、胡蝶蘭の花を仕立用支柱（渦巻き状の形状の帯状の部材）の回りに咲かせた状態にすることが可能になるとともに、胡蝶蘭の花を、胡蝶蘭の花茎の先端側に向かってトップセパル（上がく片）が上になり、以下リップ（唇弁）を含んだペダル（花弁）、アンダーセパル（下がく片）の順になった状態にすることが可能になり、観賞し易い状態を可能にする。また、蔓（茎）に花を付ける植物を模した造花等の胡蝶蘭の花の場合でも、同様に、胡蝶蘭の花茎を仕立用支柱に沿って渦巻き状に形成することになる。
【００３５】
また、胡蝶蘭の花を、胡蝶蘭の花茎の先端側に向かってトップセパル（上がく片）が上になり、以下リップ（唇弁）を含んだペダル（花弁）、アンダーセパル（下がく片）の順にするために、以下の生長工程を経ることになる。胡蝶蘭の株を基台に植え込み、胡蝶蘭の株から伸びる花茎を支持するために、胡蝶蘭の花茎に隣接して支え棒を設け、胡蝶蘭の花茎の株側を支え棒に紐状の部材によって固定して胡蝶蘭を生長させ、胡蝶蘭の株から伸びる花茎に付く蕾の内、少なくとも一つが蕾の、花茎側の底部から蕾の頂部までの長さが２ｃｍなるまで胡蝶蘭を生長させ、胡蝶蘭の株から伸びる花茎に付く蕾の内、少なくとも一つが蕾の、花茎側の底部から蕾の頂部までの長さが２ｃｍを超えたところで、胡蝶蘭の花茎の先端側を立ち上がらせ、胡蝶蘭の花茎を基台に対して直立させた状態にして胡蝶蘭の花を咲かせることで、胡蝶蘭の花茎の先端側に向かってトップセパル（上がく片）が上になり、以下リップ（唇弁）を含んだペダル（花弁）、アンダーセパル（下がく片）の順になった状態にすることが可能になる。つまり、従来の胡蝶蘭の花茎を湾曲させた状態で胡蝶蘭Ａの花を咲かせた状態と同じになる。また、蔓（茎）に花を付ける植物を模した造花等の胡蝶蘭の花の場合には、予め造花等の製造時に胡蝶蘭の花茎の先端側に向かってトップセパル（上がく片）が上になり、以下リップ（唇弁）を含んだペダル（花弁）、アンダーセパル（下がく片）の順に製造し、胡蝶蘭の花茎を仕立用支柱（渦巻き状の平面部）に沿って渦巻き状に形成することになる。
【考案の効果】
【００３６】
本考案によれば、直線部（或いは挿入部）に連続して湾曲部（第一湾曲部、第二湾曲部）である渦巻き状の空間曲線を形成して、渦巻き状の空間曲線（或いは渦巻き状の平面部）に沿って蔓に花を付ける植物、例えば蘭の蔓をはわして（巻き付けて）、渦巻き状の空間曲線（或いは渦巻き状の平面部）に取り付けるため、蔓にある花を渦巻き状の空間曲線（或いは渦巻き状の平面部）に対して任意の方向に向けることができる。そのため、蘭の蔓を渦巻き状の空間曲線（或いは渦巻き状の平面部）に巻き付けた仕立用支柱では、仕立用支柱の側面の全域にわたって（仕立用支柱の（中心）軸方向を取り囲む領域全体にわたって）花を備えさせることができ（仕立用支柱の側面（周囲）に花を付けているため）、仕立用支柱を見る方向にかかわらず花を見ることができる。
【００３７】
また、仕立用支柱の、湾曲部である渦巻き状の空間曲線（或いは渦巻き状の平面部）は円柱（円筒）形状に近い形状をなしているため、蘭のような蔓に花を付ける植物であっても、蔓を湾曲部である渦巻き状の空間曲線（或いは渦巻き状の平面部）にはわす（巻き付ける）ことで蔓をまとめるができる。そのため、蘭のような蔓に花を付ける植物を小さくまとめることを可能にし、室内等に配置するに際しても配置する領域が小さくて済む。また、仕立用支柱の周囲に花を備えているため、室内等の配置に際して花の向きを考慮せずに室内等のいずれの箇所に置くことができる。
【図面の簡単な説明】
【００３８】
【図１】本考案である、複数の棒状部材を組み合わせて形成した仕立用支柱の全体構成を示す説明図である。
【図２】図１に示す、仕立用支柱の、第一湾曲部と第二湾曲部との連結の状態を示す説明図である。（ａ）は、直線部と第一湾曲部とでなす角度と、第一湾曲部と第二湾曲部とでなす角度とを示す説明図である。（ｂ）は、第二変曲部を通る、仕立用支柱を横断する方向のラインＬに対する第一湾曲部及び第二湾曲部がなす角度を示す説明図である。（ｃ）は、仕立用支柱を横断する方向のラインＬに対する、第一湾曲部における接線と第二湾曲部における接線との角度を示す説明図である。
【図３】仕立用支柱の、第二変曲部同士を連結する連結部材を示す平面図である。（ａ）は、枝部が三本の場合の連結部材を示す説明図である。（ｂ）は、枝部が二本の場合の連結部材を示す説明図である。
【図４】図１に示す仕立用支柱と、その仕立用支柱の中に組み込まれる補強材である渦巻き状の部材を示す説明図である。
【図５】図１に示す仕立用支柱内に渦巻き状の部材を組み込んだ状態を示す説明図である。（ａ）は、図１に示す仕立用支柱内に渦巻き状の部材をそのままの状態で組み込んで、渦巻き状の部材を第一湾曲部及び第二湾曲部に固定した状態を示す説明図である。（ｂ）は、図１に示す仕立用支柱内に渦巻き状の部材を分断した細片を組み込み、細片を第一湾曲部及び第二湾曲部に固定した状態を示す説明図である。
【図６】例１による仕立用支柱に胡蝶蘭を巻き付けた状態の概略を示す説明図である。
【図７】本考案である、複数の棒状部材を組み合わせて形成した、例２による仕立用支柱の全体構成を示す説明図である。
【図８】例２による仕立用支柱に胡蝶蘭を巻き付けた状態の概略を示す説明図である。
【図９】本考案である、複数の棒状部材を組み合わせて形成した、例３による仕立用支柱の全体構成を示す説明図である。
【図１０】例３による仕立用支柱に胡蝶蘭を巻き付けた状態を示す説明図である。
【図１１】例３による別の形態の仕立用支柱に胡蝶蘭を巻き付けた状態を示す説明図である。
【図１２】本考案である、円筒状の部材で形成した、例４による仕立用支柱の全体構成を示す説明図である。
【図１３】図１２に示す、仕立用支柱の、第一湾曲部（湾曲部）に対応する小孔部の列と第二湾曲部（湾曲部）に対応する小孔部の列との連結の状態を示す説明図である。（ａ）は、変曲部を通る、仕立用支柱を横断する方向のラインＬに対する第一湾曲部（湾曲部）に対応する小孔部の列と第二湾曲部（湾曲部）に対応する小孔部の列とがなす角度を示す説明図である。（ｂ）は、仕立用支柱を横断する方向のラインＬに対する、第一湾曲部（湾曲部）に対応する小孔部の列における接線と第二湾曲部（湾曲部）に対応する小孔部の列における接線との角度を示す説明図である。
【図１４】例４による仕立用支柱に胡蝶蘭を巻き付けた状態を示す説明図である。
【図１５】本考案である、円筒状の部材で形成した、例５による仕立用支柱の全体構成を示す説明図である。
【図１６】例５による仕立用支柱に胡蝶蘭を巻き付けた状態を示す説明図である。
【図１７】本考案である、板状の部材で形成した、例６による仕立用支柱の全体構成を示す説明図である。
【図１８】例６による仕立用支柱に胡蝶蘭を巻き付けた状態を示す説明図である。
【図１９】本考案である、板状の部材で形成した、例７による仕立用支柱の全体構成を示す説明図である。
【図２０】例７による仕立用支柱に胡蝶蘭を巻き付けた状態を示す説明図である。
【図２１】例８による、渦巻き状に形成する前の帯状の部材を備えた仕立用支柱の全体を示す説明図である。
【図２２】仕立用支柱の帯状の部材の側部側を示す説明図である。（ａ）は、帯状の部材の長手方向に沿って、帯状の部材の側部の縁部側を一方の平面部側に折り曲げた状態を示す説明図である。（ｂ）は、帯状の部材の長手方向に沿って、帯状の部材の側部の縁部側をそれぞれ異なる一方の平面部側と、他方の平面部側とに折り曲げた状態を示す説明図である。（ｃ）は、（ｂ）に示す帯状の部材と挿入部との連結（溶接）の状態を示す説明図である。
【図２３】例８による、仕立用支柱の帯状の部材に形成された孔部の位置関係を示す説明図である。
【図２４】例８による仕立用支柱の詳細を示す説明図である。（ａ）は、図２２に示す、仕立用支柱の帯状の部材に形成された孔部の詳細を示す説明図である。（ｂ）は、帯状の部材と挿入部との連結（溶接）の詳細を示す説明図である。
【図２５】例８による、渦巻き状の帯状の部材を備えた仕立用支柱を、他方の端部側から一方の端部側に向かう方向から示す説明図である。
【図２６】図２４に示す、例８による仕立用支柱における、帯状の部材について渦巻き状に形成するために、傾斜させた帯状の部材の円弧の角度を示す説明図である。
【図２７】図２４に示す、例８による仕立用支柱における、帯状の部材について渦巻き状に形成するための、帯状の部材の円弧の径を示す説明図である。
【図２８】例８による仕立用支柱に胡蝶蘭を巻き付けた状態を示す説明図である。
【図２９】図２７に示す、仕立用支柱に胡蝶蘭を巻き付けた状態を他方の端部側から一方の端部側に向かう方向から示す説明図である。
【図３０】仕立用支柱に胡蝶蘭を巻き付けて固定した状態を詳細に示す説明図である。（ａ）は、仕立用支柱の、渦巻き状の帯状の部材に胡蝶蘭の花茎を固定し、仕立用支柱に支柱を取り付けた状態を示す説明図である。（ｂ）は、（ａ）のＸ−Ｘ線に沿って、渦巻き状の帯状の部材に形成された、孔部に紐状の部材を通し、孔部に紐状と仕立用支柱の他方の平面部とで胡蝶蘭の花茎を挟み込み、仕立用支柱の一方の平面部側で紐状の部材の端部側を結びつけた状態を断面方向から示す説明図である。
【図３１】図２９（ａ）のＹ−Ｙ線に沿って、渦巻き状の帯状の部材に形成された、孔部に支柱を組み込み、支柱の一方の端部にキャップを被し、支柱の他方の端部を植木鉢内（の充填材により）に差し込んだ状態を断面方向から示す説明図である。
【図３２】例１から例８に示す仕立用支柱に胡蝶蘭を巻き付けるために胡蝶蘭の花茎を湾曲した状態から立ち上がらせた状態を示す説明図である。（ａ）は、胡蝶蘭の花茎が湾曲して胡蝶蘭の花が咲いた状態を示す説明図である。（ｂ）は、胡蝶蘭の花茎が湾曲していた状態から立ち上がらせた状態を示す説明図である。
【図３３】胡蝶蘭の花を示す説明図である。（ａ）は、一般に観賞される胡蝶蘭の花の状態を示す説明図である。（ｂ）は、（ａ）の状態を反対にした状態を示す説明図である。
【図３４】図３２（ｂ）に示す胡蝶蘭の花茎を例２による仕立用支柱に巻き付けた状態を示す説明図である。
【図３５】図３２（ｂ）に示す胡蝶蘭の花茎を例４による仕立用支柱に巻き付けた状態を示す説明図である。
【図３６】図３２（ｂ）に示す胡蝶蘭の花茎を例６による仕立用支柱に巻き付けた状態を示す説明図である。
【図３７】胡蝶蘭の花茎を仕立用支柱に巻き付けた際に、胡蝶蘭の花が観賞される状態となるように胡蝶蘭の花の向きを調整する工程を示す説明図である。（ａ）は、胡蝶蘭の蕾が大きくなるまで胡蝶蘭の花茎を湾曲させた状態を示す説明図である。（ｂ）は、胡蝶蘭の蕾が大きくなり、胡蝶蘭の花茎を湾曲した状態から立ち上がらせた（植木鉢に対して直立させた）状態を示す説明図である。（ｃ）は、（ｂ）の状態で胡蝶蘭の花が開花した状態を示す説明図である。
【図３８】例１０による仕立用支柱に胡蝶蘭を巻き付けた状態を示す説明図である。
【図３９】特許文献１における、栽培段階を終えた洋ランの説明図である。
【考案を実施するための形態】
【００３９】
以下、本考案を実施するための形態について図面を参照して説明する。
【００４０】
（例１）
図１には、本考案である仕立用支柱１が示されている。仕立用支柱１は、金属製の針金状の細長い棒状部材２を複数用いて形成されている。本例においては、金属製の針金状の細長い棒状部材２は、太さ（外径）２ｍｍであるが、特に、太さ（外径）２ｍｍに限定されることはなく、好ましくは２ｍｍから３ｍｍ程度である。また、本例においては、９本の針金状の細長い棒状部材２を用いて仕立用支柱１を形成しているが、針金状の細長い棒状部材２は９本に限定されることはない。本例においては、複数の、針金状の細長い棒状部材２を間隔をおいて並べることで針金状の細長い棒状部材２の束２９を形成している。本例においては一例として針金状の細長い棒状部材２を三本並べることで一つの束２９を形成しているが、特に三本に限定されることなく何本でも束２９とすることは可能である。そして、このように形成した束２９同士を離して束２９同士が向かい合わせることで束２９同士で囲む形状を形成する。束２９同士で囲む形状は円を含めた正多角形の形状を目標に形成している。本例では、この針金状の細長い棒状部材２を屈曲させて、組み合わせることで仕立用支柱１を形成している。具体的には、９本の棒状部材２を三本ずつ三つの束２９に分けて、各三本の棒状部材２を同じ方向に屈曲させ、三つの束２９を組み合わせている。
【００４１】
各棒状部材２は、以下に示す形状をなしている。各棒状部材２の一方の端部２１より第一変曲部２３まで真っ直ぐに伸びた直線部２２を形成し、真っ直ぐに伸びた状態の終点である第一変曲部２３より各棒状部材２を湾曲させた状態になっている。この第一変曲部２３からは第一湾曲部２４が形成されており、第一湾曲部２４を湾曲させるに際しては、中心を束２９同士を離して束２９同士で囲む形状の中心にして渦巻き状の空間曲線２８１として棒状部材２の他方の端部２７側に向かって形成されている。その際、第一湾曲部２４は、直線部２２の端部である第一変曲部２３より、直線部２２に対して鈍角方向、本例では、図２に示すように、角度２２０°方向に伸びて円弧を形成することになる。つまり、直線部２２の延長方向（棒状部材２の他方の端部２７側方向）に第一湾曲部２４が第一変曲部２３から、図２（ａ）に示すように、直線部２２に対して角度２２０°方向に伸び、図１に示すように、直線部２２の延長方向（棒状部材２の他方の端部２７側方向）において、束２９同士で囲む形状（直線部２２の束２９同士で囲む形状）の外周に沿って伸び、束２９同士で囲む形状（直線部２２の束２９同士で囲む形状）を囲んで伸びることで円弧を形成している。そして、図１に示すように、第一変曲部２３から第一湾曲部２４が伸び、渦巻き状の空間曲線２８を形成するために第二湾曲部２６が第一湾曲部２４が伸びてきた方向とは異なる方向に切り替わり（反転し）、その切り替わる（反転した）位置が第二変曲部２５として形成される。つまり、第一湾曲部２４が伸びることで、第一湾曲部２４が束２９同士が囲む形状の外側から囲み、複数の第一湾曲部２４が円弧をなして伸び、複数の第一湾曲部２４が複数の棒状部材２により実質的に平面状の形状をなして、図１に示すように、その平面状の形状が切り替わる（反転する）位置が第二変曲部２５をなすことになる。そして、平面状の形状が切り替わる（反転する）位置である第二変曲部２５は各複数の棒状部材２に形成されることになる。
【００４２】
第二変曲部２５では、図１に示すように、第一変曲部２３から伸びてきた第一湾曲部２４より第二変曲部２５から伸びていく第二湾曲部２６が高い位置に向かう（第一変曲部２３から離れる方向に向かう）。つまり、第二湾曲部２６は、棒状部材２の他方の端部２７側方向へ伸びている。第二変曲部２５では、第一変曲部２３から伸びてきた第一湾曲部２４と第二変曲部２５から伸びていく第二湾曲部２６とが円弧状に滑らかにつながって連続している。また、本例では、第一変曲部２３から伸びてきた第一湾曲部２４の接線（方向）と第二変曲部２５から伸びていく第二湾曲部２６の接線（方向）とでなす角度γをなしており、本例では、図２に示すように、角度２００°方向に伸びて円弧を描くことになる。つまり、直線部２２の延長方向（棒状部材２の他方の端部２７側方向）に第二変曲部２５から第二湾曲部２６が伸び、図１に示すように、直線部２２の延長方向（棒状部材２の他方の端部２７側方向）において、束２９同士で囲む形状（直線部２２の束２９同士で囲む形状）の外周に沿って伸び、束２９同士で囲む形状（直線部２２の束２９同士で囲む形状）を囲んで伸びることで円弧を形成している。
【００４３】
このとき、本例では、第一湾曲部２４が形成する円弧の外径と第二湾曲部２６が形成する外径は同じであるが、必ずしも同じである必要はない。例えば、第二湾曲部２６は、束２９同士で囲む形状（直線部２２の束２９同士で囲む形状）の外周から距離をおいて（離れて）、束２９同士で囲む形状（直線部２２の束２９同士で囲む形状）の外周に沿って伸び、束２９同士で囲む形状（直線部２２の束２９同士で囲む形状）から距離をおいて（離れて）、束２９同士で囲む形状（直線部２２の束２９同士で囲む形状）を囲んで伸びることで円弧を形成することも可能である。この場合には、第一湾曲部２４が形成する円弧の外径より第二湾曲部２６が形成する外径の方が大きくなる。逆に、第二湾曲部２６が、束２９同士で囲む形状（直線部２２の束２９同士で囲む形状）内に入り、束２９同士で囲む形状（直線部２２の束２９同士で囲む形状）の外周に沿って伸び、束２９同士で囲む形状（直線部２２の束２９同士で囲む形状）内で、束２９同士で囲む形状（直線部２２の束２９同士で囲む形状）に囲まれて伸びることで円弧を形成することも可能である。この場合には、第一湾曲部２４が形成する円弧の外径が第二湾曲部２６が形成する外径よりが大きくなる。
【００４４】
さらに、図１に示すように、第二変曲部２５から第二湾曲部２６が伸び、渦巻き状の空間曲線２８を形成するために第三湾曲部２６ａが第二湾曲部２６が伸びてきた方向とは異なる方向に切り替わり（反転し）、その切り替わる（反転する）位置が第三変曲部２５ａとして形成される。そして、第二変曲部２５から伸びてきた第二湾曲部２６より第三変曲部２５ａから伸びていく第三湾曲部２６ａが高い位置に向かう（棒状部材２の他方の端部２７側に向かう）。つまり、第三湾曲部２６ａも、第二湾曲部２６と同様に、棒状部材２の他方の端部２７側方向へ伸びている。第三変曲部２５ａでは、第二変曲部２５から伸びてきた第二湾曲部２６と第三変曲部２５ａから伸びていく第三湾曲部２６ａとが円弧状に滑らかにつながっている。また、本例では、図示していないが、第二変曲部２５における傾斜角度と同様に、第二変曲部２５から伸びてきた第二湾曲部２６の接線（方向）と第三変曲部２５ａから伸びていく第三湾曲部２６ａの接線（方向）とでなす角度γをなしている。つまり、第三湾曲部２６ａも、第一湾曲部９４及び第二湾曲部２６と同様に、図２に示すように、角度２００°方向に伸びて円弧を描くことになる。直線部２２の延長方向（棒状部材２の他方の端部２７側方向）に第三変曲部２５ａから第三湾曲部２６ａが伸び、図１に示すように、直線部２２の延長方向（棒状部材２の他方の端部２７側方向）において、束２９同士で囲む形状（直線部２２の束２９同士で囲む形状）の外周に沿って伸び、束２９同士で囲む形状（直線部２２の束２９同士で囲む形状）を囲んで伸びることで円弧を形成している。
【００４５】
このとき、本例では、第二湾曲部２６が形成する円弧の外径と第三湾曲部２６ａが形成する外径は同じであるが、必ずしも同じである必要はない。例えば、第三湾曲部２６ａは、束２９同士で囲む形状（直線部２２の束２９同士で囲む形状）の外周から距離をおいて（離れて）、束２９同士で囲む形状（直線部２２の束２９同士で囲む形状）の外周に沿って伸び、束２９同士で囲む形状（直線部２２の束２９同士で囲む形状）から距離をおいて（離れて）、束２９同士で囲む形状（直線部２２の束２９同士で囲む形状）を囲んで伸びることで円弧を形成することも可能である。この場合には、第二湾曲部２６が形成する円弧の外径より第三湾曲部２６ａが形成する外径の方が大きくなる。逆に、第三湾曲部２６ａが、束２９同士で囲む形状（直線部２２の束２９同士で囲む形状）内に入り、束２９同士で囲む形状（直線部２２の束２９同士で囲む形状）の外周に沿って伸び、束２９同士で囲む形状（直線部２２の束２９同士で囲む形状）内で、束２９同士で囲む形状（直線部２２の束２９同士で囲む形状）に囲まれて伸びることで円弧を形成することも可能である。この場合には、第二湾曲部２６が形成する円弧の外径が第三湾曲部２６ａが形成する外径よりが大きくなる。
【００４６】
また、本例においては、第二変曲部２５及び第三変曲部２５ａにおいて第一湾曲部２４、第二湾曲部２６及び第三湾曲部２６ａの傾斜角度を角度γで共通にしているが、必ずしも共通の角度である必要はない。本例では、図１に示すように、第三湾曲部２６ａが仕立用支柱１の上方側１３（棒状部材２の他方の端部２７）に到達することになる。ここで、傾斜角度は、図１に示すように、同じ棒状部材２の、第一湾曲部２４における接線Ｓ１と第二湾曲部２６における接線Ｓ２とを、第二変曲部２５側へそれぞれ伸ばすことで形成される交点Ｚを中心とする、第二変曲部２５側の角度（角度γ）である。また、本例においては、同じ棒状部材２の、第二湾曲部２６における接線と第三湾曲部２６ａにおける接線とを、第三変曲部２５ａそれぞれ伸ばすことで形成される交点を中心とする、第三変曲部２５ａ側の角度（角度γ）である傾斜角度が形成されている。
【００４７】
仕立用支柱１は、本例のように、第一変曲部２３、第二変曲部２５及び第三変曲部２５ａを形成し、第三湾曲部２６ａが棒状部材２の他方の端部２７まで伸びて終端となる構成に限定されず、さらに、同様に、渦巻き状の空間曲線２８を伸ばして（形成して）変曲部及び湾曲部を形成することも可能である。また、本例においては、第一湾曲部２４と同様に、第二湾曲部２６及び第三湾曲部２６ａを湾曲させるに際して、中心を束２９同士を離して束２９同士で囲む形状の中心にして渦巻き状の空間曲線２８２を形成している。その際、両側（外側）の、棒状部材２の湾曲部（第一湾曲部２４、第二湾曲部２６、第三湾曲部２６ａ）と、中央の棒状部材２の湾曲部（第一湾曲部２４、第二湾曲部２６、第三湾曲部２６ａ）とでなす、実質的な平面２８３が第一変曲部２３から他方の端部２７側に向かって少なくとも一回転して捻れた状態になっている。つまり、図１に示す正面方向から捉えると、正面方向に向いた一方の面側２８４から渦巻き状の空間曲線２８を形成して他方の面側２８５が正面方向を向き（第二変曲部２５を経ることで正面方向に向いた一方の面側２８４から他方の面側２８５が正面方向を向き）、渦巻き状の空間曲線２８を形成して再度一方の面側２８４が正面方向を向いている（第三変曲部２５ａを経ることで正面方向に向いた他方の面側２８５から一方の面側２８４が正面方向を向いている）。以上が本例における仕立用支柱１の渦巻き状の空間曲線２８であるが、特に、第一変曲部２３、第二変曲部２５及び第三変曲部２５ａを形成し、第三湾曲部２６ａが棒状部材２の他方の端部２７まで伸びて終端となる構成ではなく、少なくとも、第一変曲部２３、第二変曲部２５を形成し、第二湾曲部２６が棒状部材２の他方の端部２７まで伸びて終端となる構成であればよい。以上に示すように、第二変曲部２５からは変曲部と湾曲部が同様にして繰り返して形成されることで渦巻き状の空間曲線２８が形成されており、少なくとも、第一変曲部２３、第二変曲部２５を形成し、第二湾曲部２６が棒状部材２の他方の端部２７まで伸びて終端となる構成であれば渦巻き状の空間曲線２８は形成されたことになっている。
【００４８】
なお、本例では、図１に示すように、円筒状の部材１５の側面部１５１に沿うように仕立用支柱１の渦巻き状の空間曲線２８を形成してあり、円筒状の部材１５の側面部１５１に基本的には、第二変曲部２５、第三変曲部２５ａが当接するようにして形成されている。つまり、第一湾曲部２４、第二湾曲部２６、第三湾曲部２６ａは円筒状の部材１５の側面部１５１の外周の円弧に沿って湾曲していることになる。ただし、図１においては第二変曲部２５の一部が円筒状の部材１５の側面部１５１から突出しているが、基本的には全ての第二変曲部２５、第三変曲部２５ａが円筒状の部材１５内に入ることになる。つまり、本例に示すように、複数本の束の状態にした、棒状部材２について、円筒状の部材１５の側面部１５１の外周の円弧に沿って、第一湾曲部２４、第二湾曲部２６、及び第三湾曲部２６ａを形成しても、例えば、連結部材４を用いることによっては、棒状部材２が円筒状の部材１５の側面部１５１から突出することもある。ただし、基本的には、図１に示すように仕立用支柱１を円筒状の部材１５内に収まる形状にすることによって、仕立用支柱１をコンパクトな形状にまとめてある。そのため、仕立用支柱１に、蔓（茎）に花を付ける植物、或いは蔓（茎）に花を付ける植物を模した造花等を巻き付けることで、これらの蔓（茎）に花を付ける植物、或いは蔓（茎）に花を付ける植物を模した造花等も広がることなく、狭い領域にコンパクトにまとめることができる。本例においては、仕立用支柱１をコンパクトな形でまとめるために図１に示す円筒状の部材１５内に収まる形状をとっているが、図１に示す円筒状の部材１５内に収まる形状に限定されることない。図１に示す円筒状の部材１５内に仕立用支柱１が収まらない形状であっても仕立用支柱１を構成する棒状部材２が渦巻き状の空間曲線２８を形成されていればよく、渦巻き状の空間曲線２８に蔓（茎）に花を付ける植物、或いは蔓（茎）に花を付ける植物を模した造花等を巻き付けることで蔓（茎）に花を付ける植物、或いは蔓（茎）に花を付ける植物を模した造花等をコンパクトにまとることができる。
【００４９】
また、本例では、第二変曲部２５を境目に第一湾曲部２４と第二湾曲部２６との円弧をなして傾斜する角度が異なっており、第一湾曲部２４の終端である第二変曲部２５を境に、第一湾曲部２４の渦巻き状の空間曲線２８と第二湾曲部２６の渦巻き状の空間曲線２８は傾斜する角度が異なっている。図２（ｂ）に示すように、第二変曲部２５を通り仕立用支柱１（棒状部材２の長手方向）を横断する方向の（に伸びる）ラインＬに対して第一湾曲部２４が角度αをなしており、ラインＬに対して第二湾曲部２６が角度βをなしている。つまり、第二変曲部２５より第一湾曲部２４への接線Ｓ１とラインＬとでなす角度αとなり、第二変曲部２５より第二湾曲部２６への接線Ｓ２とラインＬとでなす角度βとなっている。第一湾曲部２４より第二湾曲部２６の方がラインＬに接近した角度で形成されており、第一湾曲部２４と第二湾曲部２６とは第二変曲部２５を通り、仕立用支柱１の軸方向を横断する方向に対して第一湾曲部２４より第二湾曲部２６の方がラインＬへ傾斜する角度が小さく形成されている（α＞β）。また、同様に、第一湾曲部２４側より第二湾曲部２６側の方がラインＬに対して傾斜する角度を小さく形成するために、傾斜角度である角度γを角度αと角度βに分割することで達成することも可能である。具体的には、図２（ｃ）に示すように、第一湾曲部２４における接線Ｓ１とラインＬとの角度を角度αとし、第二湾曲部２６における接線Ｓ２とラインＬとの角度を角度βとする（α＞β）。その結果、第一湾曲部２４側より第二湾曲部２６側の方がラインＬに対して傾斜する角度が小さくなる。本例においては、図２（ａ）に示すように、第一湾曲部２４と直線部２２とでなす角度は２２０°であり、第一湾曲部２４と第二湾曲部２６とでなす角度は２００°である。ただし、第一湾曲部２４と直線部２２とでなす角度が第一湾曲部２４と第二湾曲部２６とでなす角度より大きければ、本例での２２０°、２００°に限定されることはない。
【００５０】
なお、本例とは異なり、第二変曲部２５を境目に第一湾曲部２４と第二湾曲部２６との円弧をなして傾斜する角度を同じにし、第一湾曲部２４の終端である第二変曲部２５を境に、第一湾曲部２４の渦巻き状の空間曲線２８と第二湾曲部２６の渦巻き状の空間曲線２８は傾斜する角度を同じにすることも可能である。そして、第一湾曲部２４の終端である第二変曲部２５を境に、第一湾曲部２４の渦巻き状の空間曲線２８と第二湾曲部２６の渦巻き状の空間曲線２８は傾斜する角度を同じにした、仕立用支柱１に、蔓（茎）に花を付ける植物、或いは蔓（茎）に花を付ける植物を模した造花等を巻き付けることで、これらの蔓（茎）に花を付ける植物、或いは蔓（茎）に花を付ける植物を模した造花等も広がることなく、狭い領域にコンパクトにまとめることができる。
【００５１】
そして、本例では、各棒状部材２の他方の端部２７の位置は同じであり（同じ高さであり）、本例においては、図１に示すように、各棒状部材２の他方の端部２７を全て連結する、金属製のリング状の部材３が取り付けられている。ただし、各棒状部材２の他方の端部２７の位置は同じである（同じ高さである）必要はなく、それぞれ異なる位置であってもよく、その場合には、リング状の部材３を傾斜して取り付けることになる。また、その場合には、蔓（茎）に花を付ける植物、或いは蔓（茎）に花を付ける植物を模した造花等を巻き付けて終端が異なることになるため、見る人に終端が同じ場合とは違う印象を与えることができる。本例では、各棒状部材２の他方の端部２７とリング状の部材３との連結は溶接で行われているが、特に溶接に限定されることなく接着剤等で行うことも可能である。また、第二変曲部２５においても各棒状部材２の第二変曲部２５同士を連結部材４により連結している。本例で用いる連結部材４は、図１及び図３（ａ）に示すように、三本の枝部４１と３つの連結部４２とから構成されている。連結部材４では、連結部材４の中心部４３より、棒状の部材である枝部４１が三方向に伸びている。枝部４１は、同一平面を形成するように連結部材４の中心部４３より伸びている。そして、枝部４１の、連結部材４の中心部４３とは反対側の端部には連結部４２が設けられている。
【００５２】
各連結部４２は、図３（ａ）に示すように、連結部材４の中心部４３に対して窪むように円弧形状をなしている。つまり、各連結部４２は、連結部材４の中心部４３に向き合う側が凹んで円弧形状をなしている。各連結部４２が円弧形状をなすことで、第二変曲部２５における三本の棒状部材２がなす円弧形状に対応することになり、連結部４２を第二変曲部２５側に当接させると連結部４２と第二変曲部２５の三本の棒状部材２に当接することになる。仕立用支柱１に連結部材４を取り付けるに際しては、図１に示すように、仕立用支柱１の軸方向を横断する方向に連結部材４を配置し、連結部材４の中心と束２９同士で囲む形状の中心を一致させ、連結部材４の中心より伸びる枝部４１に設けられた連結部４２が各前記束２９を形成する、複数の棒状部材２の第二変曲部２５に当接することになり、各連結部４２と第二変曲部２５とが連結されている。本例では、連結に際しては、溶接で行われているが、特に溶接に限定されることなく接着剤等で行うことも可能である。また、本例での連結部材４では、連結部４２を３つというように分割された部材（小片）を用いているが、一連の円の形状をなした部材であってもよい。
【００５３】
また、以上のように、仕立用支柱１を補強するために補強材として連結部材４を取り付けることに限定されることなく、図４に示すように、補強材である渦巻き状の部材５を仕立用支柱１に取り付けることでも仕立用支柱１を補強することは可能である。渦巻き状の部材５は、図４に示すように、細長い棒状部材を渦巻き状の形状に形成してあり、また、この針金状の細長い棒状部材は弾力性のある（ばね性のある）部材である。この渦巻き状の部材５を仕立用支柱１内に組み込む。組み込みに際しては、図５（ａ）に示すように、仕立用支柱１の、第一湾曲部２４と第二湾曲部２６とで形成される渦巻き状の空間曲線２８の軸方向と渦巻き状の部材５の軸方向を一致させて、渦巻き状の空間曲線２８内に渦巻き状の部材５を組み込み、渦巻き状の部材５を渦巻き状の空間曲線２８の各束２９側に当接させることになる。そして、渦巻き状の部材５を渦巻き状の空間曲線２８の各束２９側に溶接して固定することも可能である。また、渦巻き状の部材５と渦巻き状の空間曲線２８の各束２９側との当接する部分については、溶接の他に接着剤を当接する部分に塗布することで固定したり、当接する部分を紐状の部材でしばって固定したりすることも可能である。
【００５４】
また、渦巻き状の部材５を、図５（ｂ）に示すように、切断して短い細片５１にして、その細片５１を束２９の長手方向を横断する方向に束２９に固定したり、束２９同士を連結するように固定したりすることも可能である。図５（ｂ）に示すように、渦巻き状の部材５の細片５１を固定するには、予め渦巻き状の部材５を切断して短い細片５１にした後に、個々の細片５１を束２９の長手方向を横切る方向に固定したり、束２９同士を連結するように固定したりすることが可能である。また、予め渦巻き状の部材５を切断することなく、渦巻き状の部材５の細片５１を固定することも可能である。その場合には、渦巻き状の部材５をそのままの状態で仕立用支柱１内に組み込み、渦巻き状の空間曲線２８に当接させて溶接して固定する。そして、渦巻き状の空間曲線２８に植物の茎を沿わせて固定する際に、植物の固定具の取り付けの妨げになる部分を切り落としたり、渦巻き状の空間曲線２８に植物の茎を沿わせた際に仕立用支柱１の強度を高めることができる部分だけを残して他を切り落としたりして、最終的には渦巻き状の部材５を切断した短い細片５１が束２９の長手方向を横断する方向に束２９に固定したり、束２９同士を連結するように固定したりすることになる（図５（ｂ）参照）。基本的には、図５（ｂ）に示すように、短い細片５１は、束２９の長手方向（棒状部材２の長手方向）を横断する方向に固定されることになるが、必ずしも横断する方向に限定されず、束２９の長手方向（棒状部材２の長手方向）とその方向を横断する方向の間の方向 （束２９の長手方向（棒状部材２の長手方向）に対して斜めの方向等）に固定されることもある。
【００５５】
以上の構成の仕立用支柱１に蔓（茎）に花を付ける植物、例えば、胡蝶蘭Ａをはわせる（巻き付ける）ことになる。図６に示すように、仕立用支柱１に胡蝶蘭Ａをはわせる（巻き付ける）ためには、まず、植木鉢Ｗ内に仕立用支柱１を組み込む（植え込む）。なお、本例では、植木鉢Ｗを用いているが、植木鉢Ｗ以外のプランター等の植物等を植え込むことができる容器である基台を用いることも可能である。植木鉢Ｗへの組み込み（植え込み）に際しては、仕立用支柱１の下方側１２を植木鉢Ｗ内に向けて組み込み（埋め込み）、仕立用支柱１を植木鉢Ｗに対して直立した状態にする。直立した状態にするために植木鉢Ｗ内には、図示しない充填材、例えば樹脂製の小片が多数入っており、仕立用支柱１の下方側１２である、直線部２２側を保持することで仕立用支柱１を植木鉢Ｗ上で支持することになる。この状態で胡蝶蘭Ａの株（根）を仕立用支柱１の直線部２２に隣接して植木鉢Ｗ内に組み込む（植え込む）。胡蝶蘭Ａを植木鉢Ｗに組み込んだ後に、胡蝶蘭Ａの花茎Ａ１を仕立用支柱１の第一湾曲部２４と第二湾曲部２６とで形成される渦巻き状の空間曲線２８にはわせる（巻き付ける）。胡蝶蘭Ａの花茎Ａ１を棒状部材（第一湾曲部２４と第二湾曲部２６）２にはわせる（巻き付ける）に際しては、胡蝶蘭Ａの花Ａ２を束２９同士で囲む形状とは反対側を向かせて、具体的には、胡蝶蘭Ａの花Ａ２を仕立用支柱１に対して外側を向かせて（仕立用支柱１から外方方向に胡蝶蘭Ａの花Ａ２を向かせて）棒状部材（第一湾曲部２４と第二湾曲部２６）２に沿わせる。また、胡蝶蘭Ａの花茎Ａ１をはわせる（巻き付ける）に際しては、仕立用支柱１（棒状部材２）の直線部２２には胡蝶蘭Ａの花茎Ａ１をはわせず（巻き付けず）、第一湾曲部２４及び第二湾曲部２６に沿って胡蝶蘭Ａの花茎Ａ１をはわす（巻き付ける）ことにより、容易に渦巻き状に胡蝶蘭Ａの花茎Ａ１を曲げることが可能になり、それに対応して胡蝶蘭Ａの花Ａ２を仕立用支柱１（渦巻き状の空間曲線２８）の回りに咲かせた状態にすることが可能になる。また、胡蝶蘭Ａの花茎Ａ１を渦巻き状の空間曲線２８にはわせる（巻き付ける）ことで、図６に示すように、第一湾曲部２４及び第二湾曲部２６と同様に、第三湾曲部２６ａを渦巻き状の空間曲線２８にはわせる（巻き付ける）ことになる。
【００５６】
胡蝶蘭Ａの花茎Ａ１と渦巻き状の空間曲線（第一湾曲部２４及び第二湾曲部２６）２８との固定は、胡蝶蘭Ａの花茎Ａ１と渦巻き状の空間曲線（第一湾曲部２４及び第二湾曲部２６）２８とを間隔をおいて、複数箇所に図示しないテープＢを巻回することで行われている。本例においては、テープＢを用いることで胡蝶蘭Ａの花茎Ａ１と渦巻き状の空間曲線（第一湾曲部２４及び第二湾曲部２６）２８とを重ね合わせてその上からテープＢを巻回してテープＢの端部をテープＢ上に接着剤で貼り付けることで固定している。ただし、胡蝶蘭Ａの花茎Ａ１を傷付けない限り、テープＢを用いることに限定されない。例えば、接着剤を直接、胡蝶蘭Ａの花茎Ａ１と渦巻き状の空間曲線（第一湾曲部２４及び第二湾曲部２６）２８との間に塗布することで胡蝶蘭Ａの花茎Ａ１と渦巻き状の空間曲線（第一湾曲部２４及び第二湾曲部２６）２８との固定を行うことも可能である。本例においては、仕立用支柱８の三本の棒状部材２の内、中央の棒状部材２に胡蝶蘭Ａの花茎Ａ１を固定しているが、中央の棒状部材２に限定されることなく、両側（外側）の渦巻き状の空間曲線（第一湾曲部２４及び第二湾曲部２６）２８を形成している棒状部材２、２と胡蝶蘭Ａの花茎Ａ１とをテープＢで巻回して固定することも可能である。また、必ずしも三本の棒状部材２の内、一本の棒状部材２に胡蝶蘭Ａの花茎Ａ１が固定されることに限定されず、二本、或いは三本の棒状部材に跨って胡蝶蘭Ａの花茎Ａ１を固定することも可能である。
【００５７】
また、胡蝶蘭Ａの花茎Ａ１を渦巻き状の空間曲線２８にはわせる（巻き付ける）ことで、図６に示すように、第一湾曲部２４及び第二湾曲部２６と同様に、第三湾曲部２６ａを渦巻き状の空間曲線２８にはわせる（巻き付ける）ことになり、図６に示すように、胡蝶蘭Ａの花茎Ａ１と渦巻き状の空間曲線である第三湾曲部２６ａとを間隔をおいて、複数箇所に図示しないテープＢを巻回することで行われている。そして、第一湾曲部２４及び第二湾曲部２６と同様に、テープＢを用いることで胡蝶蘭Ａの花茎Ａ１と渦巻き状の空間曲線（第三湾曲部２６ａ）２８とを重ね合わせてその上からテープＢを巻回してテープＢの端部をテープＢ上に接着剤で貼り付けることで固定している。さらに、テープＢを用いずに接着剤で貼り付ける場合も、第一湾曲部２４及び第二湾曲部２６と同様に行われることになる。
【００５８】
以上のようにして、胡蝶蘭Ａの花茎Ａ１と渦巻き状の空間曲線（第一湾曲部２４及び第二湾曲部２６）２８と固定することにより、図６に示すように、仕立用支柱１に胡蝶蘭Ａをはわすこと（巻き付けること）になる。その結果、胡蝶蘭Ａは仕立用支柱１の第一湾曲部２４及び第二湾曲部２６である渦巻き状の空間曲線２８に沿って、渦巻き状に仕立用支柱１の上方側１３に伸びた状態になる。その際、胡蝶蘭の花Ａ２は三本の棒状部材２で形成される実質的な平面（実質的に同一平面）２８３に載る状態で配置されることになる。つまり、胡蝶蘭Ａの花びらであるトップセパル、アンダーセパルを含めたペダルが三本の棒状部材２で形成される実質的な平面（実質的に同一平面）２８３に沿う状態（三本の棒状部材２で形成される実質的な平面２８３に対して胡蝶蘭Ａの花びらであるトップセパル、アンダーセパルを含めたペダルが平行に近い状態）で配置されることになる。胡蝶蘭Ａは三本の棒状部材２で形成される実質的な平面２８３の一方の面２８４側に限定されることになく適宜他方の面側２８５にも配置されることになる。また、図６に示すように、第三湾曲部２６ａについても胡蝶蘭Ａの花茎Ａが固定されており、第一湾曲部２４及び第二湾曲部２６と同様に、胡蝶蘭の花Ａ２は三本の棒状部材２で形成される実質的な平面（実質的に同一平面）２８３に載る状態で配置されることになり、胡蝶蘭Ａの花びらであるトップセパル、アンダーセパルを含めたペダルが三本の棒状部材２で形成される実質的な平面（実質的に同一平面）２８３に沿う状態で配置されることになる。
【００５９】
このようにして、三本の棒状部材２で形成される実質的な平面（実質的に同一平面）２８３に胡蝶蘭Ａの花Ａ２が配置されることで胡蝶蘭Ａの花Ａ２が仕立用支柱１の渦巻き状の空間曲線２８に沿って設けられ仕立用支柱１の回りのどの方向からも胡蝶蘭Ａの花Ａ２を見ることが可能になる。なお、図６では、仕立用支柱１に胡蝶蘭Ａの花茎Ａ１が巻き付いても仕立用支柱１が変形しない強度を保てるように連結部材４を用いた例を示しているが、渦巻き状の部材５、或いはその細片５１を用いても仕立用支柱１が変形しない強度を保つことができ、渦巻き状の部材５、或いはその細片５１を用いた場合でも、図６に示す場合と同様に、胡蝶蘭Ａの花茎Ａ１をはわす（巻き付ける）ことができ、胡蝶蘭Ａの花Ａ２が仕立用支柱１の渦巻き状の空間曲線２８に沿って設けられ仕立用支柱１の回りのどの方向からも胡蝶蘭Ａの花Ａ２を見ることが可能になる。本例においては、第二変曲部２５を境目に第一湾曲部２４と第二湾曲部２６との円弧をなす傾斜角度が異なることで胡蝶蘭Ａの花Ａ２の並びの変化を楽しめることになるが、第一湾曲部２４と第二湾曲部２６との円弧をなす傾斜角度が同じであっても仕立用支柱１の回りのどの方向からも胡蝶蘭Ａの花Ａ２を見ることができる。つまり、図２に示すように、本例では、第二変曲部２５を通り仕立用支柱１（棒状部材２の長手方向）を横断する方向の（に伸びる）ラインＬに対して第一湾曲部２４が角度αをなしており、ラインＬに対して第二湾曲部２６が角度βをなしているが、ラインＬに対して第一湾曲部２４及び第二湾曲部２６がなす角度が等しくしても胡蝶蘭Ａの花Ａ２を仕立用支柱１の回りのどの方向からも見ることができる。
【００６０】
なお、本例においては、仕立用支柱１が変形しない強度を保てるように、連結部材４、渦巻き状の部材５、渦巻き状の部材５の細片５１を用いることを示しているが、棒状部材２の太さ（外径）、材質、さらには、束２９を形成する際の、棒状部材２を複数並べる間隔によっては、補強材である、連結部材４、渦巻き状の部材５、渦巻き状の部材５の細片５１を必要としない。つまり、連結部材４、渦巻き状の部材５、或いは渦巻き状の部材５の細片５１を備えていない、仕立用支柱１に、蔓（茎）に花を付ける植物、或いは蔓（茎）に花を付ける植物を模した造花等を巻き付けることで、これらの蔓（茎）に花を付ける植物、或いは蔓（茎）に花を付ける植物を模した造花等も広がることなく、狭い領域にコンパクトにまとめることができる。また、仕立用支柱１に、蔓（茎）に花を付ける植物、或いは蔓（茎）に花を付ける植物を模した造花等を巻き付けることで、これらの蔓（茎）の花を仕立用支柱１の回りのどの方向からも見ることが可能になる。
【００６１】
さらに、本例においては、図１に示すように、直線部２２に支持部材１６を取り付けることも可能である。図示しない植木鉢内には仕立用支柱１の直線部２２が組み込まれて、図示しない植木鉢内の充填材である、例えば多数の樹脂製の小片、さらには蔓（茎）に花を付ける植物、或いは蔓（茎）に花を付ける植物を模した造花等の根（株）により仕立用支柱１の直線部２２が支持されて、仕立用支柱１が図示しない植木鉢に対して直立することになる。ただし、植木鉢内の充填材の状態、蔓（茎）に花を付ける植物、或いは蔓（茎）に花を付ける植物を模した造花等の根（株）の状態によっては仕立用支柱１が図示しない植木鉢に対して傾斜することによって植木鉢に対して不安定な状態になる場合がある。つまり、仕立用支柱１の直線部２２が図示しない植木鉢の軸方向に沿わずに図示しない植木鉢の軸方向に対して曲がる（傾斜）する状態である。そのため、植木鉢内の充填材の状態、蔓（茎）に花を付ける植物、或いは蔓（茎）に花を付ける植物を模した造花等の根（株）の状態にかかわらず、仕立用支柱１が図示しない植木鉢に対して直立することを可能にするために支持部材１６が取りつけられている。支持部材１６は、図１に示すように、基本的には十字状の形状をなしており、中心には孔部であるリング部１６１が形成されている。このリング部１６１に、図１に示すように、棒状部材２の直線部２２のいずれかが入り込むことになる。つまり、複数ある棒状部材２の直線部２２のいずれか一つが支持部材１６のリング部１６１に挿入されることになる。
【００６２】
リング部１６１の径は棒状部材２の直線部２２が入り込むことが可能な大きさであり、リング部１６１に棒状部材２の直線部２２を入り込ませて取り付けることで支持部材１６は棒状部材２の直線部２２に対して垂直にさせる。支持部材１６のリング部１６１と、リング部１６１に入り込んだ棒状部材２の直線部２２との間に隙間が生じていれば接着剤等を使用してその隙間を埋めることにより、また、隙間が生じていなくてもリング部１６１の回りに接着剤を塗布することでリング部１６１に入り込んだ棒状部材２の直線部２２を抜け難くすることにより、支持部材１６と棒状部材２の直線部２２とが直交した状態で固定されることになる。そして、棒状部材２の直線部２２に固定されたリング部１６１からは支持部１６２が伸びており、支持部１６２はリング部１６１を中心に直交する方向（十字状）に形成されている。そのため、支持部材１６のリング部１６１から伸びる支持部１６２が棒状部材２の直線部２２とが直交することになり、支持部材１６が棒状部材２の直線部２２と直交することになる。
【００６３】
そして、支持部１６２の端部側（支持部１６２のリング部１６１と反対側）にはフック部１６３が形成されている。フック部１６３は、図１に示すように、支持部１６２を折り曲げた段部として形成されている。以上の形状をなす支持部材１６を仕立用支柱（棒状部材２の直線部２２）１に取り付けた状態で図示しない植木鉢に組み込むと、支持部材１６２のフック部１６３が図示しない植木鉢の縁部に載り、植木鉢内に入った直線部２２は植木鉢内の充填材、蔓（茎）に花を付ける植物、或いは蔓（茎）に花を付ける植物を模した造花等の根（株）によって保持され、仕立用支柱１は図示しない植木鉢に対して傾斜することなく直立した状態となる。本例においては、フック部１６３は段部として形成されているが、仕立用支柱１を植木鉢に対してより直立した状態を維持し易くために、植木鉢の縁部を挟み込めるように支持部１６２の端部側（支持部１６２のリング部１６１と反対側）をさらに折り曲げて略コ字状の形状にする（図１の点線で示す構成を含めて略コ字状の形状にする）ことも可能であり、また、植木鉢の縁部に載せる支持部材１６のフック部１６３が安定した状態で植木鉢の縁部に載るように植木鉢の縁部に載せるフック部１６３を平板状の部材とすることも可能である。つまり、フック部１６３に平板状の部材を取り付けることで植木鉢の縁部との接触面積が大きくなり、仕立用支柱１を安定した状態で植木鉢に対して直立させることが可能になる。さらに、平板状の部材で形成した略コ字状の形状で植木鉢の縁部を挟み込むことで、仕立用支柱１の植木鉢に対してより直立した状態を維持し易くなる。なお、本例においては、一本の直線部２２にのみ支持部材１６を取り付けているが、複数の直線部２２に支持部材１６を取り付けることも可能であり、その場合には各支持部材１６からの植木鉢の距離を考慮して支持部１６２の長さを決定し、フック部１６３が植木鉢の縁部に載る（挟む込む）ようにすることになる。その結果、複数の直線部２２に支持部材１６を取り付けることで、仕立用支柱１が支持部材１６（支持部１６２）に対して垂直の状態が維持し易くなり、仕立用支柱６をさらに安定した状態で植木鉢に対して直立させることが可能になる。
【００６４】
（例２）
図７には、例１に示す仕立用支柱１の変形である仕立用支柱６が示されている。仕立用支柱６も、例１と同様に、針金状の細長い棒状部材２を複数用いて形成されている。本例においても、例１と同様に、金属製の針金状の細長い棒状部材２は、太さ（外径）２ｍｍであるが、特に、太さ（外径）２ｍｍに限定されることはなく、好ましくは２ｍｍから３ｍｍ程度である。また、本例においては、６本の針金状の細長い棒状部材２を用いて仕立用支柱６を形成しているが、針金状の細長い棒状部材２は６本に限定されることはない。本例においても、例１と同様に、複数の、針金状の細長い棒状部材２を間隔をおいて並べることで針金状の細長い棒状部材２の束２９を形成している。本例においても一例として針金状の細長い棒状部材２を三本並べることで一つの束２９を形成しているが、特に三本に限定されることなく何本でも束２９とすることは可能である。そして、図７に示すように、本例においては、束２９を二つ形成しており、このように形成した束２９同士を対向させて配置する。本例でも、この針金状の細長い棒状部材２を屈曲させて、組み合わせることで仕立用支柱６を形成している。具体的には、各束２９の、各三本の棒状部材２を同じ方向に屈曲させ、二つの束２９を組み合わせている。
【００６５】
まず、例１と同様に、各棒状部材２の一方の端部２１より第一変曲部２３まで真っ直ぐに伸びた直線部２２を形成し、真っ直ぐに伸びた状態の終点である第一変曲部２３より各棒状部材２を湾曲させた状態にする。この第一変曲部２３からは第一湾曲部２４が形成されており、第一湾曲部２４を湾曲させるに際しては、中心を対向した束２９同士の間の中央として渦巻き状の空間曲線２８１として棒状部材２の他方の端部２７側に向かって形成されている。その際、第一湾曲部２４は、直線部２２の端部である第一変曲部２３より、直線部２２に対して鈍角方向、本例では、例１と同様に、図２に示すように、角度２２０°方向に伸びて円弧を形成することになる。つまり、例１と同様に、直線部２２の延長方向（棒状部材２の他方の端部２７側方向）に第一湾曲部２４が第一変曲部２３から、図２（ａ）に示すように、直線部２２に対して角度２２０°方向に伸び、図７に示すように、直線部２２の延長方向（棒状部材２の他方の端部２７側方向）において、束２９同士を囲む形状（直線部２２の束２９同士を囲む円筒形状）の外周に沿って伸び、束２９同士を囲む形状（直線部２２の束２９同士を囲む円筒形状）を囲んで伸びることで円弧を形成している。
【００６６】
そして、例１と同様に、図７に示すように、第一変曲部２３から第一湾曲部２４が伸び、渦巻き状の空間曲線２８を形成するために第二湾曲部２６が第一湾曲部２４が伸びてきた方向とは異なる方向に切り替わり（反転し）、その切り替わる（反転する）位置が第二変曲部２５として形成される。第二変曲部２５では、図７に示すように、第一変曲部２３から伸びてきた第一湾曲部２４より第二変曲部２５から伸びていく第二湾曲部２６が高い位置に向かう（第一変曲部２３から離れる方向に向かう）。つまり、第二湾曲部２６は、棒状部材２の他方の端部２７側方向へ伸びている。第二変曲部２５では、第一変曲部２３から伸びてきた第一湾曲部２４と第二変曲部２５から伸びていく第二湾曲部２６とが円弧状に滑らかにつながって連続している。また、本例では、例１と同様に、第一変曲部２３から伸びてきた第一湾曲部２４の接線（方向）と第二変曲部２５から伸びていく第二湾曲部２６の接線（方向）とでなす角度γは鋭角をなしており、図２に示すように、角度２００°方向に伸びて円弧を描くことになる。つまり、直線部２２の延長方向（棒状部材２の他方の端部２７側方向）に第二変曲部２５から第二湾曲部２６が伸び、図７に示すように、直線部２２の延長方向（棒状部材２の他方の端部２７側方向）において、束２９同士を囲む形状（直線部２２の束２９同士を囲む円筒形状）の外周に沿って伸び、束２９同士を囲む形状（直線部２２の束２９同士を囲む円筒形状）を囲んで伸びることで円弧を形成している。
【００６７】
本例においても、例１と同様に、第一湾曲部２４が形成する円弧の外径と第二湾曲部２６が形成する外径は同じであるが、必ずしも同じである必要はない。例えば、第二湾曲部２６は、束２９同士を囲む形状（直線部２２の束２９同士を囲む円筒形状）の外周から距離をおいて（離れて）、束２９同士を囲む形状（直線部２２の束２９同士を囲む円筒形状）の外周に沿って伸び、束２９同士を囲む形状（直線部２２の束２９同士を囲む形状）から距離をおいて（離れて）、束２９同士を囲む形状（直線部２２の束２９同士を囲む円筒形状）を囲んで伸びることで円弧を形成することも可能である。この場合には、第一湾曲部２４が形成する円弧の外径より第二湾曲部２６が形成する外径の方が大きくなる。逆に、第二湾曲部２６が、束２９同士を囲む形状（直線部２２の束２９同士を囲む円筒形状）内に入り、束２９同士を囲む形状（直線部２２の束２９同士を囲む円筒形状）の外周に沿って伸び、束２９同士を囲む形状（直線部２２の束２９同士を囲む円筒形状）内で、束２９同士を囲む形状（直線部２２の束２９同士を囲む円筒形状）に囲まれて伸びることで円弧を形成することも可能である。この場合には、第一湾曲部２４が形成する円弧の外径が第二湾曲部２６が形成する外径よりが大きくなる。
【００６８】
また、例１と同様に、図７に示すように、第二変曲部２５から第二湾曲部２６が伸び、渦巻き状の空間曲線２８を形成するために第三湾曲部２６ａが第二湾曲部２６が伸びてきた方向とは異なる方向に切り替わり（反転し）、その切り替わる（反転する）位置が第三変曲部２５ａとして形成される。そして、第二変曲部２５から伸びてきた第二湾曲部２６より第三変曲部２５ａから伸びていく第三湾曲部２６ａが高い位置に向かう（棒状部材２の他方の端部２７側に向かう）。つまり、第三湾曲部２６ａも、第二湾曲部２６と同様に、棒状部材２の他方の端部２７側方向へ伸びている。第三変曲部２５ａでは、第二変曲部２５から伸びてきた第二湾曲部２６と第三変曲部２５ａから伸びていく第三湾曲部２６ａとが円弧状に滑らかにつながっている。また、本例では、例１と同様に、図示していないが、第二変曲部２５における傾斜角度と同様に、第二変曲部２５から伸びてきた第二湾曲部２６の接線（方向）と第三変曲部２５ａから伸びていく第三湾曲部２６ａの接線（方向）とでなす角度γは鋭角をなしている。つまり、第三湾曲部２６ａも、第一湾曲部９４及び第二湾曲部２６と同様に、図２に示すように、角度２００°方向に伸びて円弧を描くことになる。直線部２２の延長方向（棒状部材２の他方の端部２７側方向）に第三変曲部２５ａから第三湾曲部２６ａが伸び、図７に示すように、直線部２２の延長方向（棒状部材２の他方の端部２７側方向）において、束２９同士を囲む形状（直線部２２の束２９同士を囲む円筒形状）の外周に沿って伸び、束２９同士を囲む形状（直線部２２の束２９同士を囲む円筒形状）を囲んで伸びることで円弧を形成している。
【００６９】
このとき、本例においても、例１と同様に、第二湾曲部２６が形成する円弧の外径と第三湾曲部２６ａが形成する外径は同じであるが、必ずしも同じである必要はない。例えば、第三湾曲部２６ａは、束２９同士を囲む形状（直線部２２の束２９同士を囲む円筒形状）の外周から距離をおいて（離れて）、束２９同士を囲む形状（直線部２２の束２９同士を囲む円筒形状）の外周に沿って伸び、束２９同士を囲む形状（直線部２２の束２９同士を囲む円筒形状）から距離をおいて（離れて）、束２９同士を囲む形状（直線部２２の束２９同士を囲む円筒形状）を囲んで伸びることで円弧を形成することも可能である。この場合には、第二湾曲部２６が形成する円弧の外径より第三湾曲部２６ａが形成する外径の方が大きくなる。逆に、第三湾曲部２６ａが、束２９同士を囲む形状（直線部２２の束２９同士を囲む円筒形状）内に入り、束２９同士を囲む形状（直線部２２の束２９同士を囲む円筒形状）の外周に沿って伸び、束２９同士を囲む形状（直線部２２の束２９同士を囲む円筒形状）内で、束２９同士を囲む形状（直線部２２の束２９同士を囲む円筒形状）に囲まれて伸びることで円弧を形成することも可能である。この場合には、第二湾曲部２６が形成する円弧の外径が第三湾曲部２６ａが形成する外径よりが大きくなる。
【００７０】
また、本例においても、例１と同様に、第二変曲部２５及び第三変曲部２５ａにおいて第一湾曲部２４、第二湾曲部２６及び第三湾曲部２６ａの傾斜角度を角度γで共通にしているが、必ずしも共通の角度である必要はない。本例では、図７に示すように、第三湾曲部２６ａが仕立用支柱６の上方側６３（棒状部材２の他方の端部２７）に到達することになる。ここで、傾斜角度は、例１と同様に、図７に示すように、同じ棒状部材２の、第一湾曲部２４における接線Ｓ１と第二湾曲部２６における接線Ｓ２とを、第二変曲部２５側へそれぞれ伸ばすことで形成される交点Ｚを中心とする、第二変曲部２５側の角度（角度γ）である。また、本例においても、例１と同様に、同じ棒状部材２の、第二湾曲部２６における接線と第三湾曲部２６ａにおける接線とを、第三変曲部２５ａそれぞれ伸ばすことで形成される交点を中心とする、第三変曲部２５ａ側の角度（角度γ）である傾斜角度が形成されている。
【００７１】
本例においても、例１と同様に、図７に示すように、第三湾曲部２６ａが仕立用支柱６の上方側６３（棒状部材２の他方の端部２７）に到達することになる。仕立用支柱６は、本例のように、第一変曲部２３、第二変曲部２５及び第三変曲部２５ａを形成し、第三湾曲部２６ａが棒状部材２の他方の端部２７まで伸びて終端する構成に限定されず、さらに、同様に、渦巻き状の空間曲線２８を伸ばして（形成して）変曲部及び湾曲部を形成することも可能である。また、本例においては、第一湾曲部２４、第二湾曲部２６及び第三湾曲部２６ａを湾曲させるに際して、中心を対向した束２９同士の間の中心として渦巻き状の空間曲線２８２を形成している。その際、両側（外側）の、棒状部材２の湾曲部（第一湾曲部２４、第二湾曲部２６、第三湾曲部２６ａ）と、中央の棒状部材２の湾曲部（第一湾曲部２４、第二湾曲部２６、第三湾曲部２６ａ）とでなす、実質的な平面２８３が変曲部２３１から他方の端部２７側に向かって少なくとも一回転して捻れた状態になっている。つまり、図７に示す正面方向から捉えると、正面方向に向いた一方の面側２８４から渦巻き状の空間曲線２８を形成して他方の面側２８５が正面方向を向き、渦巻き状の空間曲線２８を形成して再度一方の面側２８４が正面方向を向いている。
【００７２】
なお、本例においては、例１と同様に、図７に示すように、円筒状の部材１５の側面部１５１に沿うように仕立用支柱６の渦巻き状の空間曲線２８を形成してあり、円筒状の部材１５の側面部１５１に基本的には、第二変曲部２５、第三変曲部２５ａが当接するようにして形成されている。つまり、第一湾曲部２４、第二変曲部２５、第三変曲部２５ａは円筒状の部材１５の側面部１５１の外周の円弧に沿って湾曲していることになる。例１と同様に、図７に示すように仕立用支柱６を円筒状の部材１５内に収まる形状にすることによって、仕立用支柱６をコンパクトな形状にまとめたことになる。そのため、仕立用支柱６に、蔓（茎）に花を付ける植物、或いは蔓（茎）に花を付ける植物を模した造花等を巻き付けることで、これらの蔓（茎）に花を付ける植物、或いは蔓（茎）に花を付ける植物を模した造花等も広がることなく、狭い領域にコンパクトにまとめることができる。本例においては、例１と同様に、仕立用支柱６をコンパクトな形でまとめるために図７に示す円筒状の部材１５内に収まる形状をとっているが、図７に示す円筒状の部材１５内に収まる形状に限定されることない。図７に示す円筒状の部材１５内に仕立用支柱６が収まらない形状であっても仕立用支柱６を構成する棒状部材２が渦巻き状の空間曲線２８を形成されていればよく、渦巻き状の空間曲線２８に蔓（茎）に花を付ける植物、或いは蔓（茎）に花を付ける植物を模した造花等を巻き付けることで蔓（茎）に花を付ける植物、或いは蔓（茎）に花を付ける植物を模した造花等をコンパクトにまとることができる。
【００７３】
また、本例においても、例１と同様に、第二変曲部２５を境目に第一湾曲部２４と第二湾曲部２６との円弧をなす傾斜する角度が異なっており、第一湾曲部２４の終端である第二変曲部２５を境に、第一湾曲部２４の渦巻き状の空間曲線２８と第二湾曲部２６の渦巻き状の空間曲線２８は傾斜する角度が異なっている。例１と同様に、図２（ｂ）に示すように、第二変曲部２５を通り仕立用支柱６を横断する方向のラインＬに対して第一湾曲部２４が角度αをなしており、ラインＬに対して第二湾曲部２６が角度βをなしている。つまり、第二変曲部２５より第一湾曲部２４への接線Ｓ１とラインＬとでなす角度αとなり、第二変曲部２５より第二湾曲部２６への接線Ｓ２とラインＬとでなす角度βとなっている。第一湾曲部２４より第二湾曲部２６の方がラインＬに接近した角度で形成されており、第一湾曲部２４と第二湾曲部２６とは第二変曲部２５を通り、仕立用支柱６の軸方向を横断する方向に対して第一湾曲部２４より第二湾曲部２６の方が傾斜する角度が小さく形成されている（α＞β）。また、同様に、第一湾曲部２４側より第二湾曲部２６側の方がラインＬに対して傾斜する角度を小さく形成するために、傾斜角度である角度γを角度αと角度βに分割することで達成することも可能である。具体的には、図２（ｃ）に示すように、第一湾曲部２４における接線Ｓ１とラインＬとの角度を角度αとし、第二湾曲部２６における接線Ｓ２とラインＬとの角度を角度βとする（α＞β）。その結果、第一湾曲部２４側より第二湾曲部２６側の方がラインＬに対して傾斜する角度が小さくなる。本例においても、例１と同様に、図２（ａ）に示すように、第一湾曲部２４と直線部２２とでなす角度は２２０°であり、第一湾曲部２４と第二湾曲部２６とでなす角度は２００°である。ただし、第一湾曲部２４と直線部２２とでなす角度が第一湾曲部２４と第二湾曲部２６とでなす角度より大きければ、本例での２２０°、２００°に限定されることはない。
【００７４】
なお、本例でも例１と同様に、第二変曲部２５を境目に第一湾曲部２４と第二湾曲部２６との円弧をなして傾斜する角度を同じにし、第一湾曲部２４の終端である第二変曲部２５を境に、第一湾曲部２４の渦巻き状の空間曲線２８と第二湾曲部２６の渦巻き状の空間曲線２８は傾斜する角度を同じにすることも可能である。そして、第一湾曲部２４の終端である第二変曲部２５を境に、第一湾曲部２４の渦巻き状の空間曲線２８と第二湾曲部２６の渦巻き状の空間曲線２８は傾斜する角度を同じにした、仕立用支柱６に、蔓（茎）に花を付ける植物、或いは蔓（茎）に花を付ける植物を模した造花等を巻き付けることで、これらの蔓（茎）に花を付ける植物、或いは蔓（茎）に花を付ける植物を模した造花等も広がることなく、狭い領域にコンパクトにまとめることができる。
【００７５】
そして、例１と同様に、各棒状部材２の他方の端部２７の位置は同じであり、本例においても、各棒状部材２の他方の端部２７を全て連結するリング状の部材３が取り付けられている。ただし、各棒状部材２の他方の端部２７の位置は同じである（同じ高さである）必要はなく、それぞれ異なる位置であってもよく、その場合には、リング状の部材３を傾斜して取り付けることになる。また、その場合には、蔓（茎）に花を付ける植物、或いは蔓（茎）に花を付ける植物を模した造花等を巻き付けて終端が異なることになるため、見る人に終端が同じ場合とは違う印象を与えることができる。本例でも、例１と同様に、各棒状部材２の他方の端部２７とリング状の部材３との連結は溶接で行われているが、特に溶接に限定されることなく接着剤等で行うことも可能である。また、第二変曲部２５においても各棒状部材２の第二変曲部２５同士を連結部材７により連結している。本例で用いる連結部材７は、図７及び図３（ｂ）に示すように、支持部７１と、支持部７１の両端部側に設けられた連結部７２とから構成されている。連結部材７では、連結部材７の中心部７３より、棒状の部材である枝部７１が二方向に伸びている。本例では、枝部７１、７１は一直線状に形成されているが、特に一直線状に形成されることに限定されず、枝部７１が第二変曲部２５側に向かう方向に伸びることになる。
【００７６】
連結部材７では、真っ直ぐに伸びた支持部７１の両端部側に連結部７２が設けられており、連結部７２同士は対向して支持部７１に設けられている。連結部７２は、例１の連結部４２と同様に、円弧形状をなしており、連結部７２を第二変曲部２５側に当接させると連結部７２と第二変曲部２５の三本の棒状部材２に当接することになる。仕立用支柱６に連結部材７を取り付けるに際しては、束２９同士の間（隙間）から仕立用支柱６内に連結部材７を組み込み、連結部材７の連結部７２、７２を仕立用支柱６内の第二変曲部２５、２５に当接させて溶接することで固定している。ただし、溶接に限定されることなく接着剤等で行うことも可能である。本例での連結部材７では、二箇所の第二変曲部２５を支持する構成であるが、一連の円の形状をなした部材を連結部材として用いることも可能である。また、本例においても、仕立用支柱６を補強するための補強材として、例１において図４に示した渦巻き状の部材５、或いは、図５（ｂ）で示した渦巻き状の部材５を切断して短い細片５１を、例１と同様にして用いることも可能である。
【００７７】
なお、本例においても、例１と同様に、仕立用支柱６が変形しない強度を保てるように、連結部材７、渦巻き状の部材５、渦巻き状の部材５の細片５１を用いることを示しているが、棒状部材２の太さ（外径）、材質、さらには、束２９を形成する際の、棒状部材２を複数並べる間隔によっては、補強材である、連結部材７、渦巻き状の部材５、渦巻き状の部材５の細片５１を必要としない。つまり、連結部材７、渦巻き状の部材５、或いは渦巻き状の部材５の細片５１を備えていない、仕立用支柱６に、蔓（茎）に花を付ける植物、或いは蔓（茎）に花を付ける植物を模した造花等を巻き付けることで、これらの蔓（茎）に花を付ける植物、或いは蔓（茎）に花を付ける植物を模した造花等も広がることなく、狭い領域にコンパクトにまとめることができる。また、仕立用支柱６に、蔓（茎）に花を付ける植物、或いは蔓（茎）に花を付ける植物を模した造花等を巻き付けることで、これらの蔓（茎）の花を仕立用支柱６の回りのどの方向からも見ることが可能になる。
【００７８】
以上の構成の仕立用支柱６に（図７及び図８に示す、仕立用支柱６に各棒状部材２の他方の端部２７とリング状の部材３とが連結され、連結部材７の連結部７２、７２を仕立用支柱６内の第二変曲部２５、２５に当接させて溶接することで固定した状態で）、例１と同様に、蔓（茎）に花を付ける植物、例えば、胡蝶蘭Ａをはわせる（巻き付ける）ことになる。図８に示すように、例１と同様に、仕立用支柱６に胡蝶蘭Ａをはわせる（巻き付ける）ためには、まず、植木鉢Ｗ内に仕立用支柱６を組み込む。図８では、説明の便宜のため一方の束２９側に胡蝶蘭Ａの株（根）側を組み込んだ状態が示してある。なお、本例においても、例１と同様に、植木鉢Ｗを用いているが、植木鉢Ｗ以外のプランター等の植物等を植え込むことができる容器である基台を用いることも可能である。組み込みに際しては、例１と同様に、仕立用支柱６を植木鉢Ｗに対して直立した状態にする。この状態で胡蝶蘭Ａの株（根）を仕立用支柱６の直線部２２に隣接して植木鉢Ｗ内に組み込み（植え込み）、胡蝶蘭Ａの花茎Ａ１を仕立用支柱６の第一湾曲部２４と第二湾曲部２６とで形成される渦巻き状の空間曲線２８にはわせる（巻き付ける）。胡蝶蘭Ａの花茎Ａ１を棒状部材（第一湾曲部２４と第二湾曲部２６）２にはわせる（巻き付ける）に際しては、例１と同様に、胡蝶蘭Ａの花Ａ２を束２９同士で囲む形状とは反対側を向かせて、具体的には、胡蝶蘭Ａの花Ａ２を仕立用支柱６に対して外側を向かせて（仕立用支柱６から外方方向に胡蝶蘭Ａの花Ａ２を向かせて）棒状部材（第一湾曲部２４と第二湾曲部２６）２に沿わせる。第一湾曲部２４及び第二湾曲部２６に沿って胡蝶蘭Ａの花茎Ａ１をはわす（巻き付ける）ことにより、容易に渦巻き状に胡蝶蘭Ａの花茎Ａ１を曲げることが可能になり、それに対応して胡蝶蘭Ａの花Ａ２を仕立用支柱６（渦巻き状の空間曲線２８）の回りに咲かせた状態にすることが可能になる。
【００７９】
また、胡蝶蘭Ａの花茎Ａ１と渦巻き状の空間曲線（第一湾曲部２４及び第二湾曲部２６）２８との固定は、例１と同様に、胡蝶蘭Ａの花茎Ａ１と渦巻き状の空間曲線（第一湾曲部２４及び第二湾曲部２６）２８とを間隔をおいて、複数箇所に図示しないテープＢを巻回することで行われている。ただし、テープＢを用いずに、例えば、接着剤を直接、胡蝶蘭Ａの花茎Ａ１と渦巻き状の空間曲線（第一湾曲部２４及び第二湾曲部２６）２８との間に塗布することで胡蝶蘭Ａの花茎Ａ１と渦巻き状の空間曲線（第一湾曲部２４及び第二湾曲部２６）２８との固定を行うことも可能である。本例においては、例１と同様に、仕立用支柱６の三本の棒状部材２の内、中央の棒状部材２に胡蝶蘭Ａの花茎Ａ１を固定しているが、中央の棒状部材２に限定されることなく、両側（外側）の渦巻き状の空間曲線（第一湾曲部２４及び第二湾曲部２６）２８を形成している棒状部材２、２と胡蝶蘭Ａの花茎Ａ１とをテープＢで巻回して固定することも可能である。また、必ずしも三本の棒状部材２の内、一本の棒状部材２に胡蝶蘭Ａの花茎Ａ１が固定されることに限定されず、二本、或いは三本の棒状部材に跨って胡蝶蘭Ａの花茎Ａ１が固定することも可能である。
【００８０】
また、胡蝶蘭Ａの花茎Ａ１を渦巻き状の空間曲線２８にはわせる（巻き付ける）ことで、図８に示すように、第一湾曲部２４及び第二湾曲部２６と同様に、第三湾曲部２６ａを渦巻き状の空間曲線２８にはわせる（巻き付ける）ことになり、図８に示すように、胡蝶蘭Ａの花茎Ａ１と渦巻き状の空間曲線である第三湾曲部２６ａとを間隔をおいて、複数箇所に図示しないテープＢを巻回することで行われている。そして、第一湾曲部２４及び第二湾曲部２６と同様に、テープＢを用いることで胡蝶蘭Ａの花茎Ａ１と渦巻き状の空間曲線（第三湾曲部２６ａ）２８とを重ね合わせてその上からテープＢを巻回してテープＢの端部をテープＢ上に接着剤で貼り付けることで固定している。さらに、テープＢを用いずに接着剤で貼り付ける場合も、第一湾曲部２４及び第二湾曲部２６と同様に行われることになる。
【００８１】
以上のようにして、胡蝶蘭Ａの花茎Ａ１と渦巻き状の空間曲線（第一湾曲部２４及び第二湾曲部２６）２８と固定することにより、図８に示すように、仕立用支柱６に胡蝶蘭Ａをはわすこと（巻き付けること）になる。その結果、胡蝶蘭Ａは仕立用支柱６の第一湾曲部２４及び第二湾曲部２６である渦巻き状の空間曲線２８に沿って、渦巻き状に仕立用支柱６の上方側６３に伸びた状態になる。その際、胡蝶蘭の花Ａ２は三本の棒状部材２で形成される実質的な平面（実質的に同一平面）２８３に載る状態で配置されることになる。つまり、胡蝶蘭Ａの花びらであるトップセパル、アンダーセパルを含めたペダルが三本の棒状部材２で形成される実質的な平面（実質的に同一平面）２８３に沿う状態（三本の棒状部材２で形成される実質的な平面２８３に対して胡蝶蘭Ａの花びらであるトップセパル、アンダーセパルを含めたペダルが平行に近い状態）で配置されることになる。胡蝶蘭Ａは三本の棒状部材２で形成される実質的な平面２８３の一方の面２８４側に限定されることになく適宜他方の面側２８５にも配置されることが可能になる。このようにして、三本の棒状部材２で形成される実質的な平面（実質的に同一平面）２８３に胡蝶蘭Ａの花Ａ２が配置されることで胡蝶蘭Ａの花Ａ２が仕立用支柱６の渦巻き状の空間曲線２８に沿って設けられ仕立用支柱６の回りのどの方向からも胡蝶蘭Ａの花Ａ２を見ることが可能になる。また、図８に示すように、第三湾曲部２６ａについても胡蝶蘭Ａの花茎Ａが固定されており、第一湾曲部２４及び第二湾曲部２６と同様に、胡蝶蘭の花Ａ２は三本の棒状部材２で形成される実質的な平面（実質的に同一平面）２８３に載る状態で配置されることになり、胡蝶蘭Ａの花びらであるトップセパル、アンダーセパルを含めたペダルが三本の棒状部材２で形成される実質的な平面（実質的に同一平面）２８３に沿う状態で配置されることになる。
【００８２】
本例においても、例１と同様に、三本の棒状部材２で形成される実質的な平面（実質的に同一平面）２８３に胡蝶蘭Ａの花Ａ２が配置されることで胡蝶蘭Ａの花Ａ２が仕立用支柱６の渦巻き状の空間曲線２８に沿って設けられ仕立用支柱６の回りのどの方向からも胡蝶蘭Ａの花Ａ２を見ることが可能になる。なお、図８では、仕立用支柱６に胡蝶蘭Ａの花茎Ａ１が巻き付いても仕立用支柱６が変形しない強度を保てるように連結部材７を用いた例を示しているが、渦巻き状の部材５、或いはその細片５１を用いても仕立用支柱が変形しない強度を保つことができ、渦巻き状の部材５、或いはその細片５１を用いた場合でも、図８に示す場合と同様に、胡蝶蘭Ａの花茎Ａ１をはわす（巻き付ける）ことができ、胡蝶蘭Ａの花Ａ２が仕立用支柱６の渦巻き状の空間曲線２８に沿って設けられ仕立用支柱６の回りのどの方向からも胡蝶蘭Ａの花Ａ２を見ることが可能になる。本例においては、例１と同様に、第二変曲部２５を境目に第一湾曲部２４と第二湾曲部２６との円弧をなす傾斜する角度が異なることで胡蝶蘭Ａの花Ａ２の並びの変化を楽しめることになるが、第一湾曲部２４と第二湾曲部２６との円弧をなす傾斜する角度が同じであっても仕立用支柱６の回りのどの方向からも胡蝶蘭Ａの花Ａ２を見ることができる。つまり、図２に示すように、本例では、例１と同様に、第二変曲部２５を通り仕立用支柱６（棒状部材２の長手方向）を横断する方向の（に伸びる）ラインＬに対して第一湾曲部２４が角度αをなしており、ラインＬに対して第二湾曲部２６が角度βをなしているが、ラインＬに対して第一湾曲部２４及び第二湾曲部２６がなす角度を等しくしても胡蝶蘭Ａの花Ａ２を仕立用支柱６の回りのどの方向からも見ることができる。
【００８３】
さらに、本例においても、例１と同様に、図７に示すように、直線部２２に支持部材１６を取り付けることが可能である。本例においても仕立用支柱６が図示しない植木鉢に対して直立させることになるが、植木鉢内の充填材の状態、蔓（茎）に花を付ける植物、或いは蔓（茎）に花を付ける植物を模した造花等の根（株）の状態によっては仕立用支柱６が図示しない植木鉢に対して傾斜することによって植木鉢に対して不安定な状態になる場合がある。つまり、仕立用支柱６の直線部２２が図示しない植木鉢の軸方向に沿わずに図示しない植木鉢の軸方向に対して曲がる（傾斜）状態である。そのために、例１と同様に、図７に示すように、植木鉢内の充填材の状態、蔓（茎）に花を付ける植物、或いは蔓（茎）に花を付ける植物を模した造花等の根（株）の状態にかかわらず、仕立用支柱６が図示しない植木鉢に対して直立することを可能にするために支持部材１６が取り付けることになる。支持部材１６は、図７に示すように、例１と同様であり、中心には孔部であるリング部１６１が形成され、リング部１６１からは支持部１６２が伸びて、十字状の形状をなし、支持部１６２の端部側（支持部１６２のリング部１６１と反対側）にはフック部１６３が形成されている。そして、図７に示すように、支持部材１６のリング部１６１に棒状部材２の直線部２２を入り込ませて（挿入して）取り付けることで支持部材１６は棒状部材２の直線部２２に対して垂直にする。また、例１と同様にして、支持部材１６（の支持部１６２）を棒状部材２の直線部２２に対して垂直にして固定させる際に、接着剤等を用いることになる。つまり、接着剤等を用いることで、支持部材１６と棒状部材２の直線部２２とが直交した状態で固定することになる。
【００８４】
例１と同様して、支持部材１６を取り付けた仕立用支柱６を図示しない植木鉢に組み込むと、支持部材１６２のフック部１６３が図示しない植木鉢の縁部に載り、植木鉢内に入った直線部２２は植木鉢内の充填材、蔓（茎）に花を付ける植物、或いは蔓（茎）に花を付ける植物を模した造花等の根（株）によって保持され、仕立用支柱６は図示しない植木鉢に対して傾斜することなく直立した状態となる（図８参照）。本例においても、例１と同様に、フック部１６３は段部として形成されているが、仕立用支柱６を植木鉢に対してより直立した状態を維持し易くために、植木鉢の縁部を挟み込めるように支持部１６２の端部側（支持部１６２のリング部１６１と反対側）をさらに折り曲げて略コ字状の形状にする（図７の点線で示す構成を含めて略コ字状の形状にする）ことも可能であり、また、植木鉢の縁部に載せる支持部材１６のフック部１６３が安定した状態で植木鉢の縁部に載るように植木鉢の縁部に載せるフック部１６３を平板状の部材とすることも可能である。フック部１６３を平板状の部材とする場合には、フック部１６３に平板状の部材を取り付けることで植木鉢の縁部との接触面積を大きくし、仕立用支柱６を安定した状態で植木鉢に対して直立させることが可能になる。さらに、平板状の部材で形成した略コ字状の形状で植木鉢の縁部を挟み込むことで、仕立用支柱６の植木鉢に対してより直立した状態を維持し易くなる。なお、本例においても、例１と同様に、一本の直線部２２にのみ支持部材１６を取り付けているが、複数の直線部２２に支持部材１６を取り付けることも可能であり、その場合には各支持部材１６（各直線部２２）からの植木鉢の距離を考慮して支持部１６２の長さを決定し、フック部１６３が植木鉢の縁部に載るようにすることになる。その結果、複数の直線部２２に支持部材１６を取り付けることで仕立用支柱６をさらに安定した状態で植木鉢に対して直立させることが可能になる。複数の直線部２２に取り付けられた複数の支持部材１６のフック部１６３が植木鉢の縁部に載る（挟み込む）ことで、さらに安定して仕立用支柱６の植木鉢に対して直立させることが可能になる。その結果、仕立用支柱６に、蔓（茎）に花を付ける植物、或いは蔓（茎）に花を付ける植物を模した造花等を巻き付けても、これらの蔓（茎）の花が仕立用支柱６の回りのどの方向からより安定した状態で見ることが可能になる。
【００８５】
（例３）
図９には、例１及び例２に示す仕立用支柱１、６の変形である仕立用支柱８が示されている。仕立用支柱８も、例１及び例２と同様に、針金状の細長い棒状部材２を複数用いて形成されている。仕立用支柱６も、例１及び例２と同様に、針金状の細長い棒状部材２を複数用いて形成されている。本例においても、例１と同様に、金属製の針金状の細長い棒状部材２は、太さ（外径）２ｍｍであるが、特に、太さ（外径）２ｍｍに限定されることはなく、好ましくは２ｍｍから３ｍｍ程度である。また、本例においては、図９に示すように、三本の針金状の細長い棒状部材２を用いて仕立用支柱８を形成しているが、針金状の細長い棒状部材２は三本に限定されることはない。そして、本例においても、例１及び例２と同様に、複数である三本の、針金状の細長い棒状部材２を間隔をおいて並べることで針金状の細長い棒状部材２の束２９を形成している。各棒状部材２の一方の端部２１側には、図９に示すように、各棒状部材２の一方の端部２１を全て連結する、金属製のリング状の部材３０１が取り付けられている。リング状の部材３０１は、棒状部材２の一方の端部２１側に対して垂直に取り付けられている。本例では、各棒状部材２の一方の端部２１とリング状の部材３０１との連結は溶接で行われているが、特に溶接に限定されることなく接着剤等で行うことも可能である。
【００８６】
このように各棒状部材２の一方の端部２１側にリング状の部材３０１を設けることで、仕立用支柱８を植木鉢に組み込む際に仕立用支柱８を安定させた状態で組み込むことが可能になる。具体的には、仕立用支柱８を植木鉢に組み込むと、リング状の部材３０１が植木鉢内の内周面に当接することで、仕立用支柱８が植木鉢に対して傾斜して組み込まれる等、不安定な状態で仕立用支柱８が植木鉢に組み込まれ難くなる。つまり、リング状の部材３０１を植木鉢の内周面に当接させることでリング状の部材３０１は植木鉢の軸方向と垂直になり、仕立用支柱８（の直線部２２）が植木鉢（の軸方向）に対して沿うことになる。そして、リング状の部材３０１に連結された各棒状部材２の一方の端部２１より真っ直ぐに伸びた直線部２２が形成され、直線部２２の終点である変曲部２３１同士を連結部材７５より連結してある。連結部材７５は、図９に示すように、棒状の部材であり、本例では、棒状部材２と同様の部材であるが、棒状部材２より太い部材を用いることも可能である。連結部材７５の各変曲部２３１への連結に際しては、連結部材７５を、図９に示すように、直線部２２の長手方向を横切るように、各変曲部２３１に当接して溶接してある。各変曲部２３１からは、各棒状部材２を湾曲させた状態になっている。
【００８７】
各変曲部２３１からはそれぞれ湾曲部２０が形成されており、各湾曲部２０同士は同じ方向に伸びながら湾曲しており、本例においては、三本の棒状部材２により形成されているため、両側（外側）の湾曲部２０（棒状部材２）は中央の湾曲部２０（棒状部材２）に接近しながら湾曲して伸びている。また、各湾曲部２０は、図９に示すように、各直線部２２が並んで形成されているのと同様に、並んで湾曲して形成されており、両側（外側）の湾曲部２０（棒状部材２）と中央の湾曲部２０（棒状部材２）との距離が等しい状態（同じ間隔）となるように湾曲して伸びている。つまり、中央の湾曲部２０（棒状部材２）と一方の外側の湾曲部２０との距離と、中央の湾曲部２０（棒状部材２）と他方の外側の湾曲部２０との距離とが等しい状態（間隔）になっている。そして、仕立用支柱８の上方側８３に向かうに従って両側（外側）の湾曲部２０（棒状部材２）が狭くなり、最終的な仕立用支柱８の上方側８３では、各棒状部材２の他方の端部２７は一点に収束している（各棒状部材２の他方の端部２７が一点で溶接されて固定されている）。
【００８８】
そして、両側（外側）の、棒状部材２の湾曲部２０と、中央の棒状部材２の湾曲部２０とは、実質的に同一平面が形成できるように並んだ状態で仕立用支柱８の下方側８２から上方側８３まで形成されている。湾曲部２０を湾曲させるに際しては、図９に示すように、例１及び例２と同様に、棒状部材２の、変曲部２３１から他方の端部２７側に向かって渦巻き状の空間曲線２８として形成されている。そして、湾曲部２０は、直線部２２の端部である変曲部２３１より、直線部２２に対して鈍角方向に伸びて円弧を形成することになる。その際、例１及び例２と同様に、両側（外側）の、棒状部材２の湾曲部２０と、中央の棒状部材２の湾曲部２０とでなす、実質的に同一平面が変曲部２３１から他方の端部２７側に向かって少なくとも一回転して捻れた状態になっている。
【００８９】
図９に示す渦巻き状の空間曲線２８を形成するに際しては、例１及び例２と同様に、各棒状部材２は、以下に示す形状をなしている。各棒状部材２の一方の端部２１より第一変曲部２３まで真っ直ぐに伸びた直線部２２を形成し、真っ直ぐに伸びた状態の終点である変曲部２３１より各棒状部材２を湾曲させた状態になっている。この変曲部２３１からは湾曲部２０が形成されており、湾曲部２０を湾曲させるに際しては、中心を束２９の真中の棒状部材２にして束２９を円弧で囲む渦巻き状の空間曲線２８として棒状部材２の他方の端部２７側に向かって形成されている。その際、湾曲部２０は、直線部２２の端部である変曲部２３１より、直線部２２に対して鈍角方向、本例では、例１及び例２と同様に、図２に示すように、角度２２０°方向に伸びて円弧を形成することになる。つまり、直線部２２の延長方向（棒状部材２の他方の端部２７側方向）に湾曲部２０が変曲部２３１から、図２（ａ）に示すように、直線部２２に対して角度２２０°方向に伸び、図９に示すように、直線部２２の延長方向（棒状部材２の他方の端部２７側方向）において、束２９の真中の棒状部材２を中心にして束２９を囲む円弧を形成して伸びている。そして、図９に示すように、変曲部２３１から湾曲部（第一湾曲部）２０が伸び、湾曲部２０が渦巻き状の空間曲線２８を形成するために湾曲部２０が湾曲部２３１から伸びてきた方向とは異なる方向に切り替わり（反転し）、その切り替わる（反転する）位置が変曲部２５１として形成されている。
【００９０】
変曲部２５１では、図９に示すように、変曲部２３１から伸びる湾曲部２０より変曲部２５１から伸びる湾曲部（第二湾曲部）２０が高い位置に向かう（変曲部２３１から離れる方向に向かう）。つまり、湾曲部２０は、リング状の部材３０１から離れる方向に向かい、棒状部材２の他方の端部２７側方向へ伸びている。変曲部２５１では、変曲部２３１から伸びる湾曲部２０と変曲部２５１から伸びる湾曲部２０とが円弧状に滑らかにつながって連続している。また、本例でも、例１及び例２と同様に、変曲部２３１から伸びる湾曲部２０の接線（方向）Ｓ１と変曲部２５１から伸びる湾曲部２０の接線（方向）Ｓ２とでなす角度γの鋭角をなしており、本例でも、図２に示すように、角度２００°方向に伸びて円弧を描くことになる。ただし、変曲部２３１から伸びてきた湾曲部２０の接線（方向）と変曲部２５１から伸びていく湾曲部２０の接線（方向）とでなす角度γは鋭角に限定されることなく鈍角であってもよい。つまり、直線部２２の延長方向（棒状部材２の他方の端部２７側方向）に変曲部２５１から湾曲部２０が伸び、図９に示すように、直線部２２の延長方向（棒状部材２の他方の端部２７側方向）において、束２９の真中の棒状部材２を中心にして束２９を囲む円弧を形成して伸びている。
【００９１】
このとき、本例でも、例１及び例２と同様に、変曲部２３１から伸びる湾曲部２０が形成する円弧の外径と変曲部２５１から伸びる湾曲部２０が形成する外径は同じであるが、必ずしも同じである必要はない。例えば、変曲部２３１から伸びる湾曲部２０の形成する円弧の外径より変曲部２５１から伸びる湾曲部２０の形成する円弧の外径を大きくして、束２９の真中の棒状部材２を中心にして束２９を囲む円弧を形成して伸びることも可能である。逆に、変曲部２５１から伸びる湾曲部２０の形成する円弧の外径より変曲部２３１から伸びる湾曲部２０の形成する円弧の外径を大きくして、束２９の真中の棒状部材２を中心にして束２９を囲む円弧を形成して伸びることも可能である。そして、変曲部２５１から伸びる湾曲部２０においても、図９に示すように、変曲部２３１同士を連結した連結部材７５により棒状部材２を連結している。連結部材７５による連結に際しては、連結部材７５を、棒状部材２の長手方向を横切るように、各棒状部材２に当接して溶接してある（取り付けてある）。変曲部２５１から伸びる湾曲部２０において用いる連結部材７５は、変曲部２３１同士を連結した連結部材７５と同様に、棒状部材２と異なる太さのものを用いることも可能である。
【００９２】
さらに、図９に示すように、変曲部２５１から湾曲部２０が伸び、渦巻き状の空間曲線２８を形成するために、さらに湾曲部２０が変曲部２５１から伸びる湾曲部２０の方向とは異なる方向に切り替わり（反転し）、その切り替わる（反転する）位置が変曲部２５２として形成されている。そして、変曲部２５１から伸びる湾曲部２０より変曲部２５２から伸びる湾曲部（第三湾曲部）２０が高い位置に向かう（棒状部材２の他方の端部２７側に向かう）。つまり、変曲部２５２から伸びる湾曲部２０も、変曲部２５１から伸びる湾曲部２０と同様に、リング状の部材３０１から離れる方向に向かい、棒状部材２の他方の端部２７側方向へ伸びている。変曲部２５２では、変曲部２５１から伸びる湾曲部２０と変曲部２５２から伸びる湾曲部２０とが円弧状に滑らかにつながって連続している。また、本例の仕立用支柱８では、図９に示すように、中央の湾曲部２０（棒状部材２）と一方の外側の湾曲部２０との距離と、中央の湾曲部２０（棒状部材２）と他方の外側の湾曲部２０との距離とを保持するために（仕立用支柱８を補強するために）連結部材７５を適宜設けてある。本例では、連結部材７５を変曲部２３１に設けた連結部材７５を含め二箇所に設けているが、仕立用支柱８の長さや大きさにより二箇所以上に設けることも可能である。例えば、変曲部２５２から伸びる湾曲部２０においても、変曲部２５１から伸びる湾曲部２０と同様に、連結部材７５を取り付けることも可能である。
【００９３】
また、本例では、例１及び例２と同様に、変曲部２５１における傾斜角度と同様に、変曲部２５１から伸びる湾曲部２０の接線（方向）Ｓ３と変曲部２５２から伸びる湾曲部２０の接線（方向）Ｓ４とでなす角度γをなしている。つまり、変曲部２５１から伸びる湾曲部２０に対して変曲部２５２から伸びる湾曲部２０も、変曲部２３１から伸びる湾曲部２０と変曲部２５１から伸びる湾曲部２０とでなす角度と同様に、図２に示すように、角度２００°方向に伸びて円弧を形成することになる。そして、直線部２２の延長方向（棒状部材２の他方の端部２７側方向）に変曲部２５２から湾曲部２０が伸び、図９に示すように、直線部２２の延長方向（棒状部材２の他方の端部２７側方向）において、束２９の真中の棒状部材２を中心にして束２９を囲む円弧を形成して伸びている。
【００９４】
このとき、本例では、例１及び例２と同様に、変曲部２５１から伸びる湾曲部２０が形成する円弧の外径と変曲部２５２から伸びる湾曲部２０が形成する外径は同じであるが、必ずしも同じである必要はない。例えば、変曲部２５１から伸びる湾曲部２０の形成する円弧の外径より変曲部２５２から伸びる湾曲部２０の形成する円弧の外径を大きくして、束２９の真中の棒状部材２を中心にして束２９を囲む円弧を形成して伸びることも可能である。逆に、変曲部２５２から伸びる湾曲部２０の形成する円弧の外径より変曲部２５１から伸びる湾曲部２０の形成する円弧の外径を大きくして、束２９の真中の棒状部材２を中心にして束２９を囲む円弧を形成して伸びることも可能である。
【００９５】
以上のように、本例においては、図９に示すように、変曲部２５１における傾斜角度と変曲部２５２における傾斜角度とが角度γで共通にしているが、必ずしも共通の角度である必要はない。ここで、傾斜角度は、例１及び例２と同様に、同じ棒状部材２の、変曲部２３１から伸びる湾曲部２０における接線Ｓ１と変曲部２５１から伸びる湾曲部２０における接線Ｓ２とを、変曲部２５１側へそれぞれ伸ばすことで形成される交点Ｚを中心とする、変曲部２５１側の角度（角度γ）である。また、本例においては、傾斜角度は、同じ棒状部材２の、変曲部２５１から伸びる湾曲部２０における接線Ｓ３と変曲部２５２から伸びる湾曲部２５２における接線Ｓ４とを、変曲部２５２側にそれぞれ伸ばすことで形成される交点Ｚを中心とする、変曲部２５２側の角度（角度γ）である。そして、角度γは鋭角に限定されることなく鈍角であってもよい。そして、本例では、図９に示すように、湾曲部２０が仕立用支柱８の上方側８３（棒状部材２の他方の端部２７）に到達することになる。
【００９６】
本例では、例１及び例２とは異なり、各棒状部材２を湾曲させた湾曲部２０のみで渦巻き状の空間曲線２８を形成しているが、例１及び例２と同様に、渦巻き状の空間曲線２８の傾斜角度を変えるために、湾曲部２０の途中から異なる傾斜角度の渦巻き状の空間曲線２８を連結することで湾曲部２０を形成することも可能である。ただし、必ずしも異なる傾斜角度の渦巻き状の空間曲線２８を連結することに限定されず、連続して伸びている渦巻き状の空間曲線２８の傾斜角度を異なるように曲げることで傾斜角度を変えることも可能である。本例においても、例１及び例２と同様に、変曲部２５１を境目に、変曲部２３１から伸びる湾曲部２０と変曲部２５１から伸びる湾曲部２０との円弧をなして傾斜する角度が異なる構成とすることも可能である。その場合、変曲部２３１から伸びる湾曲部２０の渦巻き状の空間曲線２８と変曲部２５１から伸びる湾曲部２０の渦巻き状の空間曲線２８は傾斜する角度が異なることになる。
【００９７】
具体的には、例１及び例２と同様に、図２（ｂ）に示すように、変曲部２５１を通り仕立用支柱９（棒状部材２の長手方向）を横断する方向の（に伸びる）ラインＬに対して変曲部２３１から伸びる湾曲部２０が角度αをなしており、ラインＬに対して変曲部２５１から伸びる第二湾曲部２０が角度βをなしている。この場合も、例１及び例２と同様に、変曲部２３１から伸びる湾曲部２０への接線Ｓ１とラインＬとでなす角度αとなり、変曲部２５１から伸びる湾曲部２０への接線Ｓ２とラインＬとでなす角度βとなっている。変曲部２３１から伸びる湾曲部２０より変曲部２５１から伸びる湾曲部２０の方がラインＬに接近した角度で形成されており、変曲部２３１から伸びる湾曲部２０と変曲部２５１から伸びる湾曲部２０とは変曲部２５１を通り、仕立用支柱８の軸方向を横断する方向に対して伸びるラインＬに対して第一湾曲部２４より第二湾曲部２６の方がラインＬに対する角度が小さく形成されている（α＞β）。
【００９８】
また、同様に、変曲部２３１から伸びる湾曲部２０側より変曲部２５１から伸びる湾曲部２０側の方がラインＬに対して傾斜する角度を小さく形成するために、傾斜角度である角度γを角度αと角度βに分割することで達成することも可能である。具体的には、図２（ｃ）に示すように、変曲部２３１から伸びる湾曲部２０における接線Ｓ１とラインＬとの角度を角度αとし、変曲部２５１から伸びる湾曲部２０における接線Ｓ２とラインＬとの角度を角度βとする（α＞β）。その結果、変曲部２３１から伸びる湾曲部２０側より変曲部２５１から伸びる湾曲部２０側の方がラインＬに対して傾斜する角度が小さくなる。本例においては、変曲部２３１から伸びる湾曲部２０と直線部２２とでなす角度は２２０°であり、変曲部２３１から伸びる湾曲部２０と変曲部２５１から伸びる湾曲部２０とでなす角度は２００°であり、変曲部２５１から伸びる湾曲部２０と変曲部２５２から伸びる湾曲部２０とでなす角度は２００°である。ただし、変曲部２３１から伸びる湾曲部２０と直線部２２とでなす角度が、変曲部２３１から伸びる湾曲部２０と変曲部２５１から伸びる湾曲部２０とでなす角度、及び変曲部２５１から伸びる湾曲部２０と変曲部２５１から伸びる湾曲部２０とでなす角度り大きければ、本例での２２０°、２００°に限定されることはない。
【００９９】
そして、本例においても、例１及び例２と同様に、仕立用支柱８を、図９に示すように正面から捉えると、複数の（三本の）棒状部材２からなる実質的な平面２９１の一方の面２９２側が変曲部２３１から伸びて変曲部２５１で実質的な平面２９１が反転して変曲部２５１から他方の面２９３側が伸びて、変曲部２５２で実質的な平面２９１が反転して変曲部２５２から一方の面２９２側が伸びている。つまり、仕立用支柱８を図９に示す正面から捉えると、一方の面２９２側が伸び、つぎに他方の面２９３側が伸びて再度一方の面２９２が伸びて一回転して捻れた状態になっている。また、本例においては、例１及び例２とは異なり、湾曲部２０を湾曲させるに際しての中心は、束２９の真中の棒状部材２を中心にして束２９を囲む円弧を形成して伸びている。本例においては、束２９を複数形成せずに一つであるため束２９の位置によって規制されることなく、自由な位置とすることも可能になる。ただし、本例においては、各棒状部材２の他方の端部２７が一点に収束して連結された位置が変曲部２３１より上方側に形成されることが必要になる。
【０１００】
つまり、仕立用支柱８は、例１及び例２とは異なり、複数の棒状部材２からなる、一つの束２９で形成されており、湾曲部２０である渦巻き状の空間曲線２８は、複数の（三本の）棒状部材２からなる実質的に同一平面として直線部２２を延長する方向に形成されることに限定されることはない。渦巻き状の空間曲線２８は、複数の（三本の）棒状部材２からなる実質的に同一平面として、直線部２２に対して傾斜して、捻れて一回転した状態で形成されることも可能である。このように、本例においても、仕立用支柱８を構成する棒状部材２が渦巻き状の空間曲線２８を形成されているために、渦巻き状の空間曲線２８に蔓（茎）に花を付ける植物、或いは蔓（茎）に花を付ける植物を模した造花等を巻き付けることで蔓（茎）に花を付ける植物、或いは蔓（茎）に花を付ける植物を模した造花等をコンパクトにまとることができる。
【０１０１】
以上の構成の仕立用支柱８に蔓（茎）に花を付ける植物、例えば、胡蝶蘭Ａをはわせる（巻き付ける）ことになる。仕立用支柱８に胡蝶蘭Ａをはわせる（巻き付ける）ためには、まず、植木鉢Ｗ内に仕立用支柱８を組み込む。組み込みに際しては、仕立用支柱８の下方側８２を植木鉢Ｗ内に向けて組み込み、仕立用支柱８のリング状の部材３０１を植木鉢Ｗの内周面に当接させ、仕立用支柱８を植木鉢Ｗに対して直立した状態にする。その後、胡蝶蘭Ａの株（根）を仕立用支柱８のリング状の部材３０１に載せるようにして植木鉢Ｗに組み込む（植え込む）。胡蝶蘭Ａを植木鉢Ｗに組み込んだ後に、胡蝶蘭Ａの花茎Ａ１を仕立用支柱８の湾曲部２０である渦巻き状の空間曲線２８にはわせる（巻き付ける）。はわせる（巻き付ける）に際しては、仕立用支柱８（棒状部材２）の直線部２２には胡蝶蘭Ａの花茎Ａ１をはわせず（巻き付けず）、湾曲部２０に沿って胡蝶蘭Ａの花茎Ａ１をはわす（巻き付ける）ことにより、容易に渦巻き状に胡蝶蘭Ａの花茎Ａ１を曲げることが可能になり、それに対応して胡蝶蘭Ａの花Ａ２を仕立用支柱８（湾曲部２０）の回りに咲かせた状態にすることが可能になる。
【０１０２】
胡蝶蘭Ａの花茎Ａ１と湾曲部２０との固定は、胡蝶蘭Ａの花茎Ａ１と湾曲部２０とを間隔をおいて、複数箇所にテープＢを巻回することで行われている。本例においては、テープＢを用いることで胡蝶蘭Ａの花茎Ａ１と湾曲部２０とを重ね合わせてその上からテープＢを巻回してテープＢの端部をテープＢ上に接着剤で貼り付けることで固定している。ただし、胡蝶蘭Ａの花茎Ａ１を傷付けない限り、テープＢを用いることに限定されない。例えば、接着剤を直接、胡蝶蘭Ａの花茎Ａ１と湾曲部２０との間に塗布することで胡蝶蘭Ａの花茎Ａ１と湾曲部２０との固定を行うことも可能である。本例においては、仕立用支柱８の三本の棒状部材２の内、中央の棒状部材２に胡蝶蘭Ａを固定しているが、中央の棒状部材２に限定されることなく、両側（外側）の湾曲部２０を形成している棒状部材２、２と胡蝶蘭Ａの花茎Ａ１とをテープＢで巻回して固定することも可能である。また、必ずしも三本の棒状部材２の内、一本の棒状部材２に胡蝶蘭Ａの花茎Ａ１が固定されることに限定されず、二本、或いは三本の棒状部材に跨って胡蝶蘭Ａの花茎Ａ１が固定されることも可能である。
【０１０３】
以上のようにして、胡蝶蘭Ａの花茎Ａ１と湾曲部２０と固定することにより、図１０に示すように、仕立用支柱８に胡蝶蘭Ａをはわすこと（巻き付けること）になる。その結果、胡蝶蘭Ａは仕立用支柱８の湾曲部２０である渦巻き状の空間曲線２８に沿って、渦巻き状に仕立用支柱８の上方側８３に伸びた状態になる。その際、胡蝶蘭の花Ａ２は三本の棒状部材２で形成される実質的な平面（実質的に同一平面）２９１に載る状態で配置されることになる。つまり、胡蝶蘭Ａの花びらであるトップセパル、アンダーセパルを含めたペダルが三本の棒状部材２で形成される実質的な平面（実質的に同一平面）２９１に沿う状態（三本の棒状部材２で形成される実質的な平面２９１に対して胡蝶蘭Ａの花びらであるトップセパル、アンダーセパルを含めたペダルが平行に近い状態）で配置されることになる。胡蝶蘭Ａは三本の棒状部材２で形成される実質的な平面２９１の一方の面２９２側に限定されることになく適宜他方の面側２９３にも配置されることになる（本例においては、一方の面２９２側に胡蝶蘭Ａの花茎Ａ１が配置されている）。このようにして、三本の棒状部材２で形成される実質的な平面（実質的に同一平面）２９１に胡蝶蘭Ａの花Ａ２が配置されることで胡蝶蘭Ａの花Ａ２が仕立用支柱８の渦巻き状の空間曲線２８に沿って設けられ仕立用支柱８の回りのどの方向からも胡蝶蘭Ａの花Ａ２を見ることが可能になる。また、蔓（茎）に花を付ける植物を模した造花等の胡蝶蘭Ａの花Ａ２の場合でも、同様に、胡蝶蘭Ａの花茎Ａ２を仕立用支柱９９０に沿って渦巻き状に形成することができる。
【０１０４】
以上では、直線部２２に沿う方向（直線部２２の延長方向に湾曲部２０である渦巻き状の空間曲線２８が形成された、図９に示す仕立用支柱８に胡蝶蘭Ａの花茎Ａ１を巻き付けた状態が示されているが、仕立用支柱８は、図９に示す形態に限定されることなく、種々の形態をとることが可能であり、例えば、図１１に示す形態をとることも可能である。仕立用支柱８では、基本的に、複数の棒状部材２の他方の端部２７である一点に収束して連結された位置が変曲部２３１より上方側に形成されていればよく、複数の棒状部材２の他方の端部２７である一点に収束して連結された位置が直線部２２に沿う方向（直線部２２の延長方向）に形成されている必要はない。図１１では、図示していない直線部２２に対して湾曲部２０が斜め方向に伸びて形成されているが、複数の棒状部材２の他方の端部２７である一点に収束して連結された位置が変曲部２３１より上方側に形成されている。従って、渦巻き状の空間曲線２８が直線部２２に対して傾斜した状態で形成されている。図１１では、植木鉢Ｗ内に仕立用支柱８が二本組み込まれており、仕立用支柱８、８の、図示しないリング状の部材３０１を重ね合わせて植木鉢Ｗ内に組み込んである。
【０１０５】
そして、仕立用支柱８、８の、図示しないそれぞれの変曲部２３１から湾曲部２０が、直線部２２に対して傾斜した状態で、湾曲部２０を形成する複数の（三本の）棒状部材２が並んだ状態で渦巻き状に伸び、複数の（三本の）棒状部材２が並んだ状態で渦巻き状に捻れることで、直線部２２側の湾曲部２０の複数の（三本の）棒状部材２が並んだ状態に対して、複数の（三本の）棒状部材２の他方の端部２７側では複数の（三本の）棒状部材２が並んだ状態で少なくとも実質的な平面２９１が一回転した状態になっている。図１０と同様に、図１１においても胡蝶蘭Ａをはわせる（巻き付ける）ことになる。仕立用支柱８に胡蝶蘭Ａをはわせる（巻き付ける）ためには、図１０の場合と同様に、仕立用支柱８の下方側８２のリング状の部材３０１を植木鉢Ｗの内周面に当接させ、仕立用支柱８を植木鉢Ｗに対して直立した状態にして植木鉢Ｗ内に二つの仕立用支柱８、８を組み込む。そして、胡蝶蘭Ａの株（根）を仕立用支柱８のリング状の部材３０１に載せ、胡蝶蘭Ａを植木鉢Ｗに組み込み、胡蝶蘭Ａの花茎Ａ１を仕立用支柱８の湾曲部２０である渦巻き状の空間曲線２８にはわせる（巻き付ける）。図１０の場合と同様に、湾曲部２０に沿って胡蝶蘭Ａの花茎Ａ１をはわす（巻き付ける）ことにより、容易に渦巻き状に胡蝶蘭Ａの花茎Ａ１を曲げることが可能になり、それに対応して胡蝶蘭Ａの花Ａ２を仕立用支柱８（湾曲部２０）の回りに咲かせた状態にすることが可能になる。
【０１０６】
胡蝶蘭Ａの花茎Ａ１と湾曲部２０との固定は、図１０の場合と同様にして行い、胡蝶蘭Ａの花びらであるトップセパル、アンダーセパルを含めたペダルが三本の棒状部材２で形成される実質的な平面（実質的に同一平面）２９１に沿う状態（三本の棒状部材２で形成される実質的な平面２９１に対して胡蝶蘭Ａの花びらであるトップセパル、アンダーセパルを含めたペダルが平行に近い状態）で配置されることになる。図１１においても、図１０の場合と同様に、胡蝶蘭Ａは渦巻き状に仕立用支柱８の上方側８３に伸びた状態になり、胡蝶蘭Ａは三本の棒状部材２で形成される実質的な平面２９１の一方の面２９２側に限定されることになく適宜他方の面側２９３にも配置されることになる（本例においては、一方の面２９２側に胡蝶蘭Ａの花茎Ａ１が配置されている）。このようにして、図１１においても三本の棒状部材２で形成される実質的な平面（実質的に同一平面）２９１に胡蝶蘭Ａの花Ａ２が配置されることで胡蝶蘭Ａの花Ａ２が仕立用支柱８の渦巻き状の空間曲線２８に沿って設けられ仕立用支柱８の回りのどの方向からも胡蝶蘭Ａの花Ａ２を見ることが可能になる。また、蔓（茎）に花を付ける植物を模した造花等の胡蝶蘭Ａの花Ａ２の場合でも、同様に、胡蝶蘭Ａの花茎Ａ２を仕立用支柱９９０に沿って渦巻き状に形成することができる。
【０１０７】
なお、以上においては、仕立用支柱８にリング状の部材３０１を取り付けて、植木鉢Ｗに組み込んでいるが、リング状の部材３０１がない仕立用支柱８を植木鉢Ｗに組み込んで、植木鉢Ｗの中へ入れる小石等、或いは、蔓（茎）に花を付ける植物、或いは蔓（茎）に花を付ける植物を模した造花等の株（根）により、棒状部材２の一方の端部２１側である直線部２２を支持することで、植木鉢Ｗに対して仕立用支柱８を安定させることも可能である。このようにして、仕立用支柱８を植木鉢Ｗに対して安定させて、渦巻き状の空間曲線２８に蔓（茎）に花を付ける植物、或いは蔓（茎）に花を付ける植物を模した造花等を巻き付けることで蔓（茎）に花を付ける植物、或いは蔓（茎）に花を付ける植物を模した造花等をコンパクトにまとることができる。
【０１０８】
（例４）
図１２には、仕立用支柱６０が示されている。仕立用支柱６０は、例１乃至例３とは異なり、円筒状の部材により形成されている。図１２に示す仕立用支柱６０は、一般の植木鉢と同じように粘土に類する材質で形成されているが、樹脂製の部材で形成することも可能である。仕立用支柱６０を形成する円筒状の部材は、側面部６０１と底面部６０２とから形成されている。側面部６０１は円筒状の形状をなし、側面部６０１の一方の端部側には底面部６０２が設けられており、側面部６０１では、底面部６０２側に孔部６０３が形成されている。孔部６０３は、図１２に示すように、楕円状に側面部６０１を貫通して形成されており、本例においては、孔部６０３は側面部６０１の周囲に沿って等間隔で三箇所に形成されているが、三箇所に限定されることなく三箇所より多くても少なくてもよく、また、等間隔で形成されることに限定されず、異なる間隔で形成されることも可能である。また、本例では、三箇所に形成された孔部６０３は、底面部６０２から等しい距離（高さ）にあるが、特に側面部６０１に形成された孔部６０３は全て底面部６０２から同じ高さに形成される必要はない。例えば、孔部６０３を側面部６０１の外周に沿って傾斜させて並べることで側面部６０１に形成することも可能である。なお、本例において孔部６０３は、楕円状の形状に形成されているが、特に、楕円状の形状（楕円形）に限定されることなく、植木鉢等を組み込める形状であれば、四角形等の形状にすることも可能である。
【０１０９】
また、仕立用支柱６０では、図１２に示すように、小孔部６０４が複数形成されている。小孔部６０４は孔部６０３より小さく、孔部６０３と同様に、側面部６０１を貫通して形成されており、側面部６０１に円形状で形成されている。ただし、小孔部６０４は、側面部６０１を貫通して形成されていれば、円形状に限定されることなく楕円形、或いは四角形等の形状をとることも可能である。さらに、小孔部６０４は、図１２に示すように、孔部６０３と側面部６０１の他方の端部６０５との間を、側面部６０１に沿って、例１乃至例３と同様に、渦巻き状になるように複数形成されている。
【０１１０】
つまり、小孔部６０４の列は、孔部６０３と側面部６０１の他方の端部６０５との間を、側面部６０１に沿って、小孔部６０４の列を湾曲させた状態で形成されている。孔部６０３からは、例１及び例２における第一湾曲部２４（例３における湾曲部２０）に対応する小孔部６０４の列が形成されており、小孔部６０４の列を湾曲させるに際しては、側面部６０１に沿うことで湾曲させることが可能になる。その際、例１及び例２における第一湾曲部２４（例３における湾曲部２０）に対応する小孔部６０４の列は、孔部６０３（の、仕立用支柱６０の軸方向に沿う、側面部６０１の他方の端部６０５側）より、孔部６０３の、仕立用支柱６０の軸方向に対して鈍角方向、本例では、図２に示すように、角度δ方向に伸びて（本例では角度２２０°方向に伸びて）円弧を形成することになる。つまり、例１及び例２における第一湾曲部２４に対応する小孔部６０４の列が孔部６０３から、図２（ａ）及び図１２に示すように、孔部６０３の、仕立用支柱６０の軸方向に沿って孔部６０３を横断する直線ＬＬ１に対して角度δ方向に伸び（本例においては、角度２２０°方向に伸び）、図１２に示すように、仕立用支柱６０の側面部６０１に沿って伸びることで円弧を形成している。円弧の形成に際しては、本例においては、小孔部６０４の列自体を湾曲させることなく、直線ＬＬ１に対して角度２２０°方向に伸びて形成されている。ただし、小孔部６０４の列自体を湾曲させながら、直線ＬＬ１に対して角度２２０°方向に伸びて形成することも可能である。この場合の円弧の形成に際しては、仕立用支柱６０の側面部６０１に沿うことで円弧が形成されるとともに、小孔部６０４の列自体が真っ直ぐではなく曲線を形成することで円弧をなして、小孔部６０４の列を形成することになる。そして、図１２に示すように、孔部６０３から例１及び例２における第一湾曲部２４（例３における湾曲部２０）に対応する小孔部６０４の列が伸び、渦巻き状の空間曲線２８を形成するために、例１及び例２における第二湾曲部２６（例３における湾曲部２０）に対応する小孔部６０４の列が例１及び例２（及び例３）における第一湾曲部２４（例３における湾曲部２０）に対応する小孔部６０４の列が伸びてきた方向とは異なる方向に切り替わり（反転し）、その切り替わる（反転する）位置が変曲部６２５として形成される。
【０１１１】
変曲部６２５では、図１２に示すように、孔部６０３側から形成された小孔部６０４の列より変曲部６２５から形成された小孔部６０４の列が高い位置に向かう（仕立用支柱６０の、側面部６０１の他方の端部６０５側に向かう）。変曲部６２５では、例１乃至例３と同様に、孔部６０３側から形成された小孔部６０４の列と変曲部６２５から形成された小孔部６０４の列とが円弧状に滑らかにつながって連続している。また、本例では、例１乃至例３と同様に、孔部６０３側から形成された小孔部６０４の列の接線（方向）Ｓ５と変曲部６２５から形成された小孔部６０４の列の接線（方向）Ｓ６とでなす角度γをなしている。本例では、図１２に示すように、小孔部６０４の列が孔部６０３側から形成され、変曲部６２５より角度γ方向に形成されて円弧を描くことになる。つまり、孔部６０３側から小孔部６０４の列が仕立用支柱６０の側面部６０１に形成され、変曲部６２５より角度γ方向へ小孔部６０４の列が仕立用支柱６０の側面部６０１に形成されることで、小孔部６０４の列が仕立用支柱６０の円筒状の形状に沿うことになり円弧を描くことになる。そして、本例においては、変曲部６２５から形成された小孔部６０４の列が仕立用支柱６０の、側面部６０１の他方の端部６０５に到達することで小孔部６０４の列が終了している。
【０１１２】
なお、仕立用支柱６０に形成された、小孔部６０４の列は、本例に示すように、変曲部６２５から形成された小孔部６０４の列が仕立用支柱６０の、側面部６０１の他方の端部６０５に到達することで終端となる構成に限定されず、例えば、孔部６０３側から形成される小孔部６０４の列と直線ＬＬ１とでなす角度、及び角度γの大きさを変更することで仕立用支柱６０の側面部６０１に複数の変曲部を形成して孔部６０３と側面部６０１の他方の端部６０５との間に小孔部６０４の列を形成することも可能である。
【０１１３】
また、本例においても、例１乃至例３と同様に、角度γを角度αと角度βとに形成することが可能である。つまり、本例においても、図１２及び図１３（ａ）に示すように、変曲部６２５を通り仕立用支柱６０の長手方向を横断する方向に伸びるラインＬに対して孔部６０３側から形成された小孔部６０４の列が角度αをなし、ラインＬに対して変曲部６２５から形成された小孔部６０４の列が角度βをなすことも可能である。本例の場合には、例１乃至例３とは異なり、孔部６０３側から形成された小孔部６０４の列への変曲部６２５からの接線Ｓ５とラインＬとでなす角度を角度αとし、変曲部６２５から形成された小孔部６０４の列への変曲部６２５からの接線Ｓ６とラインＬとでなす角度を角度βとすることで第一湾曲部２４（湾曲部２０）に対応する小孔部６０４の列側より第二湾曲部２６（湾曲部２０）に対応する小孔部６０４の列側の方がラインＬから離れた角度で形成されている。その結果、仕立用支柱６０の軸方向を横断するラインＬに対して第一湾曲部２４（湾曲部２０）に対応する小孔部６０４の列側より第二湾曲部２６（湾曲部２０）に対応する小孔部６０４の列側の方がラインＬへ傾斜する角度が大きく形成されることになる（α＜β）。つまり、本例においては、図１３（ａ）に示すように、例１乃至例３と異なり、変曲部６２５より第一湾曲部２４（湾曲部２０）に対応する小孔部６０４の列及び第二湾曲部２６（湾曲部２０）に対応する小孔部６０４の列へ接線を引いた際に、第一湾曲部２４（湾曲部２０）に対応する小孔部６０４の列側の接線Ｓ５より第二湾曲部２６（湾曲部２０）に対応する小孔部６０４の列側の接線Ｓ６の方がラインＬへ傾斜する角度が大きく形成されている（図１２）。
【０１１４】
また、本例においては、第一湾曲部２４（湾曲部２０）に対応する小孔部６０４の列側より第二湾曲部２６（湾曲部２０）に対応する小孔部６０４の列側の方がラインＬに対して傾斜する角度を大きく形成するために、図１３（ｂ）に示すように、傾斜角度である角度γを角度αと角度βに分割することで達成することも可能である。具体的には、図１３（ａ）に示す接線Ｓ５、Ｓ６とは異なり、第一湾曲部２４（湾曲部２０）に対応する小孔部６０４の列と第二湾曲部２６（湾曲部２０）に対応する小孔部６０４の列とからのそれぞれの接線の交点がラインＬ上で一点で交わる、第一湾曲部２４（湾曲部２０）に対応する小孔部６０４の列と第二湾曲部２６（湾曲部２０）に対応する小孔部６０４の列との対応する位置（対向する位置）より、第一湾曲部２４（湾曲部２０）に対応する小孔部６０４の列と第二湾曲部２６（湾曲部２０）に対応する小孔部６０４の列とにそれぞれの接線を設けている。そして、第一湾曲部２４（湾曲部２０）に対応する小孔部６０４の列の接線Ｓ５と第二湾曲部２６（湾曲部２０）に対応する小孔部６０４の列の接線Ｓ６とがラインＬで交わる位置がＺとなり、ラインＬと第一湾曲部２４（湾曲部２０）に対応する小孔部６０４の列の接線Ｓ５とでなす角度が角度α、ラインＬと第二湾曲部２６（湾曲部２０）に対応する小孔部６０４の列の接線Ｓ６とでなす角度が角度βとすることで（α＜β）、第一湾曲部２４（湾曲部２０）に対応する小孔部６０４の列側より第二湾曲部２６（湾曲部２０）に対応する小孔部６０４の列側の方がラインＬに対して傾斜する角度を大きくしている。以上のように、傾斜角度γを角度αと角度βに分割するに際して、図１３おいて示したが、特にこれらの構成に限定されることなく、第一湾曲部２４（湾曲部２０）に対応する小孔部６０４の列側より第二湾曲部２６（湾曲部２０）に対応する小孔部６０４の列側の方がラインＬに対して傾斜する角度を大きくできればよい。
【０１１５】
なお、本例においても、孔部６０３側から形成された小孔部６０４の列への変曲部６２５からの接線Ｓ５とラインＬとでなす角度を角度αとし、変曲部６２５から形成された小孔部６０４の列への変曲部６２５からの接線Ｓ６とラインＬとでなす角度を角度βとすることで第一湾曲部２４（湾曲部２０）に対応する小孔部６０４の列側より第二湾曲部２６（湾曲部２０）に対応する小孔部６０４の列側の方がラインＬに接近した角度で形成することは可能である。その場合、仕立用支柱６０の軸方向を横断するラインＬに対して第一湾曲部２４（湾曲部２０）に対応する小孔部６０４の列側より第二湾曲部２６（湾曲部２０）に対応する小孔部６０４の列側の方がラインＬへ傾斜する角度が小さく形成されることになる（α＞β）。つまり、本例においても、図２（ｂ）に示すように、例１乃至例３と同様に、変曲部６２５より第一湾曲部２４（湾曲部２０）に対応する小孔部６０４の列及び第二湾曲部２６（湾曲部２０）に対応する小孔部６０４の列へ接線を引いた際に、第一湾曲部２４（湾曲部２０）に対応する小孔部６０４の列側の接線Ｓ５より第二湾曲部２６（湾曲部２０）に対応する小孔部６０４の列側の接線Ｓ６の方がラインＬへ傾斜する角度が小さく形成されることが可能になる。
【０１１６】
また、本例においては、例１乃至例３と同様に、第一湾曲部２４（湾曲部２０）に対応する小孔部６０４の列側より第二湾曲部２６（湾曲部２０）に対応する小孔部６０４の列側の方がラインＬに対して傾斜する角度を小さく形成するために、図２（ｃ）に示すように、傾斜角度である角度γを角度αと角度βに分割することで達成することも可能である。具体的には、図２（ｂ）に示す接線Ｓ１（Ｓ５）、Ｓ２（Ｓ６）とは異なり、第一湾曲部２４（湾曲部２０）に対応する小孔部６０４の列と第二湾曲部２６（湾曲部２０）に対応する小孔部６０４の列とからのそれぞれの接線の交点がラインＬ上で一点で交わる、第一湾曲部２４（湾曲部２０）に対応する小孔部６０４の列と第二湾曲部２６（湾曲部２０）に対応する小孔部６０４の列との対応する位置（対向する位置）より、第一湾曲部２４（湾曲部２０）に対応する小孔部６０４の列と第二湾曲部２６（湾曲部２０）に対応する小孔部６０４の列とにそれぞれの接線を設けている。そして、第一湾曲部２４（湾曲部２０）に対応する小孔部６０４の列の接線Ｓ５と第二湾曲部２６（湾曲部２０）に対応する小孔部６０４の列の接線Ｓ６とがラインＬで交わる位置がＺとなり、ラインＬと第一湾曲部２４（湾曲部２０）に対応する小孔部６０４の列の接線Ｓ５とでなす角度が角度α、ラインＬと第二湾曲部２６（湾曲部２０）に対応する小孔部６０４の列の接線Ｓ６とでなす角度が角度βとすることで（α＞β）、第一湾曲部２４（湾曲部２０）に対応する小孔部６０４の列側より第二湾曲部２６（湾曲部２０）に対応する小孔部６０４の列側の方がラインＬに対して傾斜する角度を小さくしている。以上のように、傾斜角度γを角度αと角度βに分割するに際して、図２（ｂ）、図２（ｃ）を示したが、特にこれらの構成に限定されることなく、第一湾曲部２４（湾曲部２０）に対応する小孔部６０４の列側より第二湾曲部２６（湾曲部２０）に対応する小孔部６０４の列側の方がラインＬに対して傾斜する角度を小さくできればよい。
【０１１７】
本例においては、例１乃至例３と同様に、図２（ａ）に示すように、第一湾曲部２４（湾曲部２０）に対応する小孔部６０４の列と直線部ＬＬ１とでなす角度は２２０°であるが、第一湾曲部２４（湾曲部２０）に対応する小孔部６０４の列と第二湾曲部２６（湾曲部２０）に対応する小孔部６０４の列とでなす角度は、例１乃至例３における２００°とは異なり、２００°より大きな角度をなしている。そのため、本例においては、変曲部６２５以外の変曲部は形成させずに、変曲部６２５から形成された第二湾曲部２６（湾曲部２０）に対応する小孔部６０４の列が側面部６０１の他方の端部６０５に到達することで終端となっている。ただし、本例での、第一湾曲部２４（湾曲部２０）に対応する小孔部６０４の列と直線ＬＬ１でなす角度（角度δ）、及び第一湾曲部２４（湾曲部２０）に対応する小孔部６０４の列と第二湾曲部２６（湾曲部２０）に対応する小孔部６０４の列とでなす角度（角度γ）に限定されることなく、角度δ、角度γの大きさは任意に設定することが可能である。
【０１１８】
また、小孔部６０４は、孔部６０３と側面部６０１の他方の端部６０５との間を小孔部６０４同士が対向して二列で形成されている。本例では、孔部６０３が三箇所形成されているため、二列一組の小孔部６０４の列が三組形成されているが、孔部６０３の数が二つになれば、二列一組の小孔部６０４の列が二組形成されることになり、孔部１０４の数が四つになれば二列一組の小孔部６０４の列が四組形成されることになり、孔部６０３の数によって二列一組の小孔部６０４の列の数も決定されることになる。
【０１１９】
仕立用支柱６０では、図１４に示すように、孔部６０３内に胡蝶蘭Ａの株（根）側を組み込み、本例においては、仕立用支柱６０に三つの孔部６０３が設けられているのでそれぞれの孔部６０３内に胡蝶蘭Ａの株（根）側を組み込んである。本例においては、胡蝶蘭Ａの株（根）が植木鉢Ｗに組み込まれ（植え込まれ）た状態で孔部６０３に組み込まれているが、胡蝶蘭Ａの株（根）をそのまま孔部６０３に組み込むことも可能である。それぞれの胡蝶蘭Ａから伸びる花茎Ａ１は孔部６０３から仕立用支柱６０の外側に伸ばして、仕立用支柱６０の側面部６０１に沿わせることになる。胡蝶蘭Ａの花茎Ａ１を仕立用支柱６０の側面部６０１に沿わせるに際しては、それぞれの孔部６０３に最も近い二列一組の小孔部６０４の列の中央に花茎Ａ１を沿わせる。そして、二列一組の小孔部６０４の列で、対向する二列の小孔部６０４同士に紐状の部材３１を通し結び付けることで胡蝶蘭Ａの花茎Ａ１を仕立用支柱６０の側面部６０１に固定することになる。胡蝶蘭Ａの花茎Ａ１の仕立用支柱６０の側面部６０１への固定に際しては、胡蝶蘭Ａの花Ａ２が仕立用支柱６０の側面部６０１と反対側に向けた状態で行い、胡蝶蘭Ａの花茎Ａ１の仕立用支柱６０の側面部６０１へ固定し終えたときには胡蝶蘭Ａの花Ａ２が仕立用支柱６０の外側に向く。胡蝶蘭Ａの花茎Ａ１の仕立用支柱６０の側面部６０１へ固定し終えると、胡蝶蘭Ａの花茎Ａ１が渦巻き状の形状（螺旋状の形状）をなして仕立用支柱６０に巻き付く。その結果、仕立用支柱６０の回りのどの方向からも胡蝶蘭Ａの花Ａ２を見ることが可能になる。また、蔓（茎）に花を付ける植物を模した造花等の胡蝶蘭Ａの花Ａ２の場合でも、同様に、胡蝶蘭Ａの花茎Ａ２を仕立用支柱（渦巻き状の形状の小孔部の列）６０に沿って渦巻き状に形成することができる。
【０１２０】
（例５）
図１４には、仕立用支柱７０が示されている。仕立用支柱７０は、例４と同様に、円筒状の部材により形成され、基本的な構成は例４の仕立用支柱６０と同じである。仕立用支柱７０の材質も、例４の仕立用支柱６０と同じ粘土に類する材質で形成されているが、樹脂製の部材で形成することも可能である。仕立用支柱７０は、基本的に仕立用支柱６０と同様に、側面部６０１と底面部６０２とから形成されている。円筒状の形状の側面部６０１の一方の端部側には底面部６０２が設けられている。側面部６０１の側面部６０１では、仕立用支柱６０と同様に、底面部６０２側に、底面部６０２から同じ距離（高さ）で楕円状に側面部６０１を貫通して孔部６０３が形成されている。孔部６０３は、本例においても例４と同様に、側面部６０１の周囲に沿って等間隔で三箇所に形成されているが、例３と同様に、等間隔で形成されることには限定されない。つまり、孔部６０３は、三箇所に形成されることに限定されず、三箇所より多く形成したり少なく形成したりすることが可能であり、さらに、全て底面部６０２から同じ距離（高さ）に形成される必要はなく、それぞれの孔部６０３が底面部６０３から任意の距離（高さ）に形成されることも可能である。
【０１２１】
そして、本例では、例４と異なり、孔部６０３から伸びて囲い部６０６が形成されている。囲い部６０６は、図１５に示すように、側面部６０１から突出した状態で形成されており、囲い部６０６の開口部６０７が仕立用支柱７０の他方の端部６０５側（開口側）と同じに向くように形成されている。ただし、囲い部６０６の開口部６０７は仕立用支柱７０の他方の端部６０５側（開口側）と同じに向く必要はなく、孔部６０３から側面部６０１の長手方向を横断する方向にを突出する囲み部６０６が形成されれば、仕立用支柱７０の他方の端部６０５側（開口側）に対して傾斜して形成されることも可能である。囲い部６０６は、空洞の球状の部材を四分割した際の一片に似た形状をなし、その空洞の球状の部材を四分割した際の一片が孔部６０３の底面部６０２側を被うように形成されている。本例では、囲い部６０６は、孔部６０３を半分ほど被うように形成されているが、孔部６０３を１／３、或いは２／３程度被うように形成することも可能である。また、本例では、囲い部６０６は、空洞の球状の部材の一部で形成されているが、球状の部材の一部ではなく、立方体等の矩形形状で形成することも可能である。さらに、仕立用支柱７０では、例４と同様に、側面部６０１を貫通して小孔部６０４が、孔部６０３と側面部６０１の他方の端部６０５との間を、小孔部６０４同士が対向して二列で側面部６０１に沿って、例１乃至例４と同様に、渦巻き状になるように複数形成されている。例４と同様に、孔部６０３の数によって二列一組の小孔部６０４の列の数も決定されることになる。
【０１２２】
仕立用支柱７０では、図１６に示すように、囲い部６０６内に胡蝶蘭Ａの株（根）側を組み込み、本例においては、仕立用支柱７０に三つの囲い部６０６が設けられているのでそれぞれの囲い部６０６内に胡蝶蘭Ａの株（根）側を組み込むことになる。図１６では、説明の便宜のため一つ囲い部６０６に胡蝶蘭Ａの株（根）側を組み込んだ状態が示してある。仕立用支柱７０では、囲い部６０６内に胡蝶蘭Ａの株（根）側を置くことで、胡蝶蘭Ａの株（根）側を安定して保持することが可能になる。このように胡蝶蘭Ａの株（根）側を囲い部６０６内に置くことで、胡蝶蘭Ａから伸びる花茎Ａ１は囲い部６０６から仕立用支柱７０の外側に伸び、仕立用支柱６０の側面部６０１に沿うことが可能になる。胡蝶蘭Ａの花茎Ａ１を仕立用支柱７０の側面部６０１に沿わせるに際しては、例４と同様に、それぞれの孔部６０３に最も近い二列一組の小孔部６０４の列の中央に花茎Ａ１を沿わせる。そして、二列一組の小孔部６０４の列で、対向する二列の小孔部６０４同士に紐状の部材３１を通し結び付けることで胡蝶蘭Ａの花茎Ａ１を仕立用支柱７０の側面部６０１に固定する。胡蝶蘭Ａの花茎Ａ１の仕立用支柱７０の側面部６０１への固定に際しては、例４と同様に、胡蝶蘭Ａの花Ａ２が仕立用支柱７０の外側に向かせる。つまり、胡蝶蘭Ａの花Ａ２を仕立用支柱７０の側面部６０１と反対側に向けて、胡蝶蘭Ａの花茎Ａ１の仕立用支柱７０の側面部６０１へ固定することになる。胡蝶蘭Ａの花茎Ａ１の仕立用支柱７０の側面部６０１へ固定し終えると、胡蝶蘭Ａの花茎Ａ１が渦巻き状（螺旋状）の形状をなして仕立用支柱７０に巻き付く。その結果、仕立用支柱７０の回りのどの方向からも胡蝶蘭Ａの花Ａ２を見ることが可能になる。また、蔓（茎）に花を付ける植物を模した造花等の胡蝶蘭Ａの花Ａ２の場合でも、同様に、胡蝶蘭Ａの花茎Ａ２を仕立用支柱（渦巻き状の形状の小孔部の列）７０に沿って渦巻き状に形成することができる。
【０１２３】
（例６）
図１７には、本考案である仕立用支柱９が示されている。仕立用支柱９は帯状の部材９１で形成されており、本例での帯状の部材９１は樹脂製であるが、樹脂製に限定されることなく金属製とすることも可能である。帯状の部材９１の長手方向を横断する幅方向の長さは特に限定されるものではないが、本例においては５ｃｍとし、厚さは３ｍｍとしているがこの大きさに限定されるものではない。特に、厚さについては、材質にもよるが、加工処理のし易さ等を考慮すると、０．５ｍｍから１ｍｍ程度が好ましい。帯状の部材９１には、図１７に示すように、帯状の部材９１を貫通する孔部９５が多数形成されている。孔部９５は、図１７に示すように、帯状の部材９１の、一方の端部９２３側から他方の端部９２７側まで、帯状の部材９１の長手方向に沿って、帯状の部材９１の長手方向に沿う中央寄りを二列に等間隔で形成されている。そして、帯状の部材９１は、図１７に示すように、渦巻き状の形状をなしており、帯状の部材９１の一方の端部９２３には図示しない植木鉢へ組み込む挿入部９４が接続されている。本例では、帯状の部材９１と挿入部９４とは別部材であるが、一体に形成することも可能である。また、本例では、帯状の部材９１と挿入部９４とを接着剤により接続しているが、それぞれの部材の材質によっては、例えば金属製の部材同士であれば溶接等により接続することも可能である。本例においては、仕立用支柱９は、図１７に示すように、帯状の部材９１と挿入部９４との連結したものを二つ組み合わせて、挿入部９４同士を対向させて配置することで形成されている。挿入部９４は、平板状の部材であり、本例では先端が三角形状で尖っているが、必ずしも先端がこのような形状をとる必要はなく、挿入部９４は全体として長方形の形状であればよい。
【０１２４】
そして、挿入部９４の端部である帯状の部材９１の一方の端部（第一変曲部）９２３より帯状の部材９１を湾曲させた状態になっている。帯状の部材９１の一方の端部９２３からは第一湾曲部９２４が形成されており、第一湾曲部９２４を湾曲させるに際しては、（中心を）対向する挿入部９４の面部同士の間の中央を中心にして渦巻き状の平板９１１として帯状の部材９１の他方の端部９２７側に向かって形成されている。その際、第一湾曲部９２４は挿入部９４とつながった、帯状の部材９１の一方の端部９２３より円弧を描くことになる。つまり、挿入部９４に連続して、挿入部９４の終端である帯状の部材の一方の端部９２３から挿入部９４に対して鈍角方向に伸びて第一湾曲部９２４が円弧として形成される。図１７に示すように、帯状の部材９１の一方の端部９２３から第一湾曲部９２４が伸び、渦巻き状の平板９１１を形成するために第二湾曲部９２６が第一湾曲部９２４が伸びてきた方向とは異なる方向に切り替わり（反転し）、その切り替わる（反転する）位置が第二変曲部９２５として形成される。第二変曲部９２５では、図１７に示すように、帯状の部材９１の一方の端部９２ ３から伸びてきた第一湾曲部９２４より第二変曲部９２５から伸びていく第二湾曲部９２６が高い位置に向かう（帯状の部材９１の一方の端部９２３から離れる方向に向かう）。つまり、第二湾曲部９２６は、第一変曲部９２３から離れるとともに、第二変曲部９２５からも離れる方向に向かって円弧として形成される。第二変曲部９２５では、帯状の部材９１の一方の端部９２３から伸びてきた第一湾曲部９２４と第二変曲部９２５から伸びていく第二湾曲部９２６とが円弧状に滑らかにつながっている。また、本例では、帯状の部材９１の一方の端部９２３から伸びてきた第一湾曲部９２４の接線（方向）と第二変曲部９２５から伸びていく第二湾曲部９２６の接線（方向）とでなす角度γは鋭角をなしている。角度γは必ずしも鋭角である必要はなく、鈍角であってもよい。
【０１２５】
さらに、図１７に示すように、第二変曲部９２５から第二湾曲部９２６が伸び、渦巻き状の平板９１１を形成するために第三湾曲部９２６ａが第二湾曲部９２６が伸びてきた方向とは異なる方向に切り替わり（反転し）、その切り替わる（反転する）位置が第三変曲部９２５ａとして形成される。そして、第二変曲部９２５から伸びてきた第二湾曲部９２６より第三変曲部９２５ａから伸びていく第三湾曲部９２６ａが高い位置に向かう（帯状の部材９１の他方の端部９２７側に向かう）。つまり、第三湾曲部９２６ａは、第一変曲部９２３及び第二変曲部９２５から離れるとともに、第三変曲部９２５ａからも離れる方向に向かって円弧として形成される。第三変曲部９２５ａでは、第二変曲部９２５から伸びてきた第二湾曲部９２６と第三変曲部９２５ａから伸びていく第三湾曲部９２６ａとが円弧状に滑らかにつながっている。また、本例では、第二変曲部９２５における傾斜角度と同様に、第二変曲部９２５から伸びてきた第二湾曲部９２６の接線（方向）と第三変曲部９２５ａから伸びていく第三湾曲部９２６ａの接線（方向）とでなす角度γは鋭角をなしている。角度γは必ずしも鋭角である必要はなく、鈍角であってもよい。また、本例においては、第二変曲部９２５及び第三変曲部９２５ａにおいて第一湾曲部９２４、第二湾曲部９２６及び第三湾曲部９２６ａの傾斜角度を鋭角γで共通にしているが、必ずしも共通の角度である必要はない。本例では、図１７に示すように、第三湾曲部９２６ａが仕立用支柱９の上方側９３（帯状の部材９１の他方の端部９２７側）に到達することになる。仕立用支柱９は、本例のように、第二変曲部９２５及び第三変曲部９２５ａを形成し、第三湾曲部９２６ａが帯状の部材９１の他方の端部９２７まで伸びて終端する構成に限定されず、さらに、同様に、渦巻き状の平板９１１を伸ばして（形成して）変曲部及び湾曲部を形成することも可能である。
【０１２６】
また、本例においては、第一湾曲部９２４、第二湾曲部９２６及び第三湾曲部９２６ａを湾曲させるに際して、中心を対向する挿入部９４の面部同士の間の中央にして渦巻き状の平板９１１を形成しているが、挿入部９４が接続された帯状の部材９１をさらに追加する構成をとる場合には、中心を挿入部９４同士を離して挿入部９４同士で囲む形状の中心にして、第一湾曲部９２４、第二湾曲部９２６及び第三湾曲部９２６ａを湾曲させて渦巻き状の平板９１１を形成することになる。その際、帯状の部材９１は湾曲部（第一湾曲部９２４、第二湾曲部９２６、第三湾曲部９２６ａ）により、帯状の部材９１の、一方の端部９２３から他方の端部９２７側に向かって少なくとも一回転して捻れた状態になっている。つまり、仕立用支柱９は、図１７に示す正面方向から捉えると、正面方向に向いた一方の面（一方の平面部）９２８側から渦巻き状の平板９１１を形成して他方の面（他方の平面部）９２９側が正面方向を向き、渦巻き状の平板９１１を形成して再度一方の面（一方の平面部）９２８側が正面方向を向いている。
【０１２７】
なお、本例でも、例１及び例２と同様に、図１７に示すように、円筒状の部材１５の側面部１５１に沿うように仕立用支柱９の渦巻き状の平板９１１を形成してあり、円筒状の部材１５の側面部１５１に基本的には、第二変曲部９２５、第三変曲部９２５ａが当接するようにして形成されている。つまり、第二変曲部９２５、第三変曲部９２５ａは円筒状の部材１５の側面部１５１の外周の円弧に沿って湾曲していることになる。図１７に示すように仕立用支柱９を円筒状の部材１５内に収まる形状にすることによって、仕立用支柱１をコンパクトな形状にまとめてある。そのため、仕立用支柱９に、蔓（茎）に花を付ける植物、或いは蔓（茎）に花を付ける植物を模した造花等を巻き付けることで、これらの蔓（茎）に花を付ける植物、或いは蔓（茎）に花を付ける植物を模した造花等も広がることなく、狭い領域にコンパクトにまとめることができる。本例においても、例１及び例２と同様に、仕立用支柱９をコンパクトな形でまとめるために図１７に示す円筒状の部材１５内に収まる形状をとっているが、図１７に示す円筒状の部材１５内に収まる形状に限定されることない。図１７に示す円筒状の部材１５内に収まらない形状であっても仕立用支柱９を構成する帯状の部材９１が渦巻き状の平板９１１として形成されていればよく、渦巻き状の平板９１１に蔓（茎）に花を付ける植物、或いは蔓（茎）に花を付ける植物を模した造花等を巻き付けることで蔓（茎）に花を付ける植物、或いは蔓（茎）に花を付ける植物を模した造花等をコンパクトにまとることができる。
【０１２８】
そして、本例でも、例１及び例２と同様に、各帯状の部材９１の他方の端部９２７の位置は同じであり（同じ高さであり）、本例においては、図１７に示すように、各帯状の部材９１の他方の端部９２７を全て連結するリング状の部材３が取り付けられている（リング状の部材３を取り付けるに際しては、帯状の部材９１が傾斜しているため、帯状の部材９１の他方の端部９２７側を斜めに切断しリング状の部材３に取り付け易い形状としている）。ただし、本例でも、例１及び例２と同様に、各帯状の部材９１の他方の端部９２７の位置は同じである（同じ高さである）必要はなく、それぞれ異なる位置であってもよく、その場合には、リング状の部材３を傾斜して取り付けることになる。また、その場合には、蔓（茎）に花を付ける植物、或いは蔓（茎）に花を付ける植物を模した造花等を巻き付けて終端が異なることになるため、見る人に終端が同じ場合とは違う印象を与えることができる。本例では、各帯状の部材９１の他方の端部９２７とリング状の部材３との連結は接着剤で行われているが、特に接着剤に限定されることなく、帯状の部材９１、リング状の部材３のそれぞれの材質によっては、例えば金属製の部材同士であれば溶接で行うことも可能である。
【０１２９】
第二変曲部９２５においても、例２と同様に、第二変曲部９２５同士を連結部材７により連結している。本例で用いる連結部材７は、図７及び図３（ｂ）に示すものと同じであり、支持部７１と、支持部７１の両端部側に設けられた連結部７２とから構成されている。連結部材７では、連結部材７の中心部７３より、棒状の部材である枝部（支持部）７１が二方向に伸びている。本例でも、例２と同様に、枝部７１、７１は一直線状に形成されているが、特に一直線状に形成されることに限定されず、枝部７１が第二変曲部９２５側に向かう方向に伸びることになる。そして、連結部材７では、真っ直ぐに伸びた支持部７１の両端部側に、本例では樹脂製の連結部７２が設けられており、連結部７２同士は対向して支持部７１に設けられている。連結部７２は、例２と同様に、円弧形状をなしており、連結部７２を第二変曲部２５側に当接させると連結部７２と第二変曲部２５の帯状の部材９１に当接することになる。仕立用支柱９に連結部材７を取り付けるに際しては、挿入部９４同士の間（隙間）から仕立用支柱９内に連結部材７を組み込み、連結部材７の連結部７２、７２を仕立用支柱６内の第二変曲部２５、２５に当接させて接着剤で固定している。ただし、接着剤で固定することに限定されることなく、帯状の部材９１、連結部材７それぞれの材質によっては溶接で行うことも可能である。本例での連結部材７では、二箇所の第二変曲部２５を支持する構成であるが、一連の円の形状をなした部材を連結部材として用いることも可能である。以上のように、リング状の部材３、連結部材７を用いることで蔓（茎）に花を付ける植物、或いは蔓（茎）に花を付ける植物を模した造花等を仕立用支柱９を巻き付けることで、仕立用支柱９の強度を高めることができる。
【０１３０】
以上の構成の仕立用支柱９に蔓（茎）に花を付ける植物、例えば、胡蝶蘭Ａをはわせる（巻き付ける）ことになる。図１８に示すように、仕立用支柱９に胡蝶蘭Ａをはわせる（巻き付ける）ためには、まず、植木鉢Ｗ内に仕立用支柱９を組み込む。組み込みに際しては、仕立用支柱９の下方側の挿入部９４を植木鉢Ｗ内に向けて組み込み（埋め込み）、仕立用支柱９を植木鉢Ｗに対して直立した状態にする。直立した状態にするために植木鉢Ｗ内には、図示しない充填材、例えば樹脂製の小片が多数入っており、仕立用支柱９の下方側の挿入部９４を充填材で保持することで仕立用支柱９を植木鉢Ｗ上で支持することになる。この状態で胡蝶蘭Ａの株（根）を仕立用支柱９の挿入部９４に隣接して植木鉢Ｗ内に組み込む（植え込む）。胡蝶蘭Ａを植木鉢Ｗに組み込んだ後に（植え込んだ後に）、胡蝶蘭Ａの花茎Ａ１を仕立用支柱９の第一湾曲部９２４、第二湾曲部９２６及び第三湾曲部９２６ａとで形成される渦巻き状の平板９１１にはわせる（巻き付ける）。胡蝶蘭Ａの花茎Ａ１を渦巻き状の平板（第一湾曲部９２４、第二湾曲部９２６及び第三湾曲部９２６ａ）９１１にはわせる（巻き付ける）に際しては、胡蝶蘭Ａの花Ａ２を仕立用支柱９の外側を向かせて（仕立用支柱９から外方方向に胡蝶蘭Ａの花Ａ２を向かせて）渦巻き状の平板（第一湾曲部９２４、第二湾曲部９２６及び第三湾曲部９２６ａ）９１１の長手方向に沿わせる。また、胡蝶蘭Ａの花茎Ａ１をはわせる（巻き付ける）に際しては、第一湾曲部９２４、第二湾曲部９２６及び第三湾曲部９２６ａに沿って胡蝶蘭Ａの花茎Ａ１をはわす（巻き付ける）ことにより、容易に渦巻き状に胡蝶蘭Ａの花茎Ａ１を曲げることが可能になり、それに対応して胡蝶蘭Ａの花Ａ２を仕立用支柱９（渦巻き状の平板９１１）の回りに咲かせた状態にすることが可能になる。また、蔓（茎）に花を付ける植物を模した造花等の胡蝶蘭Ａの花Ａ２の場合でも、同様に、胡蝶蘭Ａの花茎Ａ２を仕立用支柱９に沿って渦巻き状に形成することができる。
【０１３１】
胡蝶蘭Ａの花茎Ａ１と渦巻き状の平板（第一湾曲部９２４、第二湾曲部９２６及び第三湾曲部９２６ａ）９１１との固定は、帯状の部材９１の長手方向に沿う中央寄りを二列に等間隔で形成された孔部９５同士の間に胡蝶蘭Ａの花茎Ａ１が載っており、胡蝶蘭Ａの花茎Ａ１と渦巻き状の平板（第一湾曲部９２４、第二湾曲部９２６及び第三湾曲部２６）９１１とを間隔をおいて、帯状の部材９１の長手方向を横断する方向で対向する孔部９５、９５同士に紐Ｄを通して結び付けることで胡蝶蘭Ａの花茎Ａ１と渦巻き状の平板（第一湾曲部９２４、第二湾曲部９２６及び第三湾曲部２６）９１１との固定を行っている。ただし、このように紐Ｄを用いることに限定されず、テープを用いることで、胡蝶蘭Ａの花茎Ａ１を渦巻き状の平板（第一湾曲部９２４、第二湾曲部９２６及び第三湾曲部９２６ａ）９１１に貼り付けることで固定することも可能である。また、胡蝶蘭Ａの花茎Ａ１を傷付けない限り、例えば、接着剤を直接、胡蝶蘭Ａの花茎Ａ１と渦巻き状の平板（第一湾曲部９２４、第二湾曲部９２６及び第三湾曲部９２６ａ）９１１との間に塗布することで胡蝶蘭Ａの花茎Ａ１と渦巻き状の平板（第一湾曲部９２４、第二湾曲部９２６及び第三湾曲部９２６ａ）との固定を行うことも可能である。
【０１３２】
以上のようにして、胡蝶蘭Ａの花茎Ａ１と渦巻き状の平板（第一湾曲部９２４、第二湾曲部９２６及び第三湾曲部９２６ａ）９１１と固定することにより、図１８に示すように、仕立用支柱９に胡蝶蘭Ａをはわすこと（巻き付けること）になる。その結果、胡蝶蘭Ａは仕立用支柱９の第一湾曲部９２４、第二湾曲部９２６及び第三湾曲部９２６ａである渦巻き状の平板９１１に沿って、渦巻き状に仕立用支柱９の上方側９３に伸びた状態になる。その際、胡蝶蘭の花Ａ２は帯状の部材９１に載った状態で配置されることになる。つまり、胡蝶蘭Ａの花びらであるトップセパル、アンダーセパルを含めたペダルが帯状の部材９１に沿う状態（帯状の部材９１に対して胡蝶蘭Ａの花びらであるトップセパル、アンダーセパルを含めたペダルが平行に近い状態）で配置されることになる。そして、胡蝶蘭Ａは帯状の部材９１の他方の面９２９側に限定されることなく適宜一方の面９２８側にも配置されることも可能になる。本例においては、基本的には、帯状の部材９１の他方の面９２９側に胡蝶蘭Ａが配置されることで、仕立用支柱９の回りから胡蝶蘭Ａの花Ａ２を見易くなるが、一方の面９２８側に胡蝶蘭Ａを配置することでも、渦巻き状に胡蝶蘭Ａの花Ａ２を配置することが可能になる。
【０１３３】
このようにして、帯状の部材９１に胡蝶蘭Ａの花Ａ２が配置されることで胡蝶蘭Ａの花Ａ２が仕立用支柱９の渦巻き状の平板９１１に沿って設けられ仕立用支柱９の回りのどの方向からも胡蝶蘭Ａの花Ａ２を見ることが可能になる。また、本例では、帯状の部材９１の一方の端部９２３から伸びてきた第一湾曲部９２４の接線（方向）と第二変曲部９２５から伸びていく第二湾曲部９２６の接線（方向）とでなす角度γと、第二変曲部９２５から伸びてきた第二湾曲部９２６の接線（方向）と第三変曲部９２５ａから伸びていく第三湾曲部９２６ａの接線（方向）とでなす角度γとが同じであるが、この二つの角度を変えることによって胡蝶蘭Ａの花Ａ２の並びの変化を楽しむことができ、胡蝶蘭Ａの花Ａ２が仕立用支柱９の渦巻き状の平板９１１に沿って設けられ仕立用支柱９の回りのどの方向からも胡蝶蘭Ａの花Ａ２を見ることが可能になる。
【０１３４】
（例７）
図１９には、例６に示す仕立用支柱９の変形である仕立用支柱９０が示されている。仕立用支柱９０は、例６と同様に、帯状の部材９１で形成されており、本例での帯状の部材９１は樹脂製であるが、樹脂製に限定されることなく金属製とすることも可能である。本例においても、帯状の部材９１の長手方向を横断する幅方向の長さは特に限定されるものではないが、本例においても、例１と同様に、５ｃｍとし、厚さは３ｍｍとしているがこの大きさに限定されるものではない。特に、厚さについては、材質にもよるが、加工処理のし易さ等を考慮すると、０．５ｍｍから１ｍｍ程度が好ましい。帯状の部材９１は、例６と同様に、帯状の部材９１を貫通する孔部９５が多数形成されており、渦巻き状の形状をなし、帯状の部材９１の一方の端部９２３には図示しない植木鉢へ組み込む挿入部９４が接続されている。本例でも例６と同様に、帯状の部材９１と挿入部９４とは別部材であるが、一体に形成することも可能である。本例では、例６とは異なり、図１９に示すように、仕立用支柱９０は、帯状の部材９１と挿入部９４との連結したもの一つである。挿入部９４は、例６と同様であり、先端が三角形状で尖った全体として長方形の形状をなしている。そして、例６と同様に、挿入部９４の端部である帯状の部材９１の一方の端部９２３より帯状の部材９１を湾曲させた状態になっている。つまり、帯状の部材９１の、一方の端部９２３から他方の端部９２７側に向かって少なくとも一回転して捻れた状態になっている。具体的には、仕立用支柱９は、図１９に示す正面方向から捉えると、正面方向に向いた一方の面（一方の平面部）９２８側から渦巻き状の平板９１１を形成して他方の面（他方の平面部）９２９側が正面方向を向き、渦巻き状の平板９１１を形成して再度一方の面（一方の平面部）９２８側が正面方向を向いている。
【０１３５】
図１９に示す渦巻き状の平板９１１を形成するに際しては、帯状の部材９１の一方の端部９２３からは第一湾曲部９２４が形成されており、第一湾曲部９２４は挿入部９４とつながった、帯状の部材９１の一方の端部９２３より円弧を描き渦巻き状の平板９１１として形成されている。つまり、挿入部９４に連続して、挿入部９４の終端である帯状の部材の一方の端部（第一変曲部）９２３から挿入部９４に対して鈍角方向に伸びて第一湾曲部９２４が円弧として形成される。例６と同様に、図１９に示すように、帯状の部材９１の一方の端部９２３から第一湾曲部９２４が伸び、渦巻き状の平板９１１を形成するために第二湾曲部９２６が第一湾曲部９２４が伸びてきた方向とは異なる方向に切り替わり（反転し）、その切り替わる（反転する）位置が第二変曲部９２５として形成される。第二変曲部９２５では、図１９に示すように、帯状の部材９１の一方の端部９２３から伸びてきた第一湾曲部９２４より第二変曲部９２５から伸びていく第二湾曲部９２６が高い位置に向かう（帯状の部材９１の一方の端部９２３から離れる方向に向かう）。第二変曲部９２５では、帯状の部材９１の一方の端部９２３から伸びてきた第一湾曲部９２４と第二変曲部９２５から伸びていく第二湾曲部９２６とが円弧状に滑らかにつながっている。また、本例では、帯状の部材９１の一方の端部９２３から伸びてきた第一湾曲部９２４の接線（方向）と第二変曲部９２５から伸びていく第二湾曲部９２６の接線（方向）とでなす角度γは鋭角をなしている。角度γは必ずしも鋭角である必要はなく、鈍角であってもよい。
【０１３６】
さらに、図１９に示すように、第二変曲部９２５から第二湾曲部９２６が伸び、渦巻き状の平板９１１を形成するために第三湾曲部９２６ａが第二湾曲部９２６が伸びてきた方向とは異なる方向に切り替わり（反転し）、その切り替わる（反転する）位置が第三変曲部９２５ａとして形成される。そして、第二変曲部９２５から伸びてきた第二湾曲部９２６より第三変曲部９２５ａから伸びていく第三湾曲部９２６ａが高い位置に向かう（帯状の部材９１の他方の端部９２７側に向かう）。第三変曲部９２５ａでは、第二変曲部９２５から伸びてきた第二湾曲部９２６と第三変曲部９２５ａから伸びていく第三湾曲部９２６ａとが円弧状に滑らかにつながっている。また、本例では、第二変曲部９２５における傾斜角度と同様に、第二変曲部９２５から伸びてきた第二湾曲部９２６の接線（方向）と第三変曲部９２５ａから伸びていく第三湾曲部９２６ａの接線（方向）とでなす角度γは鋭角をなしている。角度γは必ずしも鋭角である必要はなく、鈍角であってもよい。また、本例においては、第二変曲部９２５及び第三変曲部９２５ａにおいて第一湾曲部９２４、第二湾曲部９２６及び第三湾曲部９２６ａの傾斜角度を鋭角γで共通にしているが、必ずしも共通の角度である必要はない。本例では、図１９に示すように、第三湾曲部９２６ａが仕立用支柱９０の上方側９３（帯状の部材９１の他方の端部９２７側）に到達することになる。仕立用支柱９０は、本例のように、第二変曲部９２５及び第三変曲部９２５ａを形成し、第三湾曲部９２６ａが帯状の部材９１の他方の端部９２７まで伸びて終端する構成に限定されず、さらに、同様に、渦巻き状の平板９１１を伸ばして（形成して）変曲部及び湾曲部を形成することも可能である。
【０１３７】
本例においては、例６とは異なり、湾曲部（第一湾曲部９２４、第二湾曲部９２６及び第三湾曲部９２６ａ）を湾曲させるに際しての中心は、挿入部９４が一つであるため挿入部９４、９４同士の位置によって規制されることなく、自由な位置とすることになる。ただし、本例においては、帯状の部材９１の他方の端部９２７が帯状の部材９１の一方の端部９２３より上方側に形成されることになる。つまり、仕立用支柱９０は、例６とは異なり、挿入部９４が接続された帯状の部材９１だけから形成されており（一つの、挿入部９４が接続された帯状の部材９１だけであり）、渦巻き状の平板９１１は、挿入部９４を延長する方向に形成されることに限定されることはない。例えば、渦巻き状の平板９１１は、挿入部９４に対して傾斜して、捻れて一回転した状態で形成されることも可能である。このように、本例においても、仕立用支柱９０を構成する帯状の部材９１が渦巻き状の平板９１１として形成されているために、渦巻き状の平板９１１に蔓（茎）に花を付ける植物、或いは蔓（茎）に花を付ける植物を模した造花等を巻き付けることで蔓（茎）に花を付ける植物、或いは蔓（茎）に花を付ける植物を模した造花等をコンパクトにまとることができる。
【０１３８】
以上の構成の仕立用支柱９０に蔓（茎）に花を付ける植物、例えば、胡蝶蘭Ａをはわせる（巻き付ける）ことになる。図２０に示すように、仕立用支柱９０に胡蝶蘭Ａをはわせる（巻き付ける）ためには、まず、例６と同様に、植木鉢Ｗ内に仕立用支柱９０を組み込む。組み込みに際しては、仕立用支柱９０の下方側の挿入部９４を植木鉢Ｗ内に向けて組み込み（埋め込み）、仕立用支柱９０を植木鉢Ｗに対して直立した状態にする。直立した状態にするために植木鉢Ｗ内には、図示しない充填材、例えば樹脂製の小片が多数入っており、仕立用支柱９０の下方側の挿入部９４を充填材で保持することで仕立用支柱９０を植木鉢Ｗ上で支持することになる。この状態で胡蝶蘭Ａの株（根）を仕立用支柱９０の挿入部９４に隣接して植木鉢Ｗ内に組み込む（植え込む）。胡蝶蘭Ａを植木鉢Ｗに組み込んだ後に（植え込んだ後に）、胡蝶蘭Ａの花茎Ａ１を仕立用支柱９０の第一湾曲部９２４、第二湾曲部９２６及び第三湾曲部９２６ａとで形成される渦巻き状の平板９１１にはわせる（巻き付ける）。胡蝶蘭Ａの花茎Ａ１を渦巻き状の平板（第一湾曲部９２４、第二湾曲部９２６及び第三湾曲部９２６ａ）９１１にはわせる（巻き付ける）に際しては、胡蝶蘭Ａの花Ａ２を仕立用支柱９０の外側を向かせて（仕立用支柱９０から外方方向に胡蝶蘭Ａの花Ａ２を向かせて）渦巻き状の平板（第一湾曲部９２４、第二湾曲部９２６及び第三湾曲部９２６ａ）９１１の長手方向に沿わせる。また、胡蝶蘭Ａの花茎Ａ１をはわせる（巻き付ける）に際しては、第一湾曲部９２４、第二湾曲部９２６及び第三湾曲部９２６ａに沿って胡蝶蘭Ａの花茎Ａ１をはわす（巻き付ける）ことにより、容易に渦巻き状に胡蝶蘭Ａの花茎Ａ１を曲げることが可能になり、それに対応して胡蝶蘭Ａの花Ａ２を仕立用支柱９０（渦巻き状の平板９１１）の回りに咲かせた状態にすることが可能になる。また、蔓（茎）に花を付ける植物を模した造花等の胡蝶蘭Ａの花Ａ２の場合でも、同様に、胡蝶蘭Ａの花茎Ａ２を仕立用支柱９０に沿って渦巻き状に形成することができる。
【０１３９】
胡蝶蘭Ａの花茎Ａ１と渦巻き状の平板（第一湾曲部９２４、第二湾曲部９２６及び第三湾曲部９２６ａ）９１１との固定は、例６と同様に、帯状の部材９１の長手方向に沿う中央寄りを二列に等間隔で形成された孔部９５同士の間に胡蝶蘭Ａの花茎Ａ１が載っており、胡蝶蘭Ａの花茎Ａ１と渦巻き状の平板（第一湾曲部９２４、第二湾曲部９２６及び第三湾曲部２６）９１１とを間隔をおいて、帯状の部材９１の長手方向を横断する方向で対向する孔部９５、９５同士に紐Ｄを通して結び付けることで胡蝶蘭Ａの花茎Ａ１と渦巻き状の平板（第一湾曲部９２４、第二湾曲部９２６及び第三湾曲部２６）９１１との固定を行っている。ただし、このように紐Ｄを用いることに限定されず、テープを用いることで、胡蝶蘭Ａの花茎Ａ１を渦巻き状の平板（第一湾曲部９２４、第二湾曲部９２６及び第三湾曲部９２６ａ）９１１に貼り付けることで固定することも可能である。また、胡蝶蘭Ａの花茎Ａ１を傷付けない限り、例えば、接着剤を直接、胡蝶蘭Ａの花茎Ａ１と渦巻き状の平板（第一湾曲部９２４、第二湾曲部９２６及び第三湾曲部９２６ａ）９１１との間に塗布することで胡蝶蘭Ａの花茎Ａ１と渦巻き状の平板（第一湾曲部９２４、第二湾曲部９２６及び第三湾曲部９２６ａ）との固定を行うことも可能である。
【０１４０】
以上のようにして、胡蝶蘭Ａの花茎Ａ１と渦巻き状の平板（第一湾曲部９２４、第二湾曲部９２６及び第三湾曲部９２６ａ）９１１と固定することにより、図２０に示すように、仕立用支柱９０に胡蝶蘭Ａをはわすこと（巻き付けること）になる。その結果、胡蝶蘭Ａは仕立用支柱９０の第一湾曲部９２４、第二湾曲部９２６及び第三湾曲部９２６ａである渦巻き状の平板９１１に沿って、渦巻き状に仕立用支柱９の上方側９３に伸びた状態になる。その際、胡蝶蘭の花Ａ２は帯状の部材９１に載った状態で配置されることになる。つまり、胡蝶蘭Ａの花びらであるトップセパル、アンダーセパルを含めたペダルが帯状の部材９１に沿う状態（帯状の部材９１に対して胡蝶蘭Ａの花びらであるトップセパル、アンダーセパルを含めたペダルが平行に近い状態）で配置されることになる。そして、胡蝶蘭Ａは帯状の部材９１の他方の面９２９側に限定されることになく適宜一方の面９２８側にも配置されることも可能になる。本例においても、例６と同様に、基本的には、帯状の部材９１の他方の面９２９側に胡蝶蘭Ａが配置されることで、仕立用支柱９０の回りから胡蝶蘭Ａの花Ａ２を見易くなるが、一方の面９２８側に胡蝶蘭Ａを配置することでも、渦巻き状に胡蝶蘭Ａの花Ａ２を配置することが可能になる。 
【０１４１】
このようにして、帯状の部材９１に胡蝶蘭Ａの花Ａ２が配置されることで胡蝶蘭Ａの花Ａ２が仕立用支柱９０の渦巻き状の平板９１１に沿って設けられ仕立用支柱９０の回りのどの方向からも胡蝶蘭Ａの花Ａ２を見ることが可能になる。また、本例では、帯状の部材９１の一方の端部９２３から伸びてきた第一湾曲部９２４の接線（方向）と第二変曲部９２５から伸びていく第二湾曲部９２６の接線（方向）とでなす角度γと、第二変曲部９２５から伸びてきた第二湾曲部９２６の接線（方向）と第三変曲部９２５ａから伸びていく第三湾曲部９２６ａの接線（方向）とでなす角度γとが同じであるが、この二つの角度を変えることによって胡蝶蘭Ａの花Ａ２の並びの変化を楽しむことができ、胡蝶蘭Ａの花Ａ２が仕立用支柱９０の渦巻き状の平板９１１に沿って設けられ仕立用支柱９０の回りのどの方向からも胡蝶蘭Ａの花Ａ２を見ることが可能になる。
【０１４２】
（例８）
図２１には、例６及び例７に示す仕立用支柱９、９０の変形である仕立用支柱９９０が示されている。仕立用支柱９９０は、例６及び例７と同様に、帯状の部材９２１と挿入部９４１とで形成されており、本例での帯状の部材９２１は樹脂製であるが、樹脂製に限定されることなく金属製の部材、例えば鋼板とすることも可能である。本例での帯状の部材９２１では、厚さが０．５ｍｍとしているが、特に０．５ｍｍに限定されることなく、０．５ｍｍから１ｍｍ程度が好ましい。材質によっては、厚さが３ｍｍ程度であっても加工処理し易ければ本例における帯状の部材９２１になる。また、本例での帯状の部材９２１は、例６及び例７とは異なり、帯状の部材９２１の、長手方向に沿う、一方の端部９９１側から他方の端部９９２側に向かって平板である平面部９１２、９１３が広がった形状をなしている。本例においては、一方の端部９９１から他方の端部９９２の、側部９９３、９９４を傾斜させることで一方の端部９９１から他方の端部９９２を広がるようにしている。側部９９３、９９４を傾斜させるに際しては、側部９９３、９９４を互いに傾斜させて形成することも可能であるし、側部９９３、９９４のいずれか一方を傾斜させて形成することも可能である。具体的には、本例では、図２１に示すように、一方の端部９９１側では、一方の端部９９１に対する側部９９４の傾斜した角度であるβ１が１２９°、挿入部９４１の側部９４２に対する帯状の部材９２１の側部９９３の傾斜した角度であるβ２が２２９°になっている。ただし、特に、一方の端部９９１に対する側部９９４の傾斜した角度であるβ１が１２９°、挿入部９４１の側部９４２に対する帯状の部材９２１の側部９９３の傾斜した角度であるβ２が２２０°に限定されることはない。そして、他方の端部９９２に対する側部９９４を傾斜させた角度であるβ３は６１°であり、他方の端部９９２に対する側部９９３を傾斜させた角度であるβ４は１１５°である。ただし、特に、他方の端部９９２に対する側部９９４を傾斜させた角度であるβ３が６１°、他方の端部９９２に対する側部９９３を傾斜させた角度であるβ４が１１５°に限定されることなく、一方の端部９９１に対する側部９９４を傾斜させた角度が鋭角、一方の端部９９１に対する側部９９３を傾斜させた角度が鈍角であればよい。そして、β１、β２の角度が変われば、β３、β４の角度も変わることになる。
【０１４３】
また、側部９９３、９９４では、図２２（ａ）に示すように、帯状の部材９２１の長手方向に沿って、側部９９３、９９４の縁部９９３ａ、９９４ａ側が一方の平面部（一方の面）９１２側に折り返され、縁部９９３ａ、９９４ａ側が一方の平面部９１２に当接することで側部９９３、９９４側が円弧部９９３ｂ、９９４ｂである円弧状の形状に形成されている。折り返しに際しては、側部９９３、９９４の縁部９９３ａ、９９４ａ側を、縁部９９３ａ、９９４ａに対して平行に折り曲げることで、帯状の部材９２１の長手方向に沿って、円弧部９９３ｂ、９９４ｂを形成している。従って、円弧部９９３ｂ、９９４ｂが形成できるだけの折り曲げ（折り返し）量（折り曲げ長さ）を帯状の部材９２１の長手方向を横断する方向にとることになる。そして、円弧部９９３ｂ、９９４ｂを形成することで、蔓（茎）に花を付ける植物、或いは蔓（茎）に花を付ける植物を模した造花等の花茎Ａ１等が帯状の部材９２１の側部９９３、９９４に接触しても傷付くことを防止することが可能になる。また、図２１及び図２２（ａ）では、側部９９３、９９４の縁部９９３ａ、９９４ａ側を同じ一方の平面部９１２側に折り曲げて円弧部９９３ｂ、９９４ｂを形成しているが、必ずしも側部９９３、９９４の縁部９９３ａ、９９４ａ側を同じ一方の平面部９１２側に折り曲げて円弧部９９３ｂ、９９４ｂを形成する必要はなく、図２２（ｂ）に示すように、側部９９３、９９４の縁部９９３ａ、９９４ａ側をそれぞれ異なる一方の平面部９１２側と、他方の平面部（一方の面）９１３側とに折り曲げて円弧部９９３ｂ、９９４ｂを形成することも可能である。
【０１４４】
帯状の部材９２１には、例６及び例７と同様に、帯状の部材９２１を貫通する孔部９５１、９５２が多数形成されている。本例においては、孔部９５１、９５２の配列が例６及び例７と異なっている。具体的には、図２３に示すように、帯状の部材９２１の側部９９４に沿って孔部９５１が複数形成されている。側部９９４は、帯状の部材９２１を渦巻き状の空間曲線に形成した際に、挿入部９４１側に向くことになる。そして、孔部９５１は、側部９９４に沿って、円弧部９９４ｂに隣接して平面部９１２、９１３を貫通して形成されている。他方の端部９９２から最初に形成された孔部９５１までの間隔がＬ１であり、それ以降に形成された孔部９５１、９５１同士の間隔はＬ２となっており、最初に形成された孔部９５１以降の孔部９５１、９５１同士の間隔Ｌ２で等しくなっている。Ｌ１とＬ２との関係では、少なくともＬ１＜Ｌ２を満足する必要がある。本例では、Ｌ１は３０ｍｍであり、Ｌ２は７２ｍｍとしているが、特にこの数値に限定されることなく、Ｌ１はＬ２の１／２であればよい。孔部９５１は、図２４（ａ）に示すように、側部９９４の縁部９９４ａ（円弧部９９４ｂ）に当たらないように、帯状の部材９２１の長手方向に沿う、帯状の部材９２１の中央寄りに形成されている。具体的には、孔部９５１は、側部９９４からＬ６の間隔を保って形成されている（側部９９４から孔部９５１の中心までの距離をＬ６として孔部９５１が形成されている）。本例では、Ｌ６は１３ｍｍであるが、特に１３ｍｍに限定されることなく、帯状の部材９２１の大きさ、縁部９９４ａの折り曲げ位置等に基づいて決定されることになる。
【０１４５】
また、帯状の部材９２１の中央を帯状の部材９２１の長手方向に沿って、孔部９５２が複数形成されている。孔部９５２は、図２３に示すように、帯状の部材９２１の長手方向を横断する方向に二つ並び、二つ並んだ孔部９５２、９５２は、他方の端部９９２の傾斜に沿って傾斜して形成されている。そして、二つ並んで形成された孔部９５２、９５２は、帯状の部材９２１の長手方向に沿って、間隔をあけて複数列形成されている。帯状の部材９２１の、他方の端部９９２から一方の端部９９１に向い孔部９５２、９５２同士の間隔が広がり、図２４（ａ）に示すように、他方の端部９９２から最初に形成された孔部９５２、９５２までの間隔がＬ３であり、最初に形成された孔部９５２、９５２から、つぎに形成された孔部９５２、９５２までの間隔がＬ４であり、つぎに形成された孔部９５２、９５２から、そのつぎに形成された孔部９５２、９５２までの間隔もＬ４であり、それ以降の間隔はＬ５となっている。つまり、帯状の部材９２１の他方の端部９９２から孔部９５２までの間隔Ｌ３は最も狭く、帯状の部材９２１の他方の端部９９２から孔部９５２までの間隔より広い、帯状の部材９２１の他方の端部９９２側の少なくとも二組の孔部９５２、９５２同士の間隔Ｌ４が等しく、帯状の部材９２１の他方の端部９９２側の孔部９５２、９５２同士の間隔Ｌ４は、帯状の部材９２１の他方の端部９９２側の少なくとも二組の孔部９５２、９５２同士の間隔Ｌ４の内、帯状の部材９２１の一方の端部９９１側の、孔部９５２、９５２同士の間隔を形成する孔部９５２に隣接する、帯状の部材９２１の一方の端部９９１側に向かう孔部９５２、９５２同士の間隔Ｌ５の１／２であり、それ以降に形成された孔部９５２、９５２同士の間隔はＬ５となっており、孔部９５２、９５２同士の間隔Ｌ５で等しくなっている。本例においては、Ｌ３は２０ｍｍであり、Ｌ４は３０ｍｍであり、Ｌ５は６０ｍｍとしているが、特にこの数値に限定されることなく、Ｌ３よりＬ４が長く、Ｌ４よりＬ５が長ければよい（Ｌ３＜Ｌ４＜Ｌ５を満足すればよい）。
【０１４６】
特に、本例においては、Ｌ４とＬ５とは、Ｌ４＝Ｌ５／２の関係としている。蔓（茎）に花を付ける植物、或いは蔓（茎）に花を付ける植物を模した造花等の先端（Ａ３参照）側では、一般的に、花茎（Ａ１参照）に花（Ａ２参照）はほとんどなく蕾（Ａ４参照）だけの状態となっている。そのため、先端（Ａ３参照）側の花茎（Ａ１参照）では、花（Ａ２参照）がある花茎（Ａ１参照）側に比べ、固定する花茎（Ａ１参照）の位置を自由に設定し易くなり、Ｌ４＜Ｌ５であるＬ４＝Ｌ５／２の関係に設定してある。二つ並んだ孔部９５２、９５２は、図２４（ａ）に示すように、Ｌ７の間隔を保って形成されている（孔部９５２、９５２の中心間の距離をＬ７として孔部９５２、９５２が形成されている）。二つ並んだ孔部９５２、９５２は、帯状の部材９２１の中心線ＣＬを挟んで形成されており、孔部９５２、９５２は中心線ＣＬから等間隔の位置に形成されている。また、本例においては、Ｌ７は２０ｍｍであるが、特に２０ｍｍに限定されるものではない。つまり、Ｌ７の間隔の孔部９５２、９５２の間の、一般に、太さの外径が約４から７ｍｍある花茎（Ａ１参照）を孔部９５２、９５２に樹脂製の紐状の部材を通して帯状の部材９２１に当接させることで花茎（Ａ１参照）を拘束することになる。そのため、孔部９５２、９５２の間の距離が短い状態で、孔部９５２、９５２に紐状の部材を通して結ぶと花茎（Ａ１参照）を必要以上拘束することになり、花茎（Ａ１参照）に負担をかけることになる。そして、本例においては、花茎（Ａ１参照）に負担をかけないためにＬ７を２０ｍｍと設定している。
【０１４７】
本例においては、孔部９５１、及び二つ並んで形成された孔部９５２、９５２は、図２３に示すように、帯状の部材９２１の長手方向の長さの半分の位置まで形成されている。ただし、半分の位置まで形成されることに限定させず、例えば、帯状の部材９２１の長手方向の長さの２／３の長さの位置まで形成することも可能である。孔部９５１、及び二つ並んで形成された孔部９５２、９５２を帯状の部材９２１の長手方向のどの位置まで形成するかは、基本的には、仕立用支柱９９０に巻き付ける、蔓（茎）に花を付ける植物、或いは蔓（茎）に花を付ける植物を模した造花等の長さ、蔓（茎）に花を付ける位置等を考慮して決定されることになる。また、本例においては、孔部９５１、９５２の大きさは同じであるが、特に同じ大きさである必要はなく、孔部９５１が孔部９５２より大きくすることも可能であり、逆に、孔部９５２が孔部９５１より大きくすることも可能である。本例においては、孔部９５１、９５２の大きさは外径５ｍｍの円形である。ただし、特に外径５ｍｍに限定させる必要もなく、また、形状についても円形である必要はなく、四角形等の多角形で形成することも可能である。なお、本例においては、図２３に示すように、孔部９５１は、帯状の部材９２１の長手方向に、側部９９４に沿って、８個形成されており、孔部９５２、９５２は、帯状の部材９２１の長手方向に、二列に１３個ずつ形成されている。
【０１４８】
他方の端部９９２側には、図２１に示すように、挿入部９４１が取り付けられている。挿入部９４１は、本例では、図２１及び図２４（ｂ）に示すように、長方形の形状をなす板状の部材であり、例６及び例７の挿入部９４とは異なり、先端は三角形状の尖った形状をなしていないが、例６及び例７と同様に、先端を三角形状の尖った形状としてなすことも可能である（先端が三角形状で尖った全体として長方形の形状をなすことも可能である）。挿入部９４１の側部９４２、９４３は、帯状の部材９２１の側部９９３、９９４と同様に、挿入部９４１の長手方向に沿って、長辺側である側部９４２、９４３の縁部９４２ａ、９４３ａ側が一方の平面部９４４側に折り返され、縁部９４２ａ、９４３ａ側が一方の平面部９４４に当接することで側部９４２、９４３側が円弧部９４２ｂ、９４３ｂである円弧状の形状に形成されている。帯状の部材９２１と同様に、折り返しに際しては、側部９４２、９４３の縁部９４２ａ、９４３ａ側を、側部９４２、９４３に対して平行に折り曲げることで（折り返すことで）、挿入部９４１の長手方向に沿って（一方の端部９４６から他方の端部９４７に沿って）、円弧部９４２ｂ、９４３ｂを形成している。挿入部９４１においても、帯状の部材９２１と同様に、円弧部９４２ｂ、９４３ｂが形成できるだけの折り曲げ（折り返し）量である折り曲げ長さを挿入部９４１の、一方の端部９４６から他方の端部９４７に沿う方向を横断する方向にとることになる。以上のように、円弧部９４２ｂ、９４３ｂを形成することで、挿入部９４１においても、蔓（茎）に花を付ける植物、或いは蔓（茎）に花を付ける植物を模した造花等の花茎Ａ１等が挿入部９４１の側部９４２、９４３に接触しても傷付くことを防止することが可能になる。
【０１４９】
以上の構成の挿入部９４１を帯状の部材９２１に取り付けることになる。取り付けに際しては、図２４（ｂ）に示すように、挿入部９４１の、縁部９４２ａ、９４３ａが折り返された一方の平面部９４４と反対側の他方の平面部９４５と、帯状の部材９２１の、縁部９９３ａ、９９４ａが折り返された一方の平面部９１２と反対側の他方の平面部９１３とを連結することになる。つまり、連結を行い易くするために連結に際しては、挿入部９４１と帯状の部材９２１とを重ね合わせた際に、挿入部９４１、帯状の部材９２１のそれぞれの円弧部９４２ｂ、９４３ｂ、９９３ｂ、９９４ｂが連結の際に重ならないように（円弧部９４２ｂ、９４３ｂ、９９３ｂ、９９４ｂを避けて）、円弧部９４２ｂ、９４３ｂ、９９３ｂ、９９４ｂがない他方の平面部９１３、９４５同士を重なり合わせることになる。そして、図２４（ｂ）に示すように、帯状の部材９２１の一方の端部９９１側と挿入部９４１の一方の端部９４６側とを重ね合わせて溶接することで帯状の部材９２１と挿入部９４１とを固定することになる。溶接は、本例においては、三箇所で行っており、具体的には、溶接点９１４を三箇所、帯状の部材９２１の他方の平面部９１３と挿入部９４１の他方の平面部９４５との重なり合った部分に設けて溶接を行っている。ただし、本例では溶接点９１４は三箇所であるが、四箇所以上とすることも可能である。また、溶接に際しては、挿入部９４１の側部９４２と帯状の部材９２１の側部９９４と間の角度であるβ１が１２９°、挿入部９４１の側部９４３と帯状の部材９２１の側部９９３と間の角度であるβ２が２２０°となる状態で溶接を行っている。本例においては、β１は１２９°としているが、挿入部９４１に対して帯状の部材９２１が鈍角方向に伸びればβ１は１２９°に限定されない。なお、溶接の代わりに溶接点９１４の位置に孔部を、帯状の部材９２１及び挿入部９４１にそれぞれ形成してボルトとナットとで帯状の部材９２１と挿入部９４１とを連結することも可能である。
【０１５０】
また、帯状の部材９２１の円弧部９９３ｂ、９９４ｂを、図２２（ｂ）に示すように形成した場合でも、同様に、帯状の部材９２１の他方の平面部９１３と挿入部９４１の他方の平面部９４５を重なり合わせることになる。この場合には、図２２（ｃ）に示すように、帯状の部材９２１の円弧部９９３ｂが挿入部９４１の他方の平面部９４５と重なり合わないようにずらして帯状の部材９２１と挿入部９４１とを当接して連結（溶接）することになる。図２２（ｃ）では、挿入部９４１の他方の平面部９４５を帯状の部材９２１の円弧部９９３ｂを避けて帯状の部材９２１の他方の平面部９１３に当接（接触）させている。そして、図２４（ｂ）と同様に、溶接点９１４を三箇所、帯状の部材９２１の他方の平面部９１３と挿入部９４１の他方の平面部９４５との重なり合った部分に設けて溶接を行うことになる。そして、図２４（ｂ）と同様に、溶接に際しては、挿入部９４１の側部９４２と帯状の部材９２１の側部９９４との間の角度であるβ１が１２９°、挿入部９４１の側部９４３と帯状の部材９２１の側部９９３と間の角度であるβ２が２２０°となる状態で溶接を行うことになる。
【０１５１】
そして、例６及び例７と同様に、図２５に示すように、帯状の部材９２１を湾曲させた状態にすることになる。つまり、帯状の部材９２１は、帯状の部材９２１の、一方の端部９９１から他方の端部９９２側に向かって少なくとも一回転して捻れた状態になっている。本例においては、図２５に示すように、帯状の部材９２１の、一方の端部９９１から他方の端部９９２の頂点９９２ａまで、つまり、矢印Ｒで示す範囲は３６０°となっている。ただし、一方の端部９９１から他方の端部９９２が捻れて回転した状態である矢印Ｘで示す範囲は３６０°に限定されることなく、３６０°以上にし、例えば、二回転（矢印Ｘで示す範囲が７２０°）に近い状態にすることも可能であるし、３６０°以下にし、例えば、半回転、２／３回転（矢印Ｘで示す範囲が１８０°、２４０°）とすることも可能である。本例では、帯状の部材９２１が仮想上の円柱、或いは円錐に巻き付いたことになり、渦巻き状の形状（渦巻き状の空間曲線）を形成することになる。その結果、渦巻き状の形状の内側は、帯状の部材９２１の一方の平面部９１２で形成されることになり、渦巻き状の形状の外側は、帯状の部材９２１の他方の平面部９１３で形成されることになる。そして、図２５に示すように、帯状の部材９２１の側部９９３側に形成された孔部９５１の列が挿入部９４１側に向くことになる。
【０１５２】
本例において、渦巻き状の帯状の部材９２１を形成するに際しては、図２６に示すように、帯状の部材９２１の一方の端部９９１（第一変曲部）からは第一湾曲部９２１ａが形成されており、第一湾曲部９２１ａは挿入部９４１とつながった、帯状の部材９２１の一方の端部９９１より円弧を描き渦巻き状に形成されている。つまり、挿入部９４１に連結された、帯状の部材９２１の一方の端部９９１側から挿入部９４１に対してβ１、β２の角度の方向に伸びて第一湾曲部９２１ａが円弧として形成される。その結果、第一湾曲部９２１ａの円弧は、図２６に示すように、β５の角度（第一角度）の方向に伸びることになる。つまり、挿入部９４１の長手方向（側部９４２、９４３）の延長方向（矢印Ｕ方向）に対する横断方向に対して、第一湾曲部９２１ａの円弧はβ５の角度の方向に伸びることになる。本例においては、β５の角度は５２°であるが、特に５２°に限定されることはなく、鋭角であればよい。以上のように、第一湾曲部９２１ａの円弧は、β１、β２及びβ５の角度の方向に伸びることで、図２７に示すように、第一湾曲部９２１ａの円弧はΦＤ１（第一円周）の円周に沿って伸びることになる。つまり、第一湾曲部９２１ａの円弧の一部がΦＤ１の円周に沿うことになり、点線で示された重複部Ｅ１がΦＤ１と第一湾曲部９２１ａとが重なり合った部分となる。なお、本例においては、ΦＤ１はΦ２１ｍｍとしている。
【０１５３】
そして、例６及び例７と同様に、本例では、挿入部９４１に連続して、挿入部９４１の一方の端部９４６である帯状の部材９２１の一方の端部９９１から帯状の部材９２１が挿入部９４１の側部９９３、９９４に対して鈍角方向（β５の角度の方向）に円弧で伸びて渦巻き状の平面部である第一湾曲部９２１ａが形成される。図２７に示す渦巻き状の帯状の部材９２１の中央の位置で、渦巻き状の帯状の部材９２１の伸びる方向が切り替わる（反転する）。本例では、変曲部（第二変曲部）９２０が帯状の部材９２１の、長手方向に沿う中央の位置に形成され、渦巻き状の帯状の部材９２１の、第一湾曲部９２１ａと第二湾曲部９２１ｂと間に変曲部９２０が形成され、変曲部９２０を切り替わり（反転する）位置として、渦巻き状の帯状の部材９２１の一方の端部９９１から第一湾曲部９２１ａが変曲部９２０まで形成され、変曲部９２０から渦巻き状の帯状の部材９２１の他方の端部９９２に向かい第二湾曲部９２１ｂが形成されている。
【０１５４】
つまり、第一湾曲部９２１ａの伸びてきた方向とは異なる方向に、帯状の部材９２１である渦巻き状の平面部が切り替わる（反転する）変曲部９２０が形成され、変曲部９２０から、第一湾曲部９２１ａに連続して、変曲部９２０から離れる方向に向って帯状の部材９２１の他方の端部９９２まで円弧で伸びた渦巻き状の平面部である第二湾曲部９２１ｂが形成されている。渦巻き状の第二湾曲部９２１ｂは、図２６に示すように、変曲部９２０よりβ６の角度（第二角度）の方向へ伸びることになる。つまり、挿入部９４１の長手方向（側部９４２、９４３）の延長方向（矢印Ｕ方向）に対する横断方向に対して、第二湾曲部９２１ｂの円弧はβ６の角度の方向に伸びることになる。そして、図２７に示すように、第二湾曲部９２１ｂの円弧はΦＤ２（第二円周）の円周に沿って伸びることになる。つまり、第二湾曲部９２１ｂの円弧の一部がΦＤ２の円周に沿うことになり、点線で示された重複部Ｅ２がΦＤ２と第二湾曲部９２１ｂとが重なり合った部分となる。なお、本例においては、ΦＤ２はΦ２５ｍｍとしている。以上のようにして、渦巻き状の帯状の部材９２１では、第一湾曲部９２１ａと第二湾曲部９２１ｂが連続して、円弧状に滑らかにつながっている。本例においては、β６の角度は５０°であるが、特に５０°に限定されることなく、鋭角であればよい。
【０１５５】
以上のように、第二湾曲部９２１ｂは、β６の角度で渦巻き状の帯状の部材９２１の他方の端部９９２に向かう。そして、図２６に示すように、渦巻き状の帯状の部材９２１の他方の端部９９２側では、第二湾曲部９２１ｂは、β６の角度からβ７の角度（第三角度）に変わり渦巻き状の帯状の部材９２１の他方の端部９９２に到達している。つまり、第二湾曲部９２１ｂは渦巻き状の帯状の部材９２１の他方の端部９９２へ向かいながら、β６の角度からβ７の角度に変化している。β６の角度からβ７の角度に変化に際しては、第二湾曲部９２１ｂの伸びる方向が切り替わることなく（反転することなく）、角度の大きさのみが変わっている。渦巻き状の帯状の部材９２１の第二湾曲部９２１ｂでは、β６の角度からβ７の角度へは連続して円弧状に滑らかに変化している。本例において、β６の角度からβ７の角度へ変わる傾斜部９２２は、図２６及び図２７に示すように、帯状の部材９２１の、長手方向に沿う、一方の端部９９１から５／６の位置（他方の端部９９２から１／６の位置）に形成されている。
【０１５６】
この位置で、帯状の部材９２１の、他方の端部９９２から１／６の部分が、帯状の部材９２１の、一方の端部９９１から５／６の部分に対して、β７の角度で傾斜している。つまり、挿入部９４１の長手方向（側部９４２、９４３）の延長方向（矢印Ｕ方向）に対する横断方向に対して、第二湾曲部９２１ｂの円弧はβ７の角度の方向に伸びることになる。そして、β６の角度からβ７の角度に変化した第二湾曲部９２１ｂでは、図２７に示すように、第二湾曲部９２１ｂの円弧はΦＤ３（第三円周）の円周に沿って伸びることになる。つまり、第二湾曲部９２１ｂの、β６の角度からβ７の角度の円弧の一部がΦＤ３の円周に沿うことになり、点線で示された重複部Ｅ３がΦＤ３と第二湾曲部９２１ｂとが重なり合った部分となる。なお、本例においては、ΦＤ３はΦ３０ｍｍとしている。以上のようにして、渦巻き状の帯状の部材９２１の第二湾曲部９２１ｂでは、β６の角度からβ７の角度へ変化しても、第二湾曲部９２１ｂが連続して、円弧状に滑らかにつながっている。本例においては、β７の角度は４５°であるが、特に４５°に限定されることなく、β６と同様に、鋭角であればよい。
【０１５７】
以上のように、第一湾曲部９２１ａに次いで第二湾曲部９２１ｂが形成され、帯状の部材９２１の、一方の端部９９１から他方の端部９９２に向かう方向において、β５、β６及びβ７と角度を変更し、帯状の部材９２１は渦巻き状（渦巻き状の空間曲線）に形成されている。本例においては、β５、β６及びβ７の順に角度の大きさが小さくなるように形成されているが、逆に、β５、β６及びβ７の順に角度の大きさを大きくなるように形成することも可能である。また、第一湾曲部９２１ａの円弧はΦＤ１の円周に沿い、第二湾曲部９２１ｂの円弧の一部がΦＤ２の円周に沿い、β６の角度からβ７の角度に変化した第二湾曲部９２１ｂでは、第二湾曲部９２１ｂの円弧はΦＤ３の円周に沿って伸びることになる。本例においては、ΦＤ１、ΦＤ２及びΦＤ３の順に外径が大きくなるように形成されている。
【０１５８】
つまり、本例に示す帯状の部材９２１では、図２７に示すように、帯状の部材９２１の、一方の端部９９１側から他方の端部９９２側に向かい、ΦＤ１（Φ２１ｍｍ）、ΦＤ２（Φ２５ｍｍ）及びΦＤ３（Φ３０ｍｍ）というように、径が大きくなっている。その結果、本例に示す帯状の部材９２１は、円錐に帯状の部材９２１の、一方の端部９９１から他方の端部９９２を巻き付けることで、渦巻き状の帯状の部材９２１を形成したことになる。ただし、渦巻き状の帯状の部材９２１の形成に際しては、本例に示す形態に限定されることはない。例えば、帯状の部材９２１の、一方の端部９９１側から他方の端部９９２側に向かい、ΦＤ１、ΦＤ２及びΦＤ３の径が小さく形態とすることも可能である。この場合には、本例と同様に、円錐に帯状の部材９２１を巻き付けることで渦巻き状を形成したことになるが、本例とは異なり、一方の端部９９１側が大きい径になり他方の端部９９２側が小さい径になり本例に示す渦巻き状の帯状の部材９２１とは反対の形態をとることになる。さらに、渦巻き状の帯状の部材９２１を形成する、ΦＤ１、ΦＤ２及びΦＤ３の径を全て同じにすることで、円柱に帯状の部材９２１の、一方の端部９９１から他方の端部９９２を巻き付けることで、渦巻き状の帯状の部材９２１を形成したことにすることも可能である。また、渦巻き状の帯状の部材９２１を形成する、ΦＤ１、ΦＤ２及びΦＤ３の径をそれぞれ異なる径とすることも可能である。その場合には、円錐、或いは円柱に巻き付けて、渦巻き状の帯状の部材９２１を形成するのではなく、ΦＤ１、ΦＤ２及びΦＤ３の径に対応する各円弧を個別に形成することで渦巻き状の帯状の部材９２１を形成することになる。例えば、ΦＤ１、ΦＤ２及びΦＤ３の径に対応する円柱を個別に用いて各円弧を形成することで渦巻き状の帯状の部材９２１を形成することも可能である。
【０１５９】
なお、帯状の部材９２１を渦巻き状の形態にするための、β１、β２、β５、β６及びβ７の角度は、仕立用支柱９９０に巻き付ける、蔓（茎）に花を付ける植物、或いは蔓（茎）に花を付ける植物を模した造花等を観賞するのに最も適した状態にするために、設定した角度であり、蔓（茎）に花を付ける植物、或いは蔓（茎）に花を付ける植物を模した造花等花の大きさ、花Ａ２の大きさ、花Ａ２、Ａ２同士の間隔等により、本例で設定したβ１、β２、β５、β６及びβ７の角度とは異なる角度を設定することもあり得る。ただし、β５、β６及びβ７の角度については、鋭角の範囲内で設定されることになる。また、β１、β２の角度についても、同様に、本例でのβ１、β２の角度より大きくなったり、小さくなったりすることになる。また、帯状の部材９２１を渦巻き状の形態にするための、ΦＤ１、ΦＤ２及びΦＤ３についても、仕立用支柱９９０に巻き付ける、蔓（茎）に花を付ける植物、或いは蔓（茎）に花を付ける植物を模した造花等を観賞するのに最も適した状態にするために、設定した径であり、蔓（茎）に花を付ける植物、或いは蔓（茎）に花を付ける植物を模した造花等花の大きさ、花Ａ２の大きさ、花Ａ２、Ａ２同士の間隔、さらには仕立用支柱９９０を配置する場所の大きさ等により、本例で設定したΦＤ１、ΦＤ２及びΦＤ３とは異なる径を設定することもあり得る。
【０１６０】
また、本例においては、ΦＤ１、ΦＤ２及びΦＤ３の中心は、図２７に示すように、重なる位置に設けられており、ΦＤ１、ΦＤ２及びΦＤ３の中心Ｏ１、Ｏ２及びＯ３を結ぶ直線は中心線ＣＬを形成することになり、挿入部９４１と平行に伸びることになる。中心線ＣＬは、挿入部９４１に対して対向しているが、中心線ＣＬは挿入部９４１と接近していてもよい。その場合、中心線ＣＬと挿入部９４１とが重なる場合でもよく、中心線ＣＬが挿入部９４１内に入り込むような場合でもよい。また、中心線ＣＬは挿入部９４１から離れていてもよい。中心線ＣＬを挿入部９４１からどの程度離すかは、蔓（茎）に花を付ける植物、或いは蔓（茎）に花を付ける植物を模した造花等花の大きさ、花Ａ２の大きさ、花Ａ２、Ａ２同士の間隔、さらには仕立用支柱９９０を配置する場所等の大きさ等により決定することになる。また、本例においては、ΦＤ１、ΦＤ２及びΦＤ３が渦巻き状の帯状の部材９２１の長手方向に沿って、異なる間隔となる位置としている。これは、仕立用支柱９９０に巻き付ける、蔓（茎）に花を付ける植物、或いは蔓（茎）に花を付ける植物を模した造花等を観賞するのに最も適した状態にするためである。
【０１６１】
ただし、仕立用支柱９９０に巻き付ける、蔓（茎）に花を付ける植物、或いは蔓（茎）に花を付ける植物を模した造花等によっては、ΦＤ１、ΦＤ２及びΦＤ３が渦巻き状の帯状の部材９２１の長手方向に沿って、等間隔とした方が仕立用支柱９９０に巻き付ける、蔓（茎）に花を付ける植物、或いは蔓（茎）に花を付ける植物を模した造花等を観賞するのに最も適した状態になる場合もある。従って、仕立用支柱９９０に巻き付ける、蔓（茎）に花を付ける植物、或いは蔓（茎）に花を付ける植物を模した造花等を観賞するのに最も適した状態にするためにΦＤ１、ΦＤ２及びΦＤ３が渦巻き状の帯状の部材９２１の長手方向に沿って、異なる間隔とするか、等間隔とするかは適宜選択されることになる。以上のように、本例においても、仕立用支柱９９０を構成する帯状の部材９２１が渦巻き状に形成されているために、渦巻き状の帯状の部材９２１に蔓（茎）に花を付ける植物、或いは蔓（茎）に花を付ける植物を模した造花等を巻き付けることで蔓（茎）に花を付ける植物、或いは蔓（茎）に花を付ける植物を模した造花等をコンパクトにまとることができる。
【０１６２】
以上の構成の仕立用支柱９９０に蔓（茎）に花を付ける植物、或いは蔓（茎）に花を付ける植物を模した造花等をはわせる（巻き付ける）ことになる。本例においては、図２８及び図２９に示すように、胡蝶蘭Ａをはわせる（巻き付ける）。仕立用支柱９９０に胡蝶蘭Ａをはわせる（巻き付ける）ためには、まず、例６及び例７と同様に、基台である植木鉢Ｗ内に仕立用支柱９９０を組み込む。組み込みに際しては、図２８に示すように、仕立用支柱９９０の挿入部９４１を植木鉢Ｗ内に向けて組み込み（埋め込み）、仕立用支柱９９０を植木鉢Ｗに対して直立した状態にする。そのために、植木鉢Ｗ内には、例６及び例７と同様に、図示しない充填材、本例では樹脂製の小片Ｗ１が多数入れることで、仕立用支柱９９０の下方側の挿入部９４１を充填材で保持し、仕立用支柱９９０を植木鉢Ｗに対して直立した状態にしている。そして、図２９に示すように、植木鉢Ｗ内に仕立用支柱９９０の挿入部９４１に隣接して胡蝶蘭Ａの株（根）を組み込む（植え込む）。
【０１６３】
胡蝶蘭Ａを植木鉢Ｗに組み込んだ後に（植え込んだ後に）、図２８及び図２９に示すように、胡蝶蘭Ａの花茎Ａ１を、例６及び例７と同様に、仕立用支柱９９０の第一湾曲部９２１ａ、第二湾曲部９２１ｂで形成される渦巻き状の平板である渦巻き状の帯状の部材９２１にはわせる（巻き付ける）。胡蝶蘭Ａの花茎Ａ１を渦巻き状の平板である渦巻き状の帯状の部材９２１（第一湾曲部９２１ａ、第二湾曲部９２１ｂ）にはわせる（巻き付ける）に際しては、胡蝶蘭Ａの花Ａ２を、仕立用支柱９９０の外側を向かせて（仕立用支柱９９０から外方方向に胡蝶蘭Ａの花Ａ２を向かせて）渦巻き状の帯状の部材（第一湾曲部９２１ａ、第二湾曲部９２１ｂ）９２１の長手方向に沿わせる。その際、胡蝶蘭Ａの花茎Ａ１は、図２９に示すように、渦巻き状の帯状の部材９２１の中央の、帯状の部材９２１の長手方向に沿う、複数形成された、二つ並んだ孔部９５２、９５２の真ん中を通ることになる。以上のように、胡蝶蘭Ａの花茎Ａ１をはわせる（巻き付ける）に際して、第一湾曲部９２１ａ、第二湾曲部９２１ｂに沿って胡蝶蘭Ａの花茎Ａ１をはわす（巻き付ける）ことになるので、容易に渦巻き状に胡蝶蘭Ａの花茎Ａ１を曲げることが可能になり、図２９に示すように、それに対応して胡蝶蘭Ａの花Ａ２を仕立用支柱９９０（渦巻き状の帯状の部材９２１）の回りに咲かせた状態にすることが可能になる。
【０１６４】
胡蝶蘭Ａの花茎Ａ１と渦巻き状の帯状の部材（第一湾曲部９２１ａ、第二湾曲部９２１ｂ）９２１との固定は、基本的には、例６及び例７と同様に行われる。図２３に示すＬ３、Ｌ４及びＬ５の間隔で形成された、渦巻き状の帯状の部材９２１の長手方向に沿う中央寄りを二列に等間隔で形成された孔部９５２、９５２同士の間に胡蝶蘭Ａの花茎Ａ１を配置して、孔部９５２、９５２に紐状の部材Ｄ１を通して胡蝶蘭Ａの花茎Ａ１を紐状の部材Ｄ１と渦巻き状の帯状の部材９２１とで挟み込むことで固定している（図３０（ａ）参照）。本例においては、図３０（ａ）に示すように、渦巻き状の帯状の部材９２１の、他方の平面部９１３側に配置された胡蝶蘭Ａの花茎Ａ１に対して、他方の平面部９１３側より紐状の部材Ｄ１の端部Ｄ１１、Ｄ１１を孔部９５２、９５２に挿入して紐状の部材Ｄ１により胡蝶蘭Ａの花茎Ａ１を渦巻き状の帯状の部材９２１上に保持し、図３０（ｂ）に示すように、渦巻き状の帯状の部材９２１の、一方の平面部９１２側で紐状の部材Ｄ１の端部Ｄ１１、Ｄ１１側同士を結びつけている。
【０１６５】
このように端部Ｄ１１、Ｄ１１側同士を結ぶことで胡蝶蘭Ａの花茎Ａ１を渦巻き状の帯状の部材９２１上に保持した状態を維持することになる。そして、本例においては、渦巻き状の帯状の部材９２１の、他方の端部９９２側より他方の端部９９２からＬ３の間隔（距離）の最初の孔部９５２、９５２に紐状の部材Ｄ１を通し胡蝶蘭Ａの花茎Ａ１を渦巻き状の帯状の部材９２１に固定する。続いて、その紐状の部材Ｄ１を通した、孔部９５２、９５２からＬ４の間隔（距離）の孔部９５２、９５２に紐状の部材Ｄ１を通し胡蝶蘭Ａの花茎Ａ１を渦巻き状の帯状の部材９２１に固定し、さらに、Ｌ４の間隔（距離）の孔部９５２、９５２も紐状の部材Ｄ１により同様に行い、その後に続く、渦巻き状の帯状の部材９２１の長手方向に沿う、Ｌ５の間隔（距離）の孔部９５２、９５２全てについて、同様に紐状の部材Ｄ１を通し胡蝶蘭Ａの花茎Ａ１を渦巻き状の帯状の部材９２１に固定する（図３０（ａ）参照）。以上により、胡蝶蘭Ａの花茎Ａ１を渦巻き状の帯状の部材９２１の長手方向に沿って保持した状態が実現される。
【０１６６】
ただし、例６及び例７と同様に、紐状の部材Ｄ１を用いることに限定されず、テープを用いることで、胡蝶蘭Ａの花茎Ａ１を渦巻き状の帯状の部材（第一湾曲部９２１ａ、第二湾曲部９２１ｂ）９２１に貼り付けることで固定することも可能である。その場合には、渦巻き状の帯状の部材９２１の中央の、帯状の部材９２１の長手方向に沿う、複数形成された、二つ並んだ孔部９５２、９５２を設ける必要はなくなる。そして、テープを用いた場合であっても、テープは、図３０（ａ）に示すように、基本的には、紐状の部材Ｄ１が胡蝶蘭Ａの花茎Ａ１に設けられた位置と同じ位置に設けられる。つまり、テープを胡蝶蘭Ａの花Ａ２同士の間の花茎Ａ１に貼付し、テープの両端側を渦巻き状の帯状の部材９１２の他方の平面部９１３に貼り付ける。紐状の部材Ｄ１と同様に、胡蝶蘭Ａのの花茎Ａ１の複数の箇所に同様にテープを貼り付ける。以上のようにして、テープと渦巻き状の帯状の部材９１２との間に胡蝶蘭Ａの花茎Ａ１を挟み込むことで、紐状の部材Ｄ１を用いた場合と同様に、胡蝶蘭Ａの花茎Ａ１を渦巻き状の帯状の部材９２１上に保持した状態を維持することになる。さらに、例６及び例７と同様に、胡蝶蘭Ａの花茎Ａ１を傷付けない限り、例えば、接着剤を直接、胡蝶蘭Ａの花茎Ａ１と渦巻き状の帯状の部材（第一湾曲部９２１ａ、第二湾曲部９２１ｂ）９２１との間に塗布することで胡蝶蘭Ａの花茎Ａ１と渦巻き状の帯状の部材（第一湾曲部９２１ａ、第二湾曲部９２１ｂ）９２１との固定を行うことも可能である。この場合も同様に、胡蝶蘭Ａの花茎Ａ１を渦巻き状の帯状の部材９２１上に保持した状態を維持することになる。
【０１６７】
つぎに、渦巻き状の帯状の部材９２１の側部９９４に沿って複数形成された孔部９５１全てに支柱Ｆを取り付ける。支柱Ｆは、図３０及び図３１に示すように、棒状の部材であり、本例においては円柱状の部材を用いているが、角柱状の部材であってもよい。また、支柱Ｆは、基本的に渦巻き状の帯状の部材９２１を支えることになるため、本例では、変形し難い金属製のを用いているが、金属製に限定されることなく硬質な樹脂製の部材を用いることも可能である。渦巻き状の帯状の部材９２１の側部９９４側の孔部９５１への支柱Ｆの取り付けに際しては、図３１に示すように、支柱Ｆの一方の端部Ｆ１側を直角に折り曲げて孔部９５１へ挿入する（他方の平面部９１３側から一方の平面部９１２側へ向かって挿入する）。そして、一方の平面部９１２側から突出した一方の端部Ｆ１側へキャップＧを取り付ける。本例においては、キャップＧはハット状の形状のものを用いているが、特にハット状の形状のものに限定されることなく、一方の平面部９１２側から突出した端部Ｆ１側を被うことができれば形状は限定されない。以上のようにして、支柱Ｆの一方の端部Ｆ１側が渦巻き状の帯状の部材９２１に取り付けられることで、支柱Ｆの他方の端部Ｆ２側は、図３１に示すように、挿入部９４１側に伸びて、植木鉢Ｗ内に入り込み、植木鉢Ｗ内の充填材、本例では多数の樹脂製の小片Ｗ１により他方の端部Ｆ２側が支持されている。本例では、渦巻き状の帯状の部材９２１の側部９９４側に８本の支柱Ｆが取り付けられることで、植木鉢Ｗ上で渦巻き状の帯状の部材９２１を支持することになる。つまり、複数の支柱Ｆを設けることで植木鉢Ｗ上の渦巻き状の帯状の部材９２１がその自重等により変形することを防止している。
【０１６８】
以上のようにして、胡蝶蘭Ａの花茎Ａ１を渦巻き状の帯状の部材（第一湾曲部９２１ａ、第二湾曲部９２１ｂ）９２１に固定することにより、図２８及び図２９に示すように、仕立用支柱９９０に胡蝶蘭Ａをはわすこと（巻き付けること）になる。その結果、胡蝶蘭Ａは仕立用支柱９９０の第一湾曲部９２１ａ、第二湾曲部９２１ｂである渦巻き状の帯状の部材９２１に沿って、渦巻き状に仕立用支柱９９０の上方側（渦巻き状の帯状の部材９２１の一方の端部９９１から他方の端部９９２）に伸びた状態になる。その際、胡蝶蘭の花Ａ２は、例６及び例７と同様に、渦巻き状の帯状の部材９２１に載った状態で配置されることになる。つまり、胡蝶蘭Ａの花びらであるトップセパルＡ２１、アンダーセパルＡ２４を含めたペダルＡ２２が渦巻き状の帯状の部材９２１に沿う状態（渦巻き状の帯状の部材９２１に対して胡蝶蘭Ａの花びらであるトップセパルＡ２１、アンダーセパルＡ２４を含めたペダルＡ２２が平行に近い状態）で配置されることになる。このようにして、渦巻き状の帯状の部材９２１に胡蝶蘭Ａの花Ａ２が配置されることで胡蝶蘭Ａの花Ａ２が仕立用支柱９９０の渦巻き状の帯状の部材９２１に沿って設けられ仕立用支柱９９０の回りのどの方向からも胡蝶蘭Ａの花Ａ２を見ることが可能になる。また、蔓（茎）に花を付ける植物を模した造花等の胡蝶蘭Ａの花Ａ２の場合でも、同様に、胡蝶蘭Ａの花茎Ａ２を仕立用支柱９９０に沿って渦巻き状に形成することができる。
【０１６９】
また、本例においても、渦巻き状の帯状の部材９２１の一方の端部９９１から伸びてきた第一湾曲部９２１ａにおけるβ５の角度、他方の端部９９２に向かう、第二湾曲部９２１ｂにおけるβ６、β７の角度を変えることによって胡蝶蘭Ａの花Ａ２の並びを変化させることができる。β５、β６及びβ７の角度を変えることで、渦巻き状の帯状の部材９２１に配置された胡蝶蘭Ａの花Ａ２の並びの形態を変化させることになり、見る人に同じ胡蝶蘭Ａであっても異なった印象を与えることで花を見る楽しさを提供することができる。そして、胡蝶蘭Ａの花Ａ２が渦巻き状の帯状の部材９２１に配置されることで、β５、β６及びβ７の角度にかかわらず、胡蝶蘭Ａの花Ａ２が仕立用支柱９９０の渦巻き状の帯状の部材９２１に沿うことになり、仕立用支柱９９０の回りのどの方向からも胡蝶蘭Ａの花Ａ２を見ることが可能になる。
【０１７０】
なお、本例においては、渦巻き状の帯状の部材９２１は、第一湾曲部９２１ａ、第二湾曲部９２１ｂより構成されているが、特に、渦巻き状の帯状の部材９２１が、第一湾曲部９２１ａ、第二湾曲部９２１ｂのみにより構成されることに限定されない。例６及び例７と同様に、第三変曲部を形成し、第三変曲部より第三湾曲部が形成されることも可能である。その場合には、渦巻き状の帯状の部材９２１の他方の端部９９２より渦巻き状の平面部が円弧で伸びて、第二湾曲部９２１ｂの伸びてきた方向とは異なる方向に、帯状の部材９２１である渦巻き状の平面部が切り替わる（反転する）変曲部（第三変曲部）が形成され、変曲部（第三変曲部）から、第二湾曲部９２１ｂに円弧状になめらかに連続して、変曲部（第三変曲部）から離れる方向に向って帯状の部材９２１の円弧で伸びた渦巻き状の平面部である第三湾曲部が形成されていることになる。そして、渦巻き状の平面部である第三湾曲部は、挿入部９４１の長手方向（側部９４２、９４３）の延長方向（矢印Ｕ方向）に対する横断方向に対して、第二湾曲部９２１ｂの円弧はβ６の角度、或いはβ６の角度に近い角度の方向に伸びることになる（図２６参照）。
【０１７１】
また、第二変曲部における傾斜角度と同様に、第二変曲部から伸びてきた第二湾曲部９２１の接線（方向）と第三変曲部から伸びていく第三湾曲部の接線（方向）とでなす角度γは鋭角とすることも可能であるし、第二変曲部における傾斜角度と異なる角度とすることも可能である。また、例６及び例７と同様に、角度γは必ずしも鋭角である必要はなく、鈍角とすることも可能である。さらに、同様に、渦巻き状の平面部を伸ばして（形成して）変曲部及び湾曲部を形成することも可能である。以上のように第三湾曲部が形成された場合には、本例では、第二湾曲部９２１ｂに複数の孔部９５１が形成され、複数の孔部９５１に支柱Ｆを取り付けているが、第三湾曲部側に複数の孔部９５１を形成し、複数の孔部９５１に支柱Ｆを取り付けることになる。ただし、必ずしも渦巻き状の帯状の部材９２１の他方の端部９９２側に複数の孔部９５１を形成する必要はなく、第三湾曲部が形成された場合であっても、本例と同様に、第二湾曲部９２１ｂ側に複数の孔部９５１を形成し、複数の孔部９５１に支柱Ｆを取り付けることも可能である。
【０１７２】
そして、第三変曲部、第三湾曲部を形成した場合には、例６及び例７と同様に、挿入部９４１の端部側である帯状の部材９２１の一方の端部９９１より帯状の部材９２１を湾曲させた状態にすることも可能である。つまり、帯状の部材９２１の、一方の端部９２１から他方の端部９９２側に向かって少なくとも一回転して捻れた状態にすることも可能である。具体的には、図示していないが、仕立用支柱９９０は、例６及び例７と同様に、正面方向から捉えると、正面方向に向いた一方の平面部９１２側から渦巻き状の帯状の部材９２１を形成して他方の平面部９１３側が正面方向を向き、渦巻き状の渦巻き状の帯状の部材９２１を形成して再度一方の平面部９１２側が正面方向を向くことになる。ただし、必ずしも一回転させるだけ帯状の部材９２１を渦巻き状に形成する必要はない。
【０１７３】
（例９）
以上の例１から例７までの仕立用支柱１、６、６０、７０、８、９、９０、９９０に胡蝶蘭Ａの花茎Ａ１をはわせる（巻き付ける）に際しては、胡蝶蘭Ａの、植木鉢から伸びる花茎Ａ１を湾曲させて、花茎Ａ１の先端が下方に垂れ下がった状態で胡蝶蘭Ａの花Ａ２を咲かせた状態にし、その状態から胡蝶蘭Ａの花茎Ａ１の先端Ａ３から花茎Ａ１を持ち上げて仕立用支柱１、６、６０、７０、８、９、９０、９９０に沿わせて胡蝶蘭Ａの花茎Ａ１を渦巻き状に形成することになる。つまり、図３２（ａ）に示すように、植木鉢から伸びる胡蝶蘭Ａの花茎Ａ１を湾曲させて花茎Ａ１の先端Ａ３が下方に垂れ下がって胡蝶蘭Ａの花Ａ２が付いている状態にする。この状態が胡蝶蘭Ａの観賞に際しての一般的な形態である。この状態から、図３２（ｂ）に示すように、胡蝶蘭Ａの花茎Ａ１の先端Ａ３側を立ち上げて花茎Ａ１を植木鉢Ｗに対して立たせた状態（直立させた状態）にする。そして、図３２（ｂ）に示す、植木鉢Ｗに対して立たせた状態の胡蝶蘭Ａの花茎Ａ１を仕立用支柱１、６、６０、７０、８、９、９０、９９０に渦巻き状に巻き付けることになる。
【０１７４】
このとき、図３２（ｂ）に示す、植木鉢Ｗに対して立たせた状態の胡蝶蘭Ａの花茎Ａ１に咲いた花Ａ２は、図３２（ａ）に示す、植木鉢から伸びる胡蝶蘭Ａの花茎Ａ１に咲いた花Ａ２とは異なる状態になる。具体的には、図３２（ａ）に示す、胡蝶蘭Ａの花Ａ２は、図３３（ａ）に示すように、トップセパル（上がく片）Ａ２１が上になり、以下リップ（唇弁）Ａ２３を含んだペダル（花弁）Ａ２２、アンダーセパル（下がく片）Ａ２４の順になっている。これに対して、図３２（ｂ）に示す、胡蝶蘭Ａの花Ａ２は、図３３（ｂ）に示すように、アンダーセパル（下がく片）Ａ２４が上になり、以下リップ（唇弁）Ａ２３を含んだペダル（花弁）Ａ２２、トップセパル（上がく片）Ａ２１の順になっている。つまり、図３２（ａ）に示す、胡蝶蘭Ａの花Ａ２を逆にした状態が図３２（ｂ）に示す、胡蝶蘭Ａの花Ａ２の状態ということになる。このようにして、図３２（ｂ）に示すように、胡蝶蘭Ａの花茎Ａ１を植木鉢Ｗに対して立たせた状態で仕立用支柱６、６０、９にはわせる（巻き付ける）状態について示す。
【０１７５】
まず、仕立用支柱６に胡蝶蘭Ａをはわせる（巻き付ける）ために、図３４に示すように、図８に示す場合と同様に、胡蝶蘭Ａの花茎Ａ１を胡蝶蘭Ａの花Ａ２が仕立用支柱６に対して外側を向かせて（仕立用支柱６から外方方向に胡蝶蘭Ａの花Ａ２を向かせて）仕立用支柱６の渦巻き状の空間曲線２８にはわせ（巻き付け）、胡蝶蘭Ａの花Ａ２を仕立用支柱６（渦巻き状の空間曲線２８）の回りに咲かせた状態にすることになり、胡蝶蘭Ａは仕立用支柱６の渦巻き状の空間曲線２８に沿って、渦巻き状に仕立用支柱６の上方側６３に伸びた状態になる。そして、胡蝶蘭Ａの花Ａ２は、図３４に示すように、図８に示す胡蝶蘭Ａの花Ａ２を逆にした状態である、仕立用支柱６の上方側６３よりアンダーセパル（下がく片）Ａ２４、以下リップ（唇弁）Ａ２３を含んだペダル（花弁）Ａ２２、トップセパル（上がく片）Ａ２１の順になる。つまり、胡蝶蘭の花茎Ａ１の先端側に向かってアンダーセパル（下がく片）、以下リップ（唇弁）Ａ２３を含んだペダル（花弁）Ａ２２、トップセパルトップセパル（上がく片）Ａ２１の順になる。そして、三本の棒状部材２で形成される実質的な平面（実質的に同一平面）２８３に胡蝶蘭Ａの花Ａ２が配置されることで胡蝶蘭Ａの花Ａ２が仕立用支柱６の渦巻き状の空間曲線２８に沿って設けられ仕立用支柱６の回りのどの方向からも胡蝶蘭Ａの花Ａ２を見ることが可能になる。
【０１７６】
また、仕立用支柱６０に胡蝶蘭Ａをはわせる（巻き付ける）ために、図３５に示すように、図１３に示す場合と同様に、胡蝶蘭Ａの花茎Ａ１を胡蝶蘭Ａの花Ａ２を仕立用支柱６０の側面部６０１に対して外側を向かせて（仕立用支柱６０から外方方向に胡蝶蘭Ａの花Ａ２を向かせて）仕立用支柱６０の側面部６０１に沿って渦巻き状に形成された小孔部６０４に沿ってはわせ（巻き付け）、胡蝶蘭Ａの花Ａ２を仕立用支柱６０の側面部６０１の回りに咲かせた状態にすることになり、胡蝶蘭Ａは仕立用支柱６の側面部６０１に沿って、渦巻き状に仕立用支柱６０の上方側（他方の端部６０５）に伸びた状態になる。そして、胡蝶蘭Ａの花Ａ２は、図３５に示すように、図１３に示す胡蝶蘭Ａの花Ａ２を逆にした状態である、仕立用支柱６０の上方側（他方の端部６０５）よりアンダーセパル（下がく片）Ａ２４、リップ（唇弁）Ａ２３を含んだペダル（花弁）Ａ２２、トップセパル（上がく片）Ａ２１の順になる。つまり、胡蝶蘭の花茎Ａ１の先端側に向かってアンダーセパル（下がく片）、以下リップ（唇弁）Ａ２３を含んだペダル（花弁）Ａ２２、トップセパルトップセパル（上がく片）Ａ２１の順になる。そして、仕立用支柱６０の側面部６０１に胡蝶蘭Ａの花Ａ２が配置されることで胡蝶蘭Ａの花Ａ２が仕立用支柱６０の側面部６０１に渦巻き状に設けられ、仕立用支柱６０の回りのどの方向からも胡蝶蘭Ａの花Ａ２を見ることが可能になる。
【０１７７】
さらに、仕立用支柱９に胡蝶蘭Ａをはわせる（巻き付ける）ために、図３６に示すように、図１７に示す場合と同様に、胡蝶蘭Ａの花茎Ａ１を胡蝶蘭Ａの花Ａ２が仕立用支柱９に対して外側を向かせて（仕立用支柱９から外方方向に胡蝶蘭Ａの花Ａ２を向かせて）仕立用支柱９の渦巻き状の平板９１１にはわせ（巻き付け）、胡蝶蘭Ａの花Ａ２を仕立用支柱９の回りに咲かせた状態にすることになり、胡蝶蘭Ａは仕立用支柱９の渦巻き状の平板９１１に沿って、渦巻き状に仕立用支柱９の上方側（他方の端部９２７）に伸びた状態になる。そして、胡蝶蘭Ａの花Ａ２は、図３６に示すように、図１７に示す胡蝶蘭Ａの花Ａ２を逆にした状態である、仕立用支柱９の上方側（他方の端部９２７）よりアンダーセパル（下がく片）Ａ２４、リップ（唇弁）Ａ２３を含んだペダル（花弁）Ａ２２、トップセパル（上がく片）Ａ２１の順になる。つまり、胡蝶蘭の花茎Ａ１の先端側に向かってアンダーセパル（下がく片）、以下リップ（唇弁）Ａ２３を含んだペダル（花弁）Ａ２２、トップセパルトップセパル（上がく片）Ａ２１の順になる。そして、仕立用支柱９の渦巻き状の平板９１１に胡蝶蘭Ａの花Ａ２が配置されることで胡蝶蘭Ａの花Ａ２が仕立用支柱９に渦巻き状に設けられ、仕立用支柱９の回りのどの方向からも胡蝶蘭Ａの花Ａ２を見ることが可能になる。
【０１７８】
以上では、仕立用支柱６、６０、９を用いて示したが、他の仕立用支柱１、７０、８、９０、９９０を用いた場合でも同じように、胡蝶蘭Ａの花Ａ２は、胡蝶蘭Ａの花Ａ２を逆にした状態である、仕立用支柱１、７０、８、９０、９９０の上方側よりアンダーセパル（下がく片）Ａ２４、リップ（唇弁）Ａ２３を含んだペダル（花弁）Ａ２２、トップセパル（上がく片）Ａ２１の順になる。つまり、胡蝶蘭の花茎Ａ１の先端側に向かってアンダーセパル（下がく片）、以下リップ（唇弁）Ａ２３を含んだペダル（花弁）Ａ２２、トップセパルトップセパル（上がく片）Ａ２１の順になる。このような胡蝶蘭Ａの花Ａ２の状態であっても、仕立用支柱１、６、６０、７０、８、９、９０、９９０に巻き付けることで胡蝶蘭Ａをコンパクトにまとめることができるとともに、仕立用支柱１、６、６０、７０、８、９、９０、９９０の回りのどの方向からも胡蝶蘭Ａの花Ａ２を見ることができる。ただし、以上のように、胡蝶蘭Ａの花Ａ２を逆にした状態ではなく、胡蝶蘭Ａの花Ａ２が通常の観賞に適した状態である、図３３（ａ）に示すように、トップセパル（上がく片）Ａ２１、リップ（唇弁）Ａ２３を含んだペダル（花弁）Ａ２２、アンダーセパル（下がく片）Ａ２４の順となるように調整することも可能である。
【０１７９】
以下では、仕立用支柱１、６、６０、７０、８、９、９０、９９０に巻き付ける際にも胡蝶蘭Ａの花Ａ２が観賞に適した状態である、トップセパルＡ２１が上になり、以下リップＡ２３を含んだペダルＡ２２、アンダーセパルＡ２４の順となる（図３３（ａ）参照）ように調整する工程を示す。
【０１８０】
まず、図３７（ａ）に示すように、胡蝶蘭Ａの花茎Ａ１に蕾Ａ４が付き、その蕾Ａ４がある程度の大きさになるまでは、胡蝶蘭Ａの花茎Ａ１の植木鉢Ｗ側を支持することになる。胡蝶蘭Ａの花茎Ａ１の植木鉢Ｗ側の支持は、胡蝶蘭Ａの花茎Ａ１に隣接して設けられた支え棒Ｃによって行われる。具体的には、胡蝶蘭Ａの花茎Ａ１の植木鉢Ｗ側を支え棒Ｃに紐状の部材３２によって固定することになる。この状態で胡蝶蘭Ａを生長させることで、胡蝶蘭Ａの花茎Ａ１の先端Ａ３側が伸び蕾Ａ４が大きくなるに従い、胡蝶蘭Ａの花茎Ａ１の先端Ａ３側は、図３７（ａ）に示すように、垂れ下がり胡蝶蘭Ａの花茎Ａ１全体が湾曲した形状になる。そして、胡蝶蘭Ａの花茎Ａ１が湾曲して蕾Ａ４もある程度大きくなる。図３７（ａ）に示すように、蕾Ａ４の花茎Ａ１側の底部Ａ４１から蕾Ａ４の頂部Ａ４２までの長さＬ１が２ｃｍに生長するものが一つでもあれば図３７（ｂ）に示す工程に移行する。その際、図３７（ａ）では、花茎Ａ１が湾曲した状態を示しているが、花茎Ａ１が図３７（ａ）に示すように湾曲しなくても蕾Ａ４の内、少なくとも一つが蕾Ａ４の花茎Ａ１側の底部Ａ４１から蕾Ａ４の頂部Ａ４２までの長さである、Ｌ１が２ｃｍを超えたところで図３７（ｂ）に示す工程に移行する。
【０１８１】
そして、花茎Ａ１にある蕾Ａ４の内、少なくとも一つがＬ１の長さで２ｃｍを超えたところで、図３７（ｂ）に示すように、胡蝶蘭Ａの花茎Ａ１の先端Ａ３側を立たせ、胡蝶蘭Ａに隣接して植木鉢Ｗに設けられた支え棒Ｃに沿って伸ばす。そして、胡蝶蘭Ａの花茎Ａ１が支え棒Ｃに沿って伸びた状態を維持するために、さらに胡蝶蘭Ａの花茎Ａ１の先端Ａ３側を紐状の部材３２によって支え棒Ｃに固定する。このように胡蝶蘭Ａの花茎Ａ１が植木鉢Ｗに対して真っ直ぐ伸びた状態（植木鉢Ｗに対して直立した状態）で胡蝶蘭Ａの花Ａ２を開花させる。この状態で開花させることで胡蝶蘭Ａの花Ａ２は、図３７（ｃ）に示すように、胡蝶蘭Ａの花茎Ａ１の先端Ａ３側に向かってトップセパルＡ２１が上になり、以下リップＡ２３を含んだペダルＡ２２、アンダーセパルＡ２４の順になる。つまり、胡蝶蘭Ａの花Ａ２の、花茎Ａ１の立ち上がる方向に対して咲くという性質（花茎Ａ１の高い側にトップセパルＡ２１がくるように咲く性質）を利用して胡蝶蘭Ａの花Ａ２を咲かせているため、従来の胡蝶蘭Ａの花茎Ａ１を湾曲させた状態で胡蝶蘭Ａの花Ａ２を咲かせた状態と同じになっている。
【０１８２】
以上のように、図３７（ｃ）に示すように、胡蝶蘭Ａの花Ａ２が、一般の観賞に適した状態である、トップセパルＡ２１が上になり、以下リップＡ２３を含んだペダルＡ２２、アンダーセパルＡ２４の順で咲いた状態（図３３（ａ）参照）で例１から例８に示す仕立用支柱１、６、６０、７０、８、９、９０、９９０に巻き付ける。その巻き付けた状態が、既に説明した、図６、図８、図１０、図１１、図１４、図１６、図１８、図２０、及び図２８に示す通りである。つまり、胡蝶蘭Ａの花茎Ａ１を渦巻き状の形状（螺旋状の形状）にして仕立用支柱１、６、６０、７０、８、９、９０、９９０に巻き付けることになり、仕立用支柱１、６、６０、７０、８、９、９０、９９０の回りのどの方向からも胡蝶蘭Ａの花Ａ２を見ることが可能になるとともに、胡蝶蘭Ａの花Ａ２が、図３３（ａ）に示すように、トップセパルＡ２１、リップＡ２３を含んだペダルＡ２２、及びアンダーセパルＡ２４の順になり、いわゆる、胡蝶蘭Ａの花Ａ２を逆にした状態を調整したことになる。なお、本例では、植木鉢Ｗを用いているが、植木鉢Ｗ以外のプランター等の植物等を植え込むことができる容器である基台を用いることも可能であり、基台を用いることでも本例に示す、胡蝶蘭Ａの花Ａ２を逆にした状態の調整を行うことが可能である。
【０１８３】
なお、蔓（茎）に花を付ける植物を模した造花等の胡蝶蘭Ａの花Ａ２については、造花であるために、造花を造る際に、トップセパルＡ２１、リップＡ２３を含んだペダルＡ２２、及びアンダーセパルＡ２４の順とするか、アンダーセパルＡ２４、リップＡ２３を含んだペダルＡ２２、トップセパル（上がく片）Ａ２１の順とするかは自由にでき、植物の胡蝶蘭Ａと同様に、胡蝶蘭Ａの花茎Ａ２を仕立用支柱９９０に沿って渦巻き状に形成することができる。
【０１８４】
同様に、例１から例８においても、蔓（茎）に花を付ける植物を模した造花等の胡蝶蘭Ａの花Ａ２については、造花であるために、造花を造る際に、トップセパルＡ２１、リップＡ２３を含んだペダルＡ２２、及びアンダーセパルＡ２４の順とするか、アンダーセパルＡ２４、リップＡ２３を含んだペダルＡ２２、トップセパル（上がく片）Ａ２１の順とするかは自由にでき、植物の胡蝶蘭Ａと同様に、胡蝶蘭Ａの花茎Ａ２を仕立用支柱１、６、６０、７０、８、９、９０に沿って渦巻き状に形成することができる。
【０１８５】
（例１０）
例１から例９までに示す仕立用支柱１、６、６０、７０、８、９、９０、９９０は、胡蝶蘭Ａの花茎Ａ１を渦巻き状に巻き付ける構成をとっているが、必ずしもこのような胡蝶蘭Ａの花茎Ａ１を渦巻き状に巻き付け易い構成をとる必要はなく、例えば、図３８に示すような仕立用支柱である円筒状の部材９００を用いても胡蝶蘭Ａの花茎Ａ１を渦巻き状にはわす（巻き付ける）ことは可能である。円筒状の部材９００は、円筒状の部材９００の軸方向に沿って複数の樹脂製の枠体９０１が等間隔で並べられており、複数の枠体９０１の一方の端部側には樹脂製のリング状の部材９０２が連結されており、また、複数の枠体９０１の他方の端部側にもリング状の部材９０２が連結されている。複数の枠体９０１の他方の端部側に連結されたリング状の部材９０２は、図３８に示すように、複数の枠体９０１の他方の端部から距離をおいて連結されており、複数の枠体９０１の他方の端部がリング状の部材９０２から突出した形成されている。この突出した、複数の枠体９０１の他方の端部側は、植木鉢Ｗに組み込むことになる。本例では、植木鉢Ｗを用いているが、植木鉢Ｗ以外のプランター等の植物等を植え込むことができる容器である基台を用いることも可能である。
【０１８６】
そして、リング状の部材９０２、９０２同士の間には側面部９１０が形成されている。側面部９１０は、図３８に示すように、リング状の部材９０２に対して４５°に傾斜させた樹脂製の湾曲部材９０３を等間隔で配置し、さらに湾曲部材９０３に対して９０°で交差する湾曲部材９０４を配置することで形成されている。湾曲部材９０３、９０４は、図３８に示すように、リング状の部材９０２の外周方向に沿って湾曲しているため、湾曲部材９０３、９０４を枠体に連結し終えて側面部９１０が完成したときには、円筒状の形状をなす。本例では、枠体９０１の、一方の端部に連結したリング状の部材９０２と他方の端部側に連結したリング状の部材９０２の径の大きさは同じであるが、径の大きさが異なるリング状の部材を連結することも可能である。その場合には、仕立用支柱である円筒状の部材９００は円錐台に近い形状をなすことになる。
【０１８７】
以上の構成の円筒状の部材９００に蔓（茎）に花を付ける植物、例えば、胡蝶蘭Ａをはわせる（巻き付ける）ことになる。図３８に示すように、円筒状の部材９００に胡蝶蘭Ａをはわせる（巻き付ける）ためには、まず、胡蝶蘭Ａの株（根）を植木鉢Ｗ内に組み込み（植え込み）、その後、植木鉢Ｗ内に円筒状の部材９００を組み込む。円筒状の部材９００の組み込みに際しては、円筒状の部材９００の突出した枠体９０１を植木鉢Ｗ内に向けて組み込み（埋め込み）、円筒状の部材９００を植木鉢Ｗに対して直立した状態にする。直立した状態にするために植木鉢Ｗ内には、図示しない充填材、例えば樹脂製の小片が多数入っており、円筒状の部材９００の突出した枠体９０１を充填材で保持することで円筒状の部材９００を植木鉢Ｗ上で支持することになる。そして、胡蝶蘭Ａの花茎Ａ１を円筒状の部材９００の円筒状の部材９００の側面部９１０を形成する、いずれかの湾曲部材９０３、９０４にはわせる（巻き付ける）。胡蝶蘭Ａの花茎Ａ１を円筒状の部材９００の側面部９１０にはわせる（巻き付ける）に際しては、胡蝶蘭Ａの花Ａ２を円筒状の部材９００の外側を向かせて（円筒状の部材９００から外方方向に胡蝶蘭Ａの花Ａ２を向かせて）いずれかの湾曲部材９０３、９０４に沿わせる。また、胡蝶蘭Ａの花茎Ａ１をはわせる（巻き付ける）に際しては、いずれかの湾曲部材９０３、９０４に沿って胡蝶蘭Ａの花茎Ａ１をはわす（巻き付ける）ことにより、容易に渦巻き状に胡蝶蘭Ａの花茎Ａ１を曲げることが可能になり、それに対応して胡蝶蘭Ａの花Ａ２を円筒状の部材９００の回りに渦巻き状に咲かせた状態にすることが可能になる。
【０１８８】
胡蝶蘭Ａの花茎Ａ１と湾曲部材９０３、９０４との固定は、胡蝶蘭Ａの花茎Ａ１と湾曲部材９０３、９０４とを間隔をおいて、図示しない紐を用いて胡蝶蘭Ａの花茎Ａ１と湾曲部材９０３、９０４と結び付けることで胡蝶蘭Ａの花茎Ａ１と湾曲部材９０３、９０４との固定を行っている。ただし、このように紐を用いることに限定されず、テープを用いることで、胡蝶蘭Ａの花茎Ａ１を湾曲部材９０３、９０４に貼り付けることで固定することも可能である。また、胡蝶蘭Ａの花茎Ａ１を傷付けない限り、例えば、接着剤を直接、胡蝶蘭Ａの花茎Ａ１と湾曲部材９０３、９０４との間に塗布することで胡蝶蘭Ａの花茎Ａ１と湾曲部材９０３、９０４との固定を行うことも可能である。
【０１８９】
以上のようにして、胡蝶蘭Ａの花茎Ａ１と湾曲部材９０３、９０４と固定することにより、図３８に示すように、に胡蝶蘭Ａをはわすこと（巻き付けること）になる。その結果、胡蝶蘭Ａは円筒状の部材９００の側面部９１０の湾曲部材９０３、９０４である渦巻き状の形状に沿って、渦巻き状に円筒状の部材９００の上方側（枠体９０１の一方の端部）に伸びた状態になる。その際、胡蝶蘭の花Ａ２は湾曲部材９０３、９０４に載った状態で配置されることになる。つまり、胡蝶蘭Ａの花びらであるトップセパル、アンダーセパルを含めたペダルが湾曲部材９０３、９０４に沿う状態（湾曲部材９０３、９０４に対して胡蝶蘭Ａの花びらであるトップセパル、アンダーセパルを含めたペダルが平行に近い状態）で配置されることになる。なお、本例においても、円筒状の部材９００の側面部９１０の湾曲部材９０３、９０４が渦巻き状に形成されているために、渦巻き状に蔓（茎）に花を付ける植物、或いは蔓（茎）に花を付ける植物を模した造花等を巻き付けることで蔓（茎）に花を付ける植物、或いは蔓（茎）に花を付ける植物を模した造花等をコンパクトにまとることができる。また、蔓（茎）に花を付ける植物を模した造花等の胡蝶蘭Ａの花Ａ２の場合でも、同様に、胡蝶蘭Ａの花茎Ａ２を仕立用支柱である円筒状の部材９００に沿って渦巻き状に形成することができる。
【０１９０】
さらに、本例においては、図３７（ｃ）に示すように、胡蝶蘭Ａの花Ａ２が、一般の観賞に適した状態である、トップセパルＡ２１が上になり、以下リップＡ２３を含んだペダルＡ２２、アンダーセパルＡ２４の順で咲いた状態（図３３（ａ）参照）で、図３８に示す円筒状の部材９００に渦巻き状に巻き付けてある。ただし、胡蝶蘭Ａの花Ａ２を逆にした状態である、仕立用支柱１、７０、８、９０の上方側よりアンダーセパル（下がく片）Ａ２４、リップ（唇弁）Ａ２３を含んだペダル（花弁）Ａ２２、トップセパル（上がく片）Ａ２１の順になる状態で胡蝶蘭Ａの花茎Ａ１を円筒状の部材９００に渦巻き状に巻き付けることも可能である。
【０１９１】
なお、蔓（茎）に花を付ける植物を模した造花等の胡蝶蘭Ａの花Ａ２については、造花であるために、造花を造る際に、トップセパルＡ２１、リップＡ２３を含んだペダルＡ２２、及びアンダーセパルＡ２４の順とするか、アンダーセパルＡ２４、リップＡ２３を含んだペダルＡ２２、トップセパル（上がく片）Ａ２１の順とするかは自由にでき、植物の胡蝶蘭Ａと同様に、胡蝶蘭Ａの花茎Ａ２を仕立用支柱である円筒状の部材９００に沿って渦巻き状に形成することができる。
【符号の説明】
【０１９２】
１、６、６０、７０、８、９、９０、９９０…仕立用支柱、１１、６１…側面、１２、６２、８２、９２…下方側、１３、６３、８３、９３…上方側
１５…円筒状の部材、１５１…側面部
１６…支持部材、１６１…リング部、１６２…支持部、１６３…フック部
２…棒状部材、２０…湾曲部、２１…一方の端部、２２…直線部、２３…第一変曲部、２３１…変曲部、２４、９２４…第一湾曲部、２５、９２５…第二変曲部、２５ａ、９２５ａ…第三変曲部、２５１、２５２…変曲部、２６…第二湾曲部、２６ａ…第三湾曲部、２７…他方の端部、２８、２８１、２８２…渦巻き状の空間曲線、２８３…実質的な平面、２８４…一方の面（側）、２８５…他方の面（側）、２９…束、２９１…実質的な平面、２９２…一方の面、２９３…他方の面
３、３０１、９０２…リング状の部材、３１、３２…紐状の部材
４、７、７５…連結部材、４１、７１…枝部（支持部）、４２、７２…連結部、４３、７３…中心部
５…渦巻き状の部材、５１…細片
６０１…側面部、６０２…底面部、６０３…孔部、６０４…小孔部、６０５…他方の端部、６０６…囲い部、６０７…開口部、６２５…変曲部
９１、９２１…帯状の部材、９２０…変曲部、９１１…渦巻き状の平板、９１２…一方の平面部、９１３…他方の平面部、９１４…溶接点、９２２…傾斜部、９２３、９９１…一方の端部、９２７、９９２…他方の端部、９９２ａ…頂点、９２８…一方の面、９２９…他方の面、９４、９４１…挿入部、９４２、９４３…側部、９４２ａ、９４３ａ…縁部、９４２ｂ、９４３ｂ…円弧部、９４４…一方の平面部、９４５…他方の平面部、９４６…一方の端部、９４７…他方の端部
９５、９５１、９５２…孔部、９９３、９９４…側部、９９３ａ、９９４ａ…縁部、９９３ｂ、９９４ｂ…円弧部
９００…円筒状の部材（仕立用支柱）、９０１…枠体、９０３、９０４…湾曲部材、９１０…側面部
Ａ…胡蝶蘭、Ａ１…花茎、Ａ２…花、Ａ２１…トップセパル（上がく片）、Ａ２２…ペダル（花弁）、Ａ２３…リップ（唇弁）、Ａ２４…アンダーセパル（下がく片）、Ａ３…先端、Ａ４…蕾、Ａ４１…底部、Ａ４２…頂部
Ｂ…テープ、Ｃ…支え棒、Ｄ…紐、Ｄ１…紐状の部材、Ｄ１１…端部
Ｅ１、Ｅ２、Ｅ３…重複部
Ｆ…支柱、Ｆ１…一方の端部、Ｆ２…他方の端部
Ｇ…キャップ
Ｗ…植木鉢、Ｗ１…樹脂製の小片
Ｌ…ライン
ＣＬ…中心線
Ｓ１、Ｓ２、Ｓ３、Ｓ４、Ｓ５、Ｓ６…接線
Ｚ…交点
【図１】
0003196831.tif 000003
【図２】
0003196831.tif 000004
【図３】
0003196831.tif 000005
【図４】
0003196831.tif 000006
【図５】
0003196831.tif 000007
【図６】
0003196831.tif 000008
【図７】
0003196831.tif 000009
【図８】
0003196831.tif 000010
【図９】
0003196831.tif 000011
【図１０】
0003196831.tif 000012
【図１１】
0003196831.tif 000013
【図１２】
0003196831.tif 000014
【図１３】
0003196831.tif 000015
【図１４】
0003196831.tif 000016
【図１５】
0003196831.tif 000017
【図１６】
0003196831.tif 000018
【図１７】
0003196831.tif 000019
【図１８】
0003196831.tif 000020
【図１９】
0003196831.tif 000021
【図２０】
0003196831.tif 000022
【図２１】
0003196831.tif 000023
【図２２】
0003196831.tif 000024
【図２３】
0003196831.tif 000025
【図２４】
0003196831.tif 000026
【図２５】
0003196831.tif 000027
【図２６】
0003196831.tif 000028
【図２７】
0003196831.tif 000029
【図２８】
0003196831.tif 000030
【図２９】
0003196831.tif 000031
【図３０】
0003196831.tif 000032
【図３１】
0003196831.tif 000033
【図３２】
0003196831.tif 000034
【図３３】
0003196831.tif 000035
【図３４】
0003196831.tif 000036
【図３５】
0003196831.tif 000037
【図３６】
0003196831.tif 000038
【図３７】
0003196831.tif 000039
【図３８】
0003196831.tif 000040
【図３９】
0003196831.tif 000041
【手続補正書】
【提出日】平成27年1月29日(2015.1.29)
【手続補正１】
【補正対象書類名】実用新案登録請求の範囲
【補正対象項目名】全文
【補正方法】変更
【補正の内容】
【実用新案登録請求の範囲】
【請求項１】
基台に組み込む挿入部と、
前記挿入部に連続し、植物又は造花の茎を沿わせる支柱本体と、を備え、
前記支柱本体は、帯状の平板を螺旋状に湾曲させた形状を有し、下方から上方に延びる
仕立用支柱。
【請求項２】
前記支柱本体は、前記挿入部と連続する部分において、前記挿入部と鈍角をなす
請求項１に記載の仕立用支柱。
【請求項３】
前記支柱本体は、下方から上方に向かうにつれて幅が広くなる
請求項１又は２に記載の仕立用支柱。
【請求項４】
前記支柱本体は、下方から上方に向かう途中で螺旋の曲率半径が変更される
請求項１〜３のいずれかに記載の仕立用支柱。
【請求項５】
前記支柱本体は、下方から上方に向かう途中で螺旋のピッチが変更される
請求項１〜４のいずれかに記載の仕立用支柱。
【請求項６】
前記支柱本体は、長手方向に沿う両脇が折り返されることで円弧状の本体円弧部が形成される
請求項１〜５のいずれかに記載の仕立用支柱。
【請求項７】
前記挿入部は、長方形の板状を有し、長手方向に沿う両脇が折り返されることで円弧状の挿入円弧部が形成される
請求項１〜６のいずれかに記載の仕立用支柱。
【請求項８】
前記挿入部は、前記平板の下端を折り曲げることで形成される
請求項１又は２に記載の仕立用支柱。
【請求項９】
請求項１〜８のいずれかに記載の仕立用支柱と、
前記支柱本体に茎を沿わせた胡蝶蘭又は造花と、を備える
鑑賞用の胡蝶蘭。
【手続補正３】
【補正対象書類名】明細書
【補正対象項目名】０００１
【補正方法】変更
【補正の内容】
【０００１】
本考案は、鑑賞用の胡蝶蘭、及び仕立用支柱に関し、仕立用支柱については、特に、蔓（茎）に花を付ける植物、或いは蔓（茎）に花を付ける植物を模した造花等を観賞するためのものに関する。
【手続補正４】
【補正対象書類名】明細書
【補正対象項目名】０００６
【補正方法】変更
【補正の内容】
【０００６】
本考案は、上記の事情に鑑みなされたものであり、あらゆる方向から観賞することを可能にし、室内の大きさに拘わらず、向きを考慮することなく配置を可能にする鑑賞用の胡蝶蘭、及び仕立用支柱の提供を目的とする。
【手続補正５】
【補正対象書類名】明細書
【補正対象項目名】０００７
【補正方法】変更
【補正の内容】
【０００７】
上記の目的を達成するために、本考案に係る仕立用支柱は、基台に組み込む挿入部と、前記挿入部に連続し、植物又は造花の茎を沿わせる支柱本体と、を備え、前記支柱本体は、帯状の平板を螺旋状に湾曲させた形状を有し、下方から上方に延びることを特徴とする。
また、本考案に係る仕立用支柱において、前記支柱本体は、前記挿入部と連続する部分において、前記挿入部と鈍角をなすことを特徴とする。
また、本考案に係る仕立用支柱において、前記支柱本体は、下方から上方に向かうにつれて幅が広くなることを特徴とする。
また、本考案に係る仕立用支柱において、前記支柱本体は、下方から上方に向かう途中で螺旋の曲率半径が変更されることを特徴とする。
また、本考案に係る仕立用支柱において、前記支柱本体は、下方から上方に向かう途中で螺旋のピッチが変更されることを特徴とする。
また、本考案に係る仕立用支柱において、前記支柱本体は、長手方向に沿う両脇が折り返されることで円弧状の本体円弧部が形成されることを特徴とする。
また、本考案に係る仕立用支柱において、前記挿入部は、長方形の形状を有し、長手方向に沿う両脇が折り返されることで円弧状の挿入円弧部が形成されることを特徴とする。
また、本考案に係る仕立用支柱において、前記挿入部は、長方形の板状を有し、長手方向に沿う両脇が折り返されることで円弧状の挿入円弧部が形成されることを特徴とする。
また、本考案に係る仕立用支柱において、前記挿入部は、前記平板の下端を折り曲げることで形成されることを特徴とする。
また、本考案に係る鑑賞用の胡蝶蘭は、上記のいずれかの仕立用支柱と、前記支柱本体に茎を沿わせた胡蝶蘭又は造花と、を備えることを特徴とする。
あるいは、本考案は、帯状の部材を湾曲させて、植物、或いは造花の茎を前記帯状の部材に沿わせることで前記植物、或いは前記造花を支持する仕立用支柱において、前記帯状の部材に接続された、基台に組み込む挿入部の面部側同士を対向させ、前記挿入部に連続して、前記挿入部の終端である前記帯状の部材の一方の端部から前記挿入部に対して鈍角方向に伸びて円弧として形成された第一湾曲部と、前記第一湾曲部は、中心を前記挿入部の面部同士を離して前記挿入部の面部同士の間の中央を中心にして渦巻き状の平板として前記帯状の部材の他方の端部側に向かって形成され、前記渦巻き状の平板が形成されて、前記第一湾曲部が伸びてきた方向と、前記第一湾曲部が伸びてきた方向とは異なる方向に切り替わる第二変曲部が形成され、前記第二変曲部から、前記第一湾曲部に連続して、前記第一変曲部から離れる方向に向って円弧として形成された第二湾曲部と、前記第二湾曲部は、中心を前記挿入部の面部同士を離して前記挿入部の面部同士の間の中央を中心にして渦巻き状の平板として前記帯状の部材の他方の端部側に向かって形成されたことを特徴とする。
【手続補正６】
【補正対象書類名】明細書
【補正対象項目名】０００８
【補正方法】変更
【補正の内容】
【０００８】
従って、上記考案によれば、仕立用支柱は、複数の、挿入部を接続した帯状の部材を用いて、基台に組み込む挿入部の面部側同士を対向させ、挿入部から連続して第一湾曲部が形成され、その第一湾曲部から連続して、第一湾曲部が伸びてきた方向とは異なる方向に切り替わり、第二湾曲部が形成されることで渦巻き状の平板が形成されている。つまり、各帯状の部材は、一方の端部側は挿入部が形成されており、挿入部同士を対向して配置することになる。各帯状の部材の、挿入部の終端である第一変曲部からは第一湾曲部が形成されており、第一湾曲部は挿入部に対して鈍角方向に円弧として伸びて形成されている。第一湾曲部が円弧として伸びる方向は、帯状の部材の他方の端部側に向かうとともに、例えば、対向する挿入部同士の外側から囲む円弧をなして伸びる方向となっている。例えば、第一湾曲部が伸びることで対向する挿入部同士の外側から囲み、複数の第一湾曲部が円弧をなして伸び、帯状の部材が切り替わる（反転する）位置が第二変曲部をなすことになる。そして、第二変曲部は各帯状の部材に形成されることになる。この第二変曲部からは第二湾曲部が第一湾曲部に連続して円弧として、第一変曲部から離れる方向である、帯状の部材の他方の端部側に伸びていく。そして、同様に、第二湾曲部が伸びることで対向する挿入部同士の外側から囲み、複数の第二湾曲部が円弧をなして伸びていく。というように変曲部、湾曲部の形成を繰り返して複数の帯状の部材による渦巻き状の空間曲線（渦巻き状の平面部）が形成されることになる。このように、各帯状の部材で以上の第一湾曲部及び第二湾曲部が形成されることで、各帯状の部材ごとの渦巻き状の空間曲線（渦巻き状の平板（平面部）））が形成されることになる。
【手続補正７】
【補正対象書類名】明細書
【補正対象項目名】００１０
【補正方法】変更
【補正の内容】
【００１０】
また、本考案は、帯状の部材を湾曲させて、植物、或いは造花の茎を前記帯状の部材に沿わせることで前記植物、或いは前記造花を支持する仕立用支柱において、前記帯状の部材の一方の端部に接続された挿入部に連続して、前記挿入部の終端である前記帯状の部材の一方の端部から前記挿入部に対して鈍角方向に伸びて円弧として形成された第一湾曲部と、前記第一湾曲部は、渦巻き状の平板として前記帯状の部材の他方の端部側に向かって形成され、前記渦巻き状の平板が形成されて、前記第一湾曲部が伸びてきた方向と、前記第一湾曲部が伸びてきた方向とは異なる方向に切り替わる第二変曲部が形成され、前記第二変曲部から、前記第一湾曲部に連続して、前記第一変曲部及び前記第二変曲部から離れる方向に向って円弧として形成された第二湾曲部と、前記第二湾曲部は、渦巻き状の平板として前記帯状の部材の他方の端部側に向かって形成され、前記渦巻き状の平板が形成されて、前記第二湾曲部が伸びてきた方向と、前記第二湾曲部が伸びてきた方向とは異なる方向に切り替わる第三変曲部が形成され、前記第三変曲部から、前記第二湾曲部に連続して、前記第三変曲部から離れる方向に向って円弧として形成された第三湾曲部と、前記第三湾曲部は、渦巻き状の平板として前記帯状の部材の他方の端部側に向かって伸びて、前記帯状の部材は、前記挿入部の状態に対して少なくとも一回転しながら、渦巻き状の形状として前記帯状の部材の他方の端部側に向かって形成され、前記帯状の部材の他方の端部が前記挿入部の終端である前記帯状の部材の一方の端部より上方側に形成されていることを特徴とする。
【手続補正８】
【補正対象書類名】明細書
【補正対象項目名】００１１
【補正方法】変更
【補正の内容】
【００１１】
従って、上記考案によれば、仕立用支柱は、挿入部を接続した帯状の部材を用いて、挿入部から連続して第一湾曲部が形成され、その第一湾曲部から連続して、第一湾曲部が伸びてきた方向とは異なる方向に切り替わり、第二湾曲部が形成されることで渦巻き状の平板が形成されており、さらに同様に、第二変曲部、第二湾曲部、第三変曲部、第三湾曲部と続き、帯状の部材は、挿入部の状態に対して少なくとも一回転しながら、渦巻き状の形状を形成している。つまり、帯状の部材は、一方の端部側は挿入部が形成されており、帯状の部材の、挿入部の終端である第一変曲部からは第一湾曲部が形成されており、第一湾曲部は挿入部に対して鈍角方向に円弧として伸びて形成されている。第一湾曲部が円弧として伸びる方向は、帯状の部材の他方の端部側に向かうとともに、例えば、挿入部の外側から囲む円弧をなして伸びる方向となっている。第一湾曲部が伸びることで挿入部の外側から囲み、第一湾曲部が円弧をなして伸び、第一湾曲部が切り替わる（反転する）位置が第二変曲部をなすことになる。そして、第二変曲部からは第二湾曲部が第一湾曲部に連続して円弧として、第一変曲部及び第二変曲部から離れる方向である、帯状の部材の他方の端部側に伸びていく。そして、同様に、第二湾曲部が伸びることで挿入部の外側から囲み、第二湾曲部が円弧をなして伸び、第二湾曲部が切り替わる（反転する）位置が第三変曲部をなすことになる。そして、同様に、この第三変曲部からは第三湾曲部が第二湾曲部に連続して円弧として、第二変曲部から離れる方向である、帯状の部材の他方の端部側に伸びていく。というように変曲部、湾曲部の形成を繰り返して帯状の部材による渦巻き状の空間曲線（渦巻き状の平板（平面部））が形成されることになる。
さらに、請求項３に記載の考案は、請求項１又は２に記載の構成に加え、胡蝶蘭の花茎の先端側に向かってアンダーセパル、以下リップを含んだペダル、トップセパルの順の前記胡蝶蘭の花が付いた前記胡蝶蘭の花茎を、前記帯状の部材の渦巻き状の平板に沿わせることで、前記胡蝶蘭の花茎を前記帯状の部材に渦巻き状に形成したことを特徴とする。
【手続補正９】
【補正対象書類名】明細書
【補正対象項目名】００１３
【補正方法】変更
【補正の内容】
【００１３】
さらに、本考案は、上記構成に加え、胡蝶蘭の花茎の先端側に向かってアンダーセパル、以下リップを含んだペダル、トップセパルの順の前記胡蝶蘭の花が付いた前記胡蝶蘭の花茎を、前記帯状の部材の渦巻き状の平板に沿わせることで、前記胡蝶蘭の花茎を前記帯状の部材に渦巻き状に形成したことを特徴とする。
【手続補正１０】
【補正対象書類名】明細書
【補正対象項目名】００１４
【補正方法】変更
【補正の内容】
【００１４】
従って、上記考案によれば、胡蝶蘭の花茎を仕立用支柱の渦巻き状の形状をなす帯状の部材（渦巻き状の平板）に沿ってはわせる（巻き付ける）ことにより、容易に渦巻き状に胡蝶蘭の花茎を曲げることが可能になり、胡蝶蘭の花を仕立用支柱（渦巻き状の形状の小孔部の列）の回りに咲かせた状態にすることが可能になる。また、蔓（茎）に花を付ける植物を模した造花等の胡蝶蘭の花の場合でも、同様に、胡蝶蘭の花茎を仕立用支柱に沿って渦巻き状に形成することになる。
【手続補正１１】
【補正対象書類名】明細書
【補正対象項目名】００１５
【補正方法】変更
【補正の内容】
【００１５】
また、本考案は、上記構成に加え、胡蝶蘭の花茎の先端側に向かってトップセパル、以下リップを含んだペダル、アンダーセパルの順の前記胡蝶蘭の花が付いた前記胡蝶蘭の花茎を、前記帯状の部材の渦巻き状の平板に沿わせることで、前記胡蝶蘭の花茎を前記帯状の部材に渦巻き状に形成したことを特徴とする。
【手続補正１２】
【補正対象書類名】明細書
【補正対象項目名】００１６
【補正方法】変更
【補正の内容】
【００１６】
従って、上記考案によれば、胡蝶蘭の花茎を仕立用支柱の渦巻き状の形状をなす帯状の部材（渦巻き状の平板）に沿ってはわせる（巻き付ける）ことにより、容易に渦巻き状に胡蝶蘭の花茎を曲げることが可能になり、胡蝶蘭の花を仕立用支柱（渦巻き状の形状の小孔部の列）の回りに咲かせた状態にすることが可能になるとともに、胡蝶蘭の花を、胡蝶蘭の花茎の先端側に向かってトップセパル（上がく片）が上になり、以下リップ（唇弁）を含んだペダル（花弁）、アンダーセパル（下がく片）の順になった状態にすることが可能になり、観賞し易い状態を可能にする。また、蔓（茎）に花を付ける植物を模した造花等の胡蝶蘭の花の場合でも、同様に、胡蝶蘭の花茎を仕立用支柱に沿って渦巻き状に形成することになる。
【手続補正１３】
【補正対象書類名】明細書
【補正対象項目名】００１８
【補正方法】変更
【補正の内容】
【００１８】
さらに、本考案は、帯状の部材を湾曲させて、植物、或いは造花の茎を前記帯状の部材に沿わせることで前記植物、或いは前記造花を支持する仕立用支柱において、前記帯状の部材の一方の端部に接続された挿入部に連続して、前記挿入部の終端である前記帯状の部材の一方の端部から前記挿入部に対して鈍角方向に伸びて円弧として形成された第一湾曲部と、前記第一湾曲部は、渦巻き状の平板として前記帯状の部材の他方の端部側に向かって形成され、前記渦巻き状の平板が形成されて、前記第一湾曲部が伸びてきた方向と、前記第一湾曲 部が伸びてきた方向とは異なる方向に切り替わる第二変曲部が形成され、前記第二変曲部から、前記第一湾曲部に連続して、前記第二変曲部から離れる方向に向って円弧として形成された第二湾曲部と、前記第二湾曲部は、渦巻き状の平板として前記帯状の部材の他方の端部側に向かって形成され、前記帯状の部材の他方の端部が前記挿入部の終端である前記帯状の部材の一方の端部より上方側に形成されていることを特徴とする。
【手続補正１４】
【補正対象書類名】明細書
【補正対象項目名】００１９
【補正方法】変更
【補正の内容】
【００１９】
従って、上記考案によれば、仕立用支柱は、挿入部を接続した帯状の部材を用いて、挿入部から連続して第一湾曲部が形成され、その第一湾曲部から連続して、第一湾曲部が伸びてきた方向とは異なる方向に切り替わり、第二湾曲部が形成されることで渦巻き状の平板が形成されて、渦巻き状の形状を形成している。つまり、帯状の部材は、一方の端部側は挿入部が形成されており、帯状の部材の、挿入部の終端である第一変曲部からは第一湾曲部が形成されており、第一湾曲部は挿入部に対して鈍角方向に円弧として伸びて形成されている。第一湾曲部が円弧として伸びる方向は、帯状の部材の他方の端部側に向かうとともに、例えば、挿入部の外側から囲む円弧をなして伸びる方向となっている。第一湾曲部が伸びることで挿入部の外側から囲み、第一湾曲部が円弧をなして伸び、第一湾曲部が切り替わる（反転する）位置が第二変曲部をなすことになる。そして、第二変曲部からは第二湾曲部が第一湾曲部に連続して円弧として、第一変曲部から離れる方向である、帯状の部材の他方の端部側に伸びていく。というように変曲部、湾曲部の形成を繰り返して帯状の部材による渦巻き状の空間曲線（渦巻き状の平板（平面部））が形成されることになる。
【手続補正１５】
【補正対象書類名】明細書
【補正対象項目名】００２１
【補正方法】変更
【補正の内容】
【００２１】
また、本考案は、上記構成に加え、基台に挿入する、長方形の形状に形成され、前記長方形の形状の両長辺側の縁部側が一方の平面部側に折り返され、前記縁部側が前記一方の平面部に当接することで前記長辺側に円弧部が形成され、前記円弧部が前記長辺に沿って、前記長方形の形状の両短辺側まで伸びる、板状の部材である挿入部と、前記挿入部に連結された平面部の一方の端部から他方の端部の、長手方向に沿って、前記一方の端部から前記他方の端部まで伸びる側部を傾斜させることで前記平面部の、前記一方の端部側から前記他方の端部側に向かって広げて形成し、前記側部側の縁部側が前記平面部側に折り返され、前記縁部側が前記平面部に当接することで前記側部側に円弧部が形成され、前記円弧部が前記側部に沿って、前記平面部の、一方の端部から他方の端部まで伸びる、板状の部材である帯状の部材と、を備え、前記帯状の部材では、前記平面部の他方の端部側では、前記平面部の中央を前記平面部の長手方向に沿って、前記平面部の中央を挟み込んで対向した、前記平面部を貫通した孔部の列が形成され、前記平面部の長手方向に沿っての、前記平面部の他方の端部側の前記孔部の列の間隔は、前記平面部の一方の端部側に向かう前記孔部の列の間隔に比べ狭く形成され、前記帯状の部材を渦巻き状の空間曲線に形成した際に、前記挿入部側となる前記平面部の側部には、前記側部に沿って、前記円弧部に隣接して前記平面部を貫通した孔部の列が形成され、前記側部の長手方向に沿っての、前記平面部の他方の端部から最初の前記孔部の間隔は、前記平面部の一方の端部側に向かう前記孔部の列の間隔に比べ狭く形成され、前記帯状の部材を渦巻き状の空間曲線に形成した際に、前記挿入部側となる前記平面部の側部に形成された前記孔部に、前記挿入部側に伸びる支柱が組み込まれることを特徴とする。
【手続補正１６】
【補正対象書類名】明細書
【補正対象項目名】００２２
【補正方法】変更
【補正の内容】
【００２２】
従って、上記考案によれば、仕立用支柱では、挿入部は基台に差し込めるように板状の部材であり、挿入部の縁部側に円弧部が形成されて、胡蝶蘭の花茎が挿入部に接触しても胡蝶蘭の花茎に傷つけることを防ぎ、挿入部に連結された帯状の部材は、帯状の部材の平面部の、一方の端部から他方の端部の、長手方向に沿って、帯状の部材の平面部の、一方の端部から他方の端部まで伸びる側部を傾斜させることで帯状の部材の平板である平面部の、一方の端部側から他方の端部側に向かって帯状の部材の平面部を広げて形成して、帯状の部材の平面部の面積を次第に大きくすることで帯状の部材の平面部自体を湾曲し易くすることで曲面を形成することになり、帯状の部材を渦巻き状に形成することと相俟って帯状の部材における湾曲形成を容易することを可能にする。また、帯状の部材の側部側の縁部側に円弧部が形成されて、胡蝶蘭の花茎が帯状の部材の側部側に接触しても胡蝶蘭の花茎に傷つけることを防ぎ、さらに、帯状の部材では、平面部の他方の端部側では、平面部の中央を平面部の長手方向に沿って、平面部の中央を挟み込んで対向した、平面部を貫通した孔部の列が形成されることで、胡蝶蘭の花茎を帯状の部材の渦巻き状に形成された渦巻き状の平面部に沿ってはわせる（巻き付ける）際に、孔部に紐状の部材を通し、胡蝶蘭の花茎を固定することを可能にする。また、帯状の部材の渦巻き状の平面部の長手方向に沿っての、渦巻き状の平面部の他方の端部側の孔部の列の間隔は、渦巻き状の平面部の一方の端部側に向かう孔部の列の間隔に比べ狭く形成されていることで、胡蝶蘭の花茎の先端側の花（蕾）の間隔に対応することになり（胡蝶蘭の花茎の先端では花同士の間隔が短くなるということに対応することになり）、渦巻き状の平面部の一方の端部側に比べ短い間隔で胡蝶蘭の花茎を紐状の部材により固定することが可能になる。さらに、帯状の部材を渦巻き状の空間曲線（平面部）に形成した際に、挿入部側となる平面部の側部には、側部に沿って、円弧部に隣接して平面部を貫通した孔部の列が形成され、側部の長手方向に沿っての、平面部の他方の端部から最初の孔部の間隔は、平面部の一方の端部側に向かう孔部の列の間隔に比べ狭く形成されることで、孔部に組み込む支柱を用いた際に、渦巻き状の平面部の他方の端部側の支持を容易することが可能になる。また、帯状の部材を渦巻き状の空間曲線に形成した後に、挿入部側となる平面部の側部に形成された孔部に支柱が組み込まれ、支柱が挿入部側に伸びて帯状の部材を支持することが可能になる。
【手続補正１７】
【補正対象書類名】明細書
【補正対象項目名】００２３
【補正方法】変更
【補正の内容】
【００２３】
さらに、本考案は、上記構成に加え、前記帯状の部材の中央を前記帯状の部材の長手方向に沿って、前記帯状の部材の中央を挟み込んで対向した、前記帯状の部材を貫通した前記孔部の列では、前記帯状に部材の、他方の端部から一方の端部に向い前記孔部同士の間隔が広がり、前記帯状の部材の他方の端部から前記孔部までの間隔は最も狭く、前記帯状の部材の他方の端部から前記孔部までの間隔より広い、前記帯状の部材の他方の端部側の少なくとも二組の前記孔部同士の間隔が等しく、前記帯状の部材の他方の端部側の前記孔部同士の間隔は、前記帯状の部材の他方の端部側の少なくとも二組の前記孔部同士の間隔の内、前記帯状の部材の一方の端部側の、前記孔部同士の間隔を形成する前記孔部に隣接する、前記帯状の部材の一方の端部側に向かう前記孔部同士の間隔の１／２であり、前記帯状の部材の他方の端部側の少なくとも二組の前記孔部同士の間隔の内、前記帯状の部材の一方の端部側の、前記孔部同士の間隔を形成する前記孔部に隣接する、前記帯状の部材の一方の端部側に向かう前記孔部同士の間隔は等しく形成され、前記帯状の部材を渦巻き状の空間曲線に形成した際に、前記挿入部側となる前記帯状の部材の側部の、前記側部に沿って、前記円弧部に隣接して前記帯状の部材を貫通した孔部の列では、前記帯状の部材の他方の端部から最初の前記孔部の間隔は、最初の前記孔部からの前記孔部の列における前記孔部同士の間隔の１／２であり、最初の前記孔部から前記帯状の部材の一方の端部側に向かう前記孔部同士の間隔は等しく形成されることを特徴とする。
【手続補正１８】
【補正対象書類名】明細書
【補正対象項目名】００２４
【補正方法】変更
【補正の内容】
【００２４】
従って、上記考案によれば、帯状の部材の中央を帯状の部材の長手方向に沿って形成された、孔部の列では、帯状の部材の、他方の端部から一方の端部に向い孔部同士の間隔が広がることで、胡蝶蘭の花茎に付く花の間隔に孔部を合わせることが可能になり、帯状の部材の、他方の端部側の胡蝶蘭の花茎に付く花の間隔が狭い箇所でも胡蝶蘭の花茎の固定を可能にする。つまり、帯状の部材の他方の端部側では、他方の端部から孔部までの最も狭い間隔をなし、次いで、他方の端部から孔部までの間隔より広い、帯状の部材の他方の端部側の少なくとも二組の孔部同士の間隔をなし、その二組の孔部同士の間隔に続く、さらに広い孔部同士の間隔が形成され、そのさらに広い孔部同士の間隔で続き、二組の孔部同士の間隔はさらに広い孔部同士の間隔の１／２をなすことで、より胡蝶蘭の花茎の花の間隔に対応することになり、孔部に紐状の部材を通して胡蝶蘭の花茎を固定し易くすることを可能にする。また、帯状の部材を渦巻き状の空間曲線に形成した際に、挿入部側となる帯状の部材の側部に沿って孔部の列を形成し、帯状の部材の他方の端部から最初の孔部の間隔は、最初の孔部からの孔部の列における孔部同士の間隔の１／２にし、最初の孔部から帯状の部材の一方の端部側に向かう孔部同士の間隔を等しくすることで、孔部に支柱を組み込んだ際に、渦巻き状の空間曲線を形成した帯状の部材を支持し易くすることが可能になる。
【手続補正１９】
【補正対象書類名】明細書
【補正対象項目名】００２５
【補正方法】変更
【補正の内容】
【００２５】
また、本考案は、上記構成に加え、前記挿入部と前記帯状の部材との連結に際しては、前記挿入部及び前記帯状の部材の、前記円弧部を避けて、前記挿入部の他方の平面部と前記帯状の部材の他方の平面部とを重なり合わせ、前記挿入部の一方の端部側と前記帯状の部材の一方の端部側と固定し、前記挿入部に対して前記帯状の部材が鈍角方向に伸びることを特徴とする。
【手続補正２０】
【補正対象書類名】明細書
【補正対象項目名】００２６
【補正方法】変更
【補正の内容】
【００２６】
従って、上記考案によれば、挿入部と帯状の部材との連結では、挿入部、帯状の部材それぞれに形成された円弧部を避けて安定した連結（固定）を行い、連結（固定）に際しては、挿入部に対して帯状の部材が鈍角方向に伸ばすことで帯状の部材で渦巻き状の平面部を形成により、帯状の部材の、一方の端部から他方の端部へ渦巻き状が伸びた状態の実現を可能にする。
【手続補正２１】
【補正対象書類名】明細書
【補正対象項目名】００２７
【補正方法】変更
【補正の内容】
【００２７】
さらに、本考案は、上記構成に加え、前記挿入部の長手方向の延長方向に対する横断方向に対して、前記第一湾曲部の円弧がなす第一角度、前記挿入部の長手方向の延長方向に対する横断方向に対して、前記第二湾曲部の円弧がなす第二角度、及び前記第二角度から伸びる前記第二湾曲部の円弧が前記挿入部の長手方向の延長方向に対する横断方向に対してなす第三角度が、前記第一角度、前記第二角度、及び前記第三角度の順に小さく形成され、前記第一湾曲部の円弧は第一円周に沿い、前記第二湾曲部の円弧の一部は第二円周に沿い、前記第二角度から前記第三角度に変化した前記第二湾曲部では、前記第二湾曲部の円弧は第三円周に沿い、前記第一円周、前記第二円周及び前記第三円周の順に外径が大きく形成されていることを特徴とする。
【手続補正２２】
【補正対象書類名】明細書
【補正対象項目名】００２８
【補正方法】変更
【補正の内容】
【００２８】
従って、上記考案によれば、帯状の部材の、第一湾曲部がなす角度（第一角度）、第二湾曲部がなす角度（第二角度、第三角度）を変えて、帯状の部材の、一方の端部から他方の端部へ向かい角度を小さくし、それぞれの角度での帯状の部材の部分での円弧が載る円周（第一円周、第二円周、及び第三円周）が帯状の部材の、一方の端部から他方の端部へ向かい外径が大きくなることで、帯状の部材にはわす（巻き付ける）蔓（茎）に花を付ける植物、或いは蔓（茎）に花を付ける植物を模した造花等を看る者に与える印象に工夫を凝らすことが可能になる。
【手続補正２３】
【補正対象書類名】明細書
【補正対象項目名】００２９
【補正方法】変更
【補正の内容】
【００２９】
また、本考案は、上記構成に加え、前記帯状の部材を渦巻き状の空間曲線に形成した際に、前記挿入部側となる前記帯状の部材の側部に形成された前記孔部に組み込まれる前記支柱は、前記支柱の一方の端部側が渦巻き状の前記帯状の部材の孔部に取り付けられ、前記支柱の他方の端部側は、前記挿入部側に伸びて、前記基台内に入り込み、前記基台内で前記他方の端部側が支持され、前記基台上で前記帯状の部材を支持することを特徴する。
【手続補正２４】
【補正対象書類名】明細書
【補正対象項目名】００３０
【補正方法】変更
【補正の内容】
【００３０】
従って、上記考案によれば、帯状の部材を渦巻き状の平面部（空間曲線）に形成した際に、挿入部側となる帯状の部材の側部に形成された孔部に支柱が組み込まれ、支柱の一方の端部側が孔部に取り付けられ、支柱の他方の端部側は、基台である植木鉢等内に入り込むことで、渦巻き状の帯状の部材を支持し、帯状の部材がなす渦巻き状の状態を維持することが可能になる。
【手続補正２５】
【補正対象書類名】明細書
【補正対象項目名】００３１
【補正方法】変更
【補正の内容】
【００３１】
さらに、本考案は、上記構成に加え、胡蝶蘭の花茎の先端側に向かってアンダーセパル、以下リップを含んだペダル、トップセパルの順の前記胡蝶蘭の花が付いた前記胡蝶蘭の花茎を、前記前記帯状の部材を渦巻き状の平板に沿わせることで、前記胡蝶蘭の花茎を前記帯状の部材に渦巻き状に形成したことを特徴とする。
【手続補正２６】
【補正対象書類名】明細書
【補正対象項目名】００３２
【補正方法】変更
【補正の内容】
【００３２】
従って、上記考案によれば、胡蝶蘭の花茎を仕立用支柱の渦巻き状の形状をなす帯状の部材（渦巻き状の平板）に沿ってはわせる（巻き付ける）ことにより、容易に渦巻き状に胡蝶蘭の花茎を曲げることが可能になり、胡蝶蘭の花を仕立用支柱（渦巻き状の形状をなす帯状の部材）の回りに咲かせた状態にすることが可能になる。また、蔓（茎）に花を付ける植物を模した造花等の胡蝶蘭の花の場合でも、同様に、胡蝶蘭の花茎を仕立用支柱に沿って渦巻き状に形成することになる。
【手続補正２７】
【補正対象書類名】明細書
【補正対象項目名】００３３
【補正方法】変更
【補正の内容】
【００３３】
また、本考案は、上記構成に加え、胡蝶蘭の花茎の先端側に向かってトップセパル、以下リップを含んだペダル、アンダーセパルの順の前記胡蝶蘭の花が付いた前記胡蝶蘭の花茎を、前記前記帯状の部材を渦巻き状の平板に沿わせることで、前記胡蝶蘭の花茎を前記帯状の部材に渦巻き状に形成したことを特徴とする。
【手続補正２８】
【補正対象書類名】明細書
【補正対象項目名】００３４
【補正方法】変更
【補正の内容】
【００３４】
従って、上記考案によれば、胡蝶蘭の花茎を仕立用支柱の渦巻き状の形状をなす帯状の部材（渦巻き状の平板）に沿ってはわせる（巻き付ける）ことにより、容易に渦巻き状に胡蝶蘭の花茎を曲げることが可能になり、胡蝶蘭の花を仕立用支柱（渦巻き状の形状の帯状の部材）の回りに咲かせた状態にすることが可能になるとともに、胡蝶蘭の花を、胡蝶蘭の花茎の先端側に向かってトップセパル（上がく片）が上になり、以下リップ（唇弁）を含んだペダル（花弁）、アンダーセパル（下がく片）の順になった状態にすることが可能になり、観賞し易い状態を可能にする。また、蔓（茎）に花を付ける植物を模した造花等の胡蝶蘭の花の場合でも、同様に、胡蝶蘭の花茎を仕立用支柱に沿って渦巻き状に形成することになる。